(57)【要約】  いくつかの実施形態によれば、無線通信ネットワークの基地局を動作させるための方法が提供される。たとえば、複数の潜在的ＰＤＣＣＨ監視オケージョンを定義し、かつ、複数のページングオケージョンを定義するパラメータが生成され得、複数のページングオケージョンの各々が、複数の潜在的ＰＤＣＣＨ監視オケージョンのそれぞれのサブセットを含み、連続するページングオケージョンが時間的に離間しており、それらの間の潜在的ＰＤＣＣＨ監視オケージョンのうちの少なくとも１つが、複数のページングオケージョンのいずれの中にも含まれない。パラメータは、無線インターフェース上で無線デバイスに送信される。無線デバイスを動作させる関係する方法、関係する基地局、および関係する無線デバイスも説明される。【選択図】図７
2021528002.tif 000002
【特許請求の範囲】
【請求項１】
無線通信ネットワークの基地局を動作させる方法であって、前記方法は、
複数の潜在的物理ダウンリンク制御チャネル（ＰＤＣＣＨ）監視オケージョンを定義し、かつ、複数のページングオケージョンを定義するパラメータを生成すること（３０１）であって、前記複数のページングオケージョンの各々が、前記複数の潜在的ＰＤＣＣＨ監視オケージョンのそれぞれのサブセットを含み、連続するページングオケージョンが時間的に離間しており、それらの間の前記潜在的ＰＤＣＣＨ監視オケージョンのうちの少なくとも１つが、前記複数のページングオケージョンのいずれの中にも含まれない、パラメータを生成すること（３０１）と、
前記パラメータを無線インターフェース上で無線デバイスに送信すること（３０３）と
を含む、方法。
【請求項２】
前記パラメータによって定義された前記ページングオケージョンのうちの少なくとも１つ中に含まれる前記潜在的ＰＤＣＣＨ監視オケージョンのうちの少なくとも１つを使用して、前記無線デバイスのためのページングメッセージを送信すること（３０５）
をさらに含む、請求項１に記載の方法。
【請求項３】
ページングオケージョンについてのサブセットの前記潜在的ＰＤＣＣＨ監視オケージョンが、異なるビームに関連付けられている、請求項１または２に記載の方法。
【請求項４】
ページングオケージョンについてのサブセットの前記潜在的ＰＤＣＣＨ監視オケージョンが、異なるビームに関連付けられ、前記方法は、
前記無線端末のためのページングメッセージが、前記異なるビームを使用する、前記ページングオケージョンについての前記サブセットの前記潜在的ＰＤＣＣＨ監視オケージョンのうちの少なくとも２つを使用して送信されるように、前記複数のページングオケージョンのうちの１つを使用して、前記ページングメッセージを送信すること（３０５）
をさらに含む、請求項１に記載の方法。
【請求項５】
前記複数のページングオケージョンのいずれの中にも含まれない前記潜在的ＰＤＣＣＨ監視オケージョンのうちの前記少なくとも１つを含むリソースを使用して、第２の無線デバイスのための送信をスケジュールすること（３０７）
をさらに含む、請求項１から４のいずれか一項に記載の方法。
【請求項６】
前記複数のページングオケージョンのいずれの中にも含まれない前記潜在的ＰＤＣＣＨ監視オケージョンのうちの前記少なくとも１つを含む前記リソースを使用して、前記第２の無線デバイスと前記基地局との間の前記送信を通信すること（３０９）
をさらに含む、請求項５に記載の方法。
【請求項７】
前記送信がアップリンク送信であり、前記アップリンク送信をスケジュールすることが、前記第２の無線デバイスのためのＴＤＤアップリンク送信をスケジュールすることを含む、請求項５または６に記載の方法。
【請求項８】
前記パラメータが、前記複数のページングオケージョンの各々の長さを、ページングオケージョン中に含まれる潜在的ＰＤＣＣＨ監視オケージョンの数として定義する長さパラメータを含む、請求項１から７のいずれか一項に記載の方法。
【請求項９】
前記パラメータが、前記複数のページングオケージョンの各々の長さを、ページングオケージョン中にページを送信するために使用されるビームの数として定義する長さパラメータを含む、請求項１から７のいずれか一項に記載の方法。
【請求項１０】
前記複数のページングオケージョンが、ページングフレームに関連付けられている、請求項１から９のいずれか一項に記載の方法。
【請求項１１】
前記パラメータが、前記ページングフレームの始まりに対する、それぞれの前記ページングオケージョンの各々についてのそれぞれのオフセットを定義するオフセットパラメータを含む、請求項１０に記載の方法。
【請求項１２】
前記オフセットパラメータが、潜在的ＰＤＣＣＨ監視オケージョンの数に基づいて定義される、請求項１１に記載の方法。
【請求項１３】
前記オフセットパラメータが、前記複数のページングオケージョンの各々についてのオフセット値を含むｆｉｒｓｔＰＤＣＣＨ−ＭｏｎｉｔｏｒｉｎｇＯｃｃａｓｉｏｎＯｆＰＯ情報エレメントを含む、請求項１１または１２に記載の方法。
【請求項１４】
連続するページングオケージョン間の前記潜在的ＰＤＣＣＨ監視オケージョンのうちの前記少なくとも１つが、ページングのために未使用である、請求項１から１３のいずれか一項に記載の方法。
【請求項１５】
前記複数の潜在的ＰＤＣＣＨ監視オケージョンが、関連付けられているページングフレームの始まりの後に分散され、前記複数の潜在的ＰＤＣＣＨ監視オケージョンのうちの少なくとも１つが、前記関連付けられているページングフレームの前記始まりと前記複数のページングオケージョンとの間にあり、前記複数の潜在的ＰＤＣＣＨ監視オケージョンのうちの前記少なくとも１つが、前記関連付けられているページングフレームのいかなるページングオケージョン中にも含まれない、請求項１から１４のいずれか一項に記載の方法。
【請求項１６】
無線通信ネットワークの基地局を動作させる方法であって、前記方法は、
関連付けられているページングフレームの始まりの後に分散された複数の潜在的物理ダウンリンク制御チャネル（ＰＤＣＣＨ）監視オケージョンを定義し、かつ、少なくとも１つのページングオケージョンを定義するパラメータを生成すること（３０１）であって、前記少なくとも１つのページングオケージョンが、前記複数の潜在的ＰＤＣＣＨ監視オケージョンのサブセットを含み、前記複数の潜在的ＰＤＣＣＨ監視オケージョンのうちの少なくとも１つが、前記関連付けられているページングフレームの前記始まりと前記少なくとも１つのページングオケージョンとの間にあり、前記複数の潜在的ＰＤＣＣＨ監視オケージョンのうちの前記少なくとも１つが、前記関連付けられているページングフレームのいかなるページングオケージョン中にも含まれない、パラメータを生成すること（３０１）と、
前記パラメータを無線インターフェース上で無線デバイスに送信すること（３０３）と
を含む、方法。
【請求項１７】
無線通信ネットワークにおいて無線デバイスを動作させる方法であって、前記方法は、
複数の潜在的物理ダウンリンク制御チャネル（ＰＤＣＣＨ）監視オケージョンを定義し、かつ、複数のページングオケージョンを定義するパラメータを受信すること（４０１）であって、前記複数のページングオケージョンの各々が、前記複数の潜在的ＰＤＣＣＨ監視オケージョンのそれぞれのサブセットを含み、連続するページングオケージョンが時間的に離間しており、それらの間の前記潜在的ＰＤＣＣＨ監視オケージョンのうちの少なくとも１つが、前記複数のページングオケージョンのいずれの中にも含まれない、パラメータを受信すること（４０１）と、
前記複数の潜在的ＰＤＣＣＨ監視オケージョンと前記複数のページングオケージョンとを定義する前記パラメータに基づいて、ページングメッセージを監視すること（４０３）と
を含む、方法。
【請求項１８】
前記パラメータによって定義された前記ページングオケージョンのうちの少なくとも１つ中に含まれる前記潜在的ＰＤＣＣＨ監視オケージョンのうちの少なくとも１つを使用して、前記無線デバイスのためのページングメッセージを受信すること（４０５）
をさらに含む、請求項１７に記載の方法。
【請求項１９】
前記ページングメッセージを受信したことに応答して、アップリンク通信を送信すること（４０７）
をさらに含む、請求項１８に記載の方法。
【請求項２０】
前記監視することが、前記複数のページングオケージョンのいずれの中にも含まれない前記潜在的ＰＤＣＣＨ監視オケージョンのうちの前記少なくとも１つを監視することなしに、前記ページングオケージョン中に含まれる前記潜在的ＰＤＣＣＨ監視オケージョンを使用して、ページングメッセージを監視することを含む、請求項１７から１９のいずれか一項に記載の方法。
【請求項２１】
前記パラメータが、前記複数のページングオケージョンの各々の長さを、ページングオケージョン中に含まれる潜在的ＰＤＣＣＨ監視オケージョンの数として定義する長さパラメータを含む、請求項１７から２０のいずれか一項に記載の方法。
【請求項２２】
前記パラメータが、前記複数のページングオケージョンの各々の長さを、ページングオケージョン中にページを送信するために使用されるビームの数として定義する長さパラメータを含む、請求項１７から２１のいずれか一項に記載の方法。
【請求項２３】
前記複数のページングオケージョンが、ページングフレームに関連付けられている、請求項１７から２２のいずれか一項に記載の方法。
【請求項２４】
前記パラメータが、前記ページングフレームの始まりに対する、前記それぞれのページングオケージョンの各々についてのそれぞれのオフセットを定義するオフセットパラメータを含む、請求項２３に記載の方法。
【請求項２５】
前記オフセットパラメータが、潜在的ＰＤＣＣＨ監視オケージョンの数に基づいて定義される、請求項２４に記載の方法。
【請求項２６】
前記オフセットパラメータが、前記複数のページングオケージョンの各々についてのオフセット値を含むｆｉｒｓｔＰＤＣＣＨ−ＭｏｎｉｔｏｒｉｎｇＯｃｃａｓｉｏｎＯｆＰＯ情報エレメントを含む、請求項２４または２５に記載の方法。
【請求項２７】
連続するページングオケージョン間の前記潜在的ＰＤＣＣＨ監視オケージョンのうちの前記少なくとも１つが、ページングのために未使用である、請求項１７から２６のいずれか一項に記載の方法。
【請求項２８】
前記複数の潜在的ＰＤＣＣＨ監視オケージョンが、関連付けられているページングフレームの始まりの後に分散され、前記複数の潜在的ＰＤＣＣＨ監視オケージョンのうちの少なくとも１つが、前記関連付けられているページングフレームの前記始まりと前記複数のページングオケージョンとの間にあり、前記潜在的ＰＤＣＣＨ監視オケージョンのうちの前記少なくとも１つが、前記関連付けられているページングフレームのいかなるページングオケージョン中にも含まれない、請求項１７から２７のいずれか一項に記載の方法。
【請求項２９】
無線通信ネットワークにおいて無線デバイスを動作させる方法であって、前記方法は、
関連付けられているページングフレームの始まりの後に分散された複数の潜在的物理ダウンリンク制御チャネル（ＰＤＣＣＨ）監視オケージョンを定義し、かつ、少なくとも１つのページングオケージョンを定義するパラメータを受信すること（４０１）であって、前記少なくとも１つのページングオケージョンが、前記複数の潜在的ＰＤＣＣＨ監視オケージョンのサブセットを含み、前記複数の潜在的ＰＤＣＣＨ監視オケージョンのうちの少なくとも１つが、前記関連付けられているページングフレームの前記始まりと前記少なくとも１つのページングオケージョンとの間にあり、前記複数の潜在的ＰＤＣＣＨ監視オケージョンのうちの前記少なくとも１つが、前記関連付けられているページングフレームのいかなるページングオケージョン中にも含まれない、パラメータを受信すること（４０１）と、
前記複数の潜在的ＰＤＣＣＨ監視オケージョンと前記少なくとも１つのページングオケージョンとを定義する前記パラメータに基づいて、ページングメッセージを監視すること（４０３）と
を含む、方法。
【請求項３０】
請求項１７から２９に記載のステップを実施するように適応された無線デバイス（４０００）。
【請求項３１】
請求項１から１６のいずれか一項に記載のステップを実施するように適応されたネットワークノード（５０００）。
【請求項３２】
プロセッサ（４００３）と、
前記プロセッサに結合されたメモリ（４００５）と
を備え、前記メモリが、前記プロセッサによって実行されたとき、前記プロセッサに、請求項１７から２９のいずれか一項に記載の動作を実施させる命令を備える、
無線デバイス（４０００）。
【請求項３３】
プロセッサ（５００３）と、
前記プロセッサに結合されたメモリ（５００５）と
を備え、前記メモリが、前記プロセッサによって実行されたとき、前記プロセッサに、請求項１から１６のいずれか一項に記載の動作を実施させる命令を備える、
ネットワークノード（５０００）。
【発明の詳細な説明】
【技術分野】
【０００１】
本開示は、一般に、無線通信、ならびに関係する無線デバイスおよびネットワークノードに関し、詳細には、ページングに関する。
【背景技術】
【０００２】
本開示のコンテキストにおいても関連のある、来たるべき５Ｇシステム（たとえば、ＮＲ）の重要な特性は、たとえば６〜１００ＧＨｚの範囲の、高いキャリア周波数の使用である。そのような高い周波数スペクトルの場合、大気、透過および回折減衰特性は、より低い周波数スペクトルの場合よりもはるかに悪くなり得る。さらに、入射電磁波から電磁エネルギーを収集する有効受信機アンテナ面積を表すメトリックとしての受信機アンテナ開口は、周波数に反比例し、すなわち、全方向性受信および送信アンテナが使用される場合、自由空間シナリオにおいてさえ、同じリンク距離について、リンクバジェットがより悪くなるであろう。これは、高い周波数スペクトルにおけるリンクバジェットの損失を補償するためのビームフォーミングの使用に動機を与える。これは、不十分な受信機をもつＵＥ、たとえば、低コスト／低複雑度ＵＥと通信するときに特に重要である。リンクバジェットを改善するための他の手段は、（たとえば、ワイドビームまたは全方向性送信を可能にするための）送信の繰返し、あるいは同じまたは異なるセルにおける複数のＴＲＰからの単一周波数ネットワーク送信の使用を含む。
【０００３】
上記で説明された特性により、高周波数帯域では、同期信号、システム情報、およびページングなど、あるエリア、たとえば、セルをカバーする（すなわち、知られているロケーション／方向の単一のＵＥをターゲットにするだけではない）必要がある多くのダウンリンク信号は、ビーム掃引を使用して送信されることが予想され、すなわち、一度に１つのビーム中で信号を送信し、対象とするカバレッジエリア全体、たとえば、セルが、送信によってカバーされるまで、ビームの方向およびカバレッジエリアを連続的に変更する。
【０００４】
（ＮＲでは、ＮＲ−ＰＳＳ、ＮＲ−ＳＳＳ、およびＮＲ−ＰＢＣＨと呼ばれることがある）ＬＴＥにおけるＰＳＳ、ＳＳＳ、および（ＭＩＢを搬送する）ＰＢＣＨに対応するＮＲにおける信号は、ＳＳブロック（ＳＳＢ）、または、他の専門用語で、ＳＳ／ＰＢＣＨブロックと示される、エンティティ／構造に一緒に入れられる（ＳＳブロックという用語は、一般に、ＲＡＮ２において使用されるが、ＲＡＮ１は、通常、ＳＳ／ＰＢＣＨブロックという用語を使用する）。したがって、ＳＳブロック、ＳＳＢ、およびＳＳ／ＰＢＣＨブロックは、３つの同義語である（とはいえ、ＳＳＢは実際にはＳＳブロックの略語である）。ＰＳＳ＋ＳＳＳは、ＵＥがセルと同期することを可能にし、また、物理セル識別情報（ＰＣＩ）がそこから導出され得る情報を搬送する。ＳＳＢのＰＢＣＨ部分は、ＭＩＢ（マスタ情報ブロック）またはＮＲ−ＭＩＢと示される、システム情報の一部を搬送する。高い周波数では、ＳＳブロックは、ビーム掃引を使用して周期的に送信されることになる。複数のそのようなビームフォーミングされたＳＳブロック送信は、ＳＳバーストにグループ化され、１つまたは複数のＳＳバーストはＳＳバーストセットをなし、ここで、ＳＳバーストセットは、ＳＳブロック送信の完全なビーム掃引をなす。ＲＡＮ１、ＲＡＮ２、ＲＡＮ３、およびＲＡＮ４は、３ＧＰＰワーキンググループであり、より公式に、ＴＳＧ−ＲＡＮ  ＷＧ１、ＴＳＧ−ＲＡＮ  ＷＧ２、ＴＳＧ−ＲＡＮ  ＷＧ３、およびＴＳＧ−ＲＡＮ  ＷＧ４と呼ばれる。
【０００５】
ＮＲでは、システム情報（ＳＩ）は、２つの主要部分、「最小ＳＩ」（ＭＳＩ：Ｍｉｎｉｍｕｍ  ＳＩ）と「他のＳＩ」（ＯＳＩ：Ｏｔｈｅｒ  ＳＩ）とに分割される。ＭＳＩは、常に周期的にブロードキャストされるが、ＯＳＩは、周期的にブロードキャストされ得るか、またはオンデマンドで利用可能であり得る（およびＯＳＩの異なる部分が別様に扱われ得る）。ＭＳＩは、ＭＩＢとシステム情報ブロックタイプ１（ＳＩＢ１）とからなり、ここで、ＳＩＢ１は、残余最小システム情報（ＲＭＳＩ：Ｒｅｍａｉｎｉｎｇ  Ｍｉｎｉｍｕｍ  Ｓｙｓｔｅｍ  Ｉｎｆｏｒｍａｔｉｏｎ）とも呼ばれる（ＳＩＢ１という用語は、一般に、ＲＡＮによって使用されるが、ＲＡＮ１は、通常、ＲＭＳＩという用語を使用する）。ＳＩＢ１／ＲＭＳＩは、ＰＤＣＣＨ／ＰＤＳＣＨのようなチャネル構造を使用して周期的にブロードキャストされ、すなわち、ＰＤＣＣＨ（またはＮＲ−ＰＤＣＣＨ）上で送信されるスケジューリング割り当てでは、実際のＲＭＳＩが送信される、ＰＤＳＣＨ（またはＮＲ−ＰＤＳＣＨ）上の送信リソースを割り当てる。ＭＩＢは、ＵＥが、ＲＭＳＩ／ＳＩＢ１を見つけ、復号することを可能にする情報を含んでいる。より詳細には、ＲＭＳＩ／ＳＩＢ１のために利用されるＰＤＣＣＨのための設定パラメータがＭＩＢ中で提供され、場合によっては、ＰＣＩから導出されるパラメータによって補完される。この設定情報がＭＩＢ中にない場合、３ＧＰＰ  ＴＳ３８．２１３において指定されているデフォルト設定が使用される。ＲＭＳＩ送信に関するリリース１５のためのさらなる３ＧＰＰ合意は、ＲＭＳＩ／ＳＩＢ１送信がＳＳブロック送信と空間的に擬似コロケート（ＱＣＬ：Ｑｕａｓｉ  Ｃｏ−Ｌｏｃａｔｅｄ）されるべきであることである。ＱＣＬ特性の重要性は、ＲＭＳＩ／ＳＩＢ１を搬送するＰＤＣＣＨ／ＰＤＳＣＨを受信するときに使用されるべき正確な同期のために、ＰＳＳ／ＳＳＳ送信が依拠され得ることである。
【０００６】
また、ページングおよびＯＳＩが、ＰＤＣＣＨ上のＰＤＳＣＨ  ＤＬスケジューリング割り当てと、ＰＤＳＣＨ上のページングメッセージまたはＳＩメッセージとを伴う、ＰＤＣＣＨ＋ＰＤＳＣＨ原理を使用して送信される。これに対する例外は、ページング情報が随意にＰＤＣＣＨ上のページングＤＣＩ中で伝達され、したがって、ＰＤＳＣＨ上のページングメッセージをスキップし得ることである。リリース１５の場合、これは、ＥＴＷＳ、ＣＭＡＳ、またはＳＩ更新の通知のためにページングが使用されるときに使用されることが合意された。将来のリリースの場合、他のページングケースが、このＰＤＣＣＨのみ送信機構を利用し得ることが考えられる。ページングのために使用されるＰＤＣＣＨ、およびＯＳＩ送信のために使用されるＰＤＣＣＨのための設定情報は、ＲＭＳＩ／ＳＩＢ１中に含まれる。ページングとＯＳＩの両方について、ＲＭＳＩ／ＳＩＢ１に関しては、同じＣＯＲＥＳＥＴが使用される。（３ＧＰＰ  ＴＳ３８．３３１において指定されている）ＲＭＳＩ／ＳＩＢ１では、ページングのための検索空間（すなわち、時間ウィンドウおよび時間繰返しパターン）は、（３ＧＰＰ  ＴＳ３８．２１３におけるｐａｇｉｎｇ−ＳｅａｒｃｈＳｐａｃｅパラメータに対応する）ｐａｇｉｎｇＳｅａｒｃｈＳｐａｃｅパラメータ中で指示されるが、ＯＳＩ検索空間は、（３ＧＰＰ  ＴＳ３８．２１３におけるｏｓｉ−ＳｅａｒｃｈＳｐａｃｅパラメータに対応する）ｓｅａｒｃｈＳｐａｃｅＯｔｈｅｒＳｙｓｔｅｍＩｎｆｏｒｍａｔｉｏｎパラメータ中で指示される。ページングのためのＰＤＣＣＨのための設定情報がＲＭＳＩ／ＳＩＢ１中にない場合（すなわち、ｐａｇｉｎｇＳｅａｒｃｈＳｐａｃｅパラメータがＲＭＳＩ／ＳＩＢ１中に存在しない場合）、ＰＤＣＣＨのための監視ウィンドウ／監視オケージョン（すなわち、本質的に検索空間）は、ＲＭＳＩ／ＳＩＢ１のために設定されたものと同じである。
【０００７】
ｐａｇｉｎｇＳｅａｒｃｈＳｐａｃｅパラメータは、ＰＤＣＣＨ検索空間設定をなすパラメータのセットを指す、ＳｅａｒｃｈＳｐａｃｅＩｄを含んでいることに留意されたい。この複雑さは、これ以降、本明細書では見逃され、ｐａｇｉｎｇ−ＳｅａｒｃｈＳｐａｃｅという用語は、これ以降、ページングのためのＰＤＣＣＨ検索空間を設定するパラメータのセットを指すために使用される。
【０００８】
ページングは、モバイル通信システムにおける本質的な機能である。ページングは、ネットワークに、主に、ＵＥがページに応答した後、ダウンリンクデータをＵＥに送信するために、ＲＲＣ＿ＩＤＬＥまたはＲＲＣ＿ＩＮＡＣＴＩＶＥ（さらに下記参照）状態にある間にＵＥに接触させるために使用される。ページングは、セルにおけるシステム情報の更新をＵＥに知らせるためにも使用され得る。ページングは、ＥＴＷＳまたはＣＭＡＳなど、進行中の公衆警報をＵＥに知らせるためにも使用され得る。
【０００９】
ＬＴＥでは、ＲＲＣ＿ＩＤＬＥ状態にあるＵＥは、セルにキャンプオンし、キャンピングしている間、そのセルに関連付けられているページングチャネルを監視する。ＵＥは、繰り返し発生するページングオケージョンを監視するように設定され、ページングオケージョンの合間に、ＤＲＸスリープモードにあり得る。そのようなページングオケージョンにおいてＵＥがページングされるとき、ページングは、（すべてのＵＥによって共有される）Ｐ−ＲＮＴＩにアドレス指定されたＤＬスケジューリング割り当ての形態で、ＰＤＣＣＨ上で指示される。このＤＬスケジューリング割り当ては、実際のページングメッセージが送信される、ＰＤＳＣＨ上のＤＬ送信リソースを指示する。ＵＥのページングオケージョンのうちの１つにおいてＰ−ＲＮＴＩにアドレス指定されたＤＬスケジューリング割り当てを受信する、ＲＲＣ＿ＩＤＬＥ状態にあるＵＥは、ページングメッセージがそのＵＥに宛てられたかどうかを明らかにするために、割り当てられたＤＬ送信リソースからページングメッセージを受信し、読み取る。ページングの対象となる（１つまたは複数の）ＵＥは、１つまたは複数のＵＥページング識別子（Ｓ−ＴＭＳＩまたはＩＭＳＩ）を通して、ページングメッセージ中で指示され、各ＵＥページング識別子は、ページングレコード中に含まれる。最高１６個のＵＥがアドレス指定され得、すなわち、最高１６個のページングレコードが１つのページングメッセージ中にあり得る。
【００１０】
これらのページング原理および機構の大部分が、ＮＲにおいて再使用される。しかしながら、ＮＲでは、ページングも関連する、ＲＲＣ＿ＩＮＡＣＴＩＶＥ状態と示される新しい状態が導入された。３ＧＰＰは、ＬＴＥのための同様のＲＲＣ＿ＩＮＡＣＴＩＶＥ状態を指定することを決めたが、これはまだ行われていない。ＲＲＣ＿ＩＤＬＥ状態に加えてＲＲＣ＿ＩＮＡＣＴＩＶＥ状態を導入する目的は、エネルギー節約状態から、ユーザデータの送信および受信のために設計された状態（すなわち、ＲＲＣ＿ＣＯＮＮＥＣＴＥＤ状態）にＵＥが移行するとき、無線およびネットワークインターフェース上の低減されたシグナリングオーバーヘッドと、改善されたＵＥアクセスレイテンシならびにＵＥエネルギー消費とを伴う、低エネルギー状態を導入することである。この状態では、コアネットワークは、依然として、ＵＥを接続されていると見なし、したがって、ＲＡＮ−ＣＮ接続はアクティブに保たれるが、ｇＮＢとＵＥとの間のＲＲＣ接続は解放される。ＵＥのＲＡＮコンテキストは、アンカーｇＮＢにおいて維持され、ＲＡＮ−ＣＮ接続は、アンカーｇＮＢとコアネットワークとの間で維持される。接続確立における無線インターフェースシグナリングを低減するために、コンテキスト情報は、ＵＥにおいて、およびアンカーｇＮＢにおいて、アクティブに保たれ、これは、ＵＥが、ＲＡＮからページングされるか、あるいは送るべきＵＬデータまたはシグナリングを有するとき、ＵＥがＲＲＣ接続を再開することを可能にする。この状態では、ＵＥは、その所在をネットワークに知らせることなしに、ＲＡＮ通知エリア（ＲＮＡ）において動き回ることができるが、ＵＥがその設定されたＲＮＡを出るとすぐに、ＵＥはネットワークに知らせる。ＮＲでは、ページングは、したがって、ＲＲＣ＿ＩＤＬＥ状態またはＲＲＣ＿ＩＮＡＣＴＩＶＥ状態のいずれかにあるＵＥのために使用され得る。ＲＲＣ＿ＩＤＬＥ状態では、ページングはＣＮによって始動されるが、ＲＲＣ＿ＩＮＡＣＴＩＶＥ状態にあるＵＥのページングは、ＲＡＮ（アンカーｇＮＢ）によって始動される。ＲＲＣ＿ＩＮＡＣＴＩＶＥ状態にあるＵＥは、ＲＡＮまたはＣＮのいずれかによって始動されるページングを受信するために準備されなければならない。通常、ＲＲＣ＿ＩＮＡＣＴＩＶＥ状態にあるＵＥのページングは、ＲＡＮによって始動されるが、ＵＥとＣＮとの間の状態不整合の場合には、ＣＮは、それ自体がＲＲＣ＿ＩＮＡＣＴＩＶＥ状態にあると見なすＵＥのページングを始動し得る。
【００１１】
ＣＮ始動型ページングの場合、ページングメッセージ中で使用されるＵＥ  ＩＤは、ＮＲでは５Ｇ−Ｓ−ＴＭＳＩである（ＬＴＥにおいて使用されるＳ−ＴＭＳＩを置き換える）。ＩＭＳＩは、５Ｇ−Ｓ−ＴＭＳＩが利用可能でない、まれなエラーケースにおいてのみ使用される。ＲＡＮ始動型ページングの場合、ページングメッセージ中で使用されるＵＥ  ＩＤは、（アンカーｇＮＢによって割り振られる）Ｉ−ＲＮＴＩである。ＣＮ始動型ページングとＲＡＮ始動型ページングの両方について、同じページングメッセージが無線インターフェース上で使用され、したがって、ＵＥ  ＩＤのタイプは、ＣＮがページを始動したのかＲＡＮがページを始動したのかをＵＥに知らせるものである。どのエンティティがページを始動したかに応じて、ＵＥは別様に働くことが予想されるので、ＵＥはこれを知る必要がある。（ＥＴＷＳ／ＣＭＡＳ／ＳＩ更新通知を除外する）ＣＮ始動型ページングに応答して、ＵＥは、（ランダムアクセスを通して）ネットワークに接触し、（ＮＡＳサービス要求メッセージを含む）新しいＲＲＣ接続の確立を要求することが予想される。（ＥＴＷＳ／ＣＭＡＳ／ＳＩ更新通知を除外する）ＲＡＮ始動型ページングに応答して、ＵＥは、（ランダムアクセスを通して）ネットワークに接触し、既存の（中断された）ＲＲＣ接続を再開するように要求することが予想される。ＬＴＥとＮＲとの間の別の考えられる差分は、ページングメッセージ中に含まれ得るＵＥ  ＩＤの最大数が、ＬＴＥにおける１６から、ＮＲにおいてより大きい数、たとえば、３２に増加され得ることである。しかしながら、指示されるように、この時点で、ページングメッセージ中のＵＥ  ＩＤの最大数を増加させるための３ＧＰＰにおける合意はない。
【００１２】
上述のように、ＮＲでは、ページングは、高いキャリア周波数、たとえば、マルチＧＨｚ周波数上で、特に、２０ＧＨｚを上回る周波数など、本当に高い周波数上で、ビームフォーミング送信を使用して送信されなければならず、したがって、セル全体をページでカバーするために、ビーム掃引が使用されなければならない。ページング送信のビーム掃引をサポートするために、ＮＲにおけるページングオケージョン（ＰＯ）が、ビーム掃引のすべてのページング送信に適応するための、複数のタイムスロットからなり得る。これは、システム情報において設定される。
【００１３】
ページングオケージョンは、したがって、定期的に循環する時間ウィンドウであり、その時間ウィンドウ中にページングが送信され得る。異なるＵＥは、異なるＰＯに割り当てられ得、ＵＥは、その割り当てられたＰＯ中にページングチャネル（すなわち、ページングのために設定されたＰＤＣＣＨ）を監視することが予想される。１つまたは複数のＰＯを含んでいる無線フレームは、ページングフレーム（ＰＦ）と示される。
【００１４】
ＬＴＥとＮＲの両方では、あるＵＥのための２つのＰＯ間の時間間隔は、（これ以降、「ＤＲＸサイクル」と呼ばれる）ページングＤＲＸサイクルによって支配され、すなわち、各ＤＲＸサイクル中に、ＵＥに割り当てられた１つのＰＯがある（ＵＥは、すべてのＰＯに気づいているが、そのＵＥ  ＩＤに基づいて１つを「選択する」）。ＵＥが拡張ＤＲＸ（ｅＤＲＸ）サイクルで設定されない限り、ＵＥが使用するＤＲＸサイクルは、システム情報において告知される（デフォルトページングサイクルとも呼ばれる）デフォルトＤＲＸサイクル（その場合、ｄｅｆａｕｌｔＰａｇｉｎｇＣｙｃｌｅと示される）、またはＣＮとネゴシエートされたＵＥ固有ＤＲＸサイクルのうちの最も短いものである。通常のＵＥ（すなわち、いかなるタイプの拡張ＤＲＸ（ｅＤＲＸ）サイクルでも設定されないＵＥ）の場合、デフォルトＤＲＸサイクルおよび（利用可能な場合）ＵＥ固有ＤＲＸサイクルのうちの最も短いものが使用される。ＮＲでは、ＵＥは、ＲＲＣ＿ＩＮＡＣＴＩＶＥ状態において使用されるべきＤＲＸサイクルでも設定され得る。このＤＲＸサイクルは、ＵＥがＲＲＣ＿ＩＮＡＣＴＩＶＥ状態に移行されるとき、ＵＥに割り振られる。
【００１５】
ＤＲＸサイクル内で、ＵＥは、ＰＦと、ＰＦ中の場合によっては複数（ＬＴＥでは１つ、２つまたは４つ）のＰＯのうちのどれをＵＥがそのＵＥ  ＩＤに基づいて監視するべきであるかとを計算する。ＬＴＥでは、この計算のために、ＩＭＳＩ  ｍｏｄ  １０２４が使用され、これは、ＮＲについても合意された。しかしながら、この目的のためのＩＭＳＩの使用に関係するセキュリティ／プライバシーの問題点により、ＮＲについての合意が変更され、この式中でＩＭＳＩが５Ｇ−Ｓ−ＴＭＳＩによって置き換えられる可能性がある。
【００１６】
ＬＴＥでは、ＵＥのためのＰＦは、以下の等式を満たすシステムフレーム番号（ＳＦＮ）をもつ無線フレームである。
ＳＦＮ  ｍｏｄ  Ｔ＝（Ｔ  ｄｉｖ  Ｎ）＊（ＵＥ＿ＩＤ  ｍｏｄ  Ｎ）
ここで、
Ｔ：  ＤＲＸサイクル（デフォルトまたはＵＥ固有）
Ｎ：  ｍｉｎ（Ｔ，ｎＢ）（すなわち、Ｎは、ＤＲＸサイクル中のＰＦの数である。）
ｎＢ：  たとえば、４Ｔ、２Ｔ、Ｔ、Ｔ／２、Ｔ／４、Ｔ／８、Ｔ／１６、Ｔ／３２、Ｔ／６４、Ｔ／１２８、Ｔ／２５６（ＤＲＸサイクル中のＰＯの数）
ＵＥ＿ＩＤ：  ＩＭＳＩ  ｍｏｄ  １０２４
この式は、おそらく、場合によっては何らかの修正を伴って、ＮＲにおいて再使用されることになる。１つの提案される修正は、ＰＦのシフトのためのオフセットを導入することであり、これは、（Ｔ、Ｎ、ｎＢおよびＵＥ＿ＩＤの定義を変更することなしに）ＰＦ計算のための以下のわずかに修正された式を生じることになる。
（ＳＦＮ＋ＰＦ＿ｏｆｆｓｅｔ）  ｍｏｄ  Ｔ＝（Ｔ  ｄｉｖ  Ｎ）＊（ＵＥ＿ＩＤ  ｍｏｄ  Ｎ）
ＰＦ内では、（１つまたは複数の）ＰＯが、ＬＴＥにおける表に基づいて、設定され／割り当てられ、ここで、ＵＥ  ＩＤは、（１つまたは複数の）ＰＯのうちのどれをＵＥが監視するべきであるかを決定する。詳細には、このＬＴＥアルゴリズムは、以下で説明されるように提供され得る。
【００１７】
ＰＦ内のＵＥのＰＯをなすサブフレームが、図５の表によって決定される。図５の表中のパラメータは、以下の通りである。
Ｎｓ：  ｍａｘ（１，ｎＢ／Ｔ）（すなわち、Ｎｓは、ＰＦ中のＰＯの数である。）
ｉ＿ｓ：  ｆｌｏｏｒ（ＵＥ＿ＩＤ／Ｎ）  ｍｏｄ  Ｎｓ（ｉ＿ｓは、ＰＦ内のあるＵＥのＰＯを指すインデックスである。）
図５の上記のアルゴリズムおよび表から理解され得るように、ｉ＿ｓは、ＰＦ中の（１つまたは複数の）ＰＯのうちのどれをＵＥが使用するべきであるかを指すインデックスであり、（１つまたは複数の）ＰＯは、０からＮｓ−１までインデックス付けされる（すなわち、ｉ＿ｓは、０からＮｓ−１までの範囲を有する）。図５の表は、ＰＦ内の（１つまたは複数の）サブフレームへの（１つまたは複数の）ＰＯの割り当てを決定する。
【００１８】
上記のことは、したがって、ＰＦ中のＰＯの設定のためのＬＴＥアルゴリズムであり、これは、ＮＲのためのベースラインでもあるが、以下でさらに説明されるように、このアルゴリズムは、ＮＲに完全に好適ではなく、ＮＲではその全体が再使用されるわけではないことになる。
【００１９】
本明細書の開示のコンテキストでは、ＬＴＥとＮＲとの間の無線インターフェースのＬ１の時間領域構造における差分について説明することにも関連する。ＬＴＥは常に同じ構造を有するが、ＮＲは、ＮＲが異なるいわゆるヌメロロジー（これは、本質的に、異なるサブキャリア間隔（ＳＣＳ）と、結果として生じる時間領域における差分、たとえば、ＯＦＤＭシンボルの長さとに言い換えられ得る）を備えるので、異なる構造を有する。ＬＴＥでは、Ｌ１無線インターフェース時間領域構造は、シンボルとサブフレームと無線フレームとからなり、ここで、１ｍｓサブフレームは、１４個のシンボル（拡張サイクリックプレフィックスが使用される場合は１２個）からなり、１０個のサブフレームが１０ｍｓ無線フレームを形成する。ＮＲでは、サブフレームおよび無線フレームの概念は、それらが、同じ時間期間、すなわち、それぞれ１ｍｓおよび１０ｍｓを表すという意味で、再使用されるが、それらの内部構造はヌメロロジーに応じて変動する。この理由で、ＮＲでは「スロット」という追加の用語が導入され、「スロット」は、シンボル長にかかわらず、常に１４個のシンボルを含んでいる時間領域構造である。したがって、サブフレームおよび無線フレーム中に含まれる、スロットおよびシンボルの数は、ヌメロロジーとともに変動するが、スロット中のシンボルの数は一定のままである。ヌメロロジーおよびパラメータは、サブフレームが常に整数個のスロット（すなわち、部分的なスロットではない）を含んでいるように、選定される。ＮＲにおける１４個のＯＦＤＭシンボルのセットを指す「スロット」という用語の選定は、ＬＴＥにおいても「スロット」という用語が存在するので、やや残念であることに留意されたいが、ＬＴＥでは、「スロット」は、サブフレームの１／２、すなわち、７つのＯＦＤＭシンボル（または拡張サイクリックプレフィックスが使用されるときにおいては６つのＯＦＤＭシンボル）を含んでいる０．５ｍｓを指す。
【００２０】
ＰＯ割り当てに戻ると、ＬＴＥにおいて使用される表ベースの設定／割り当ては、ＮＲでは容易に再使用され得ない。ＬＴＥでは、ＰＯをサブフレームにマッピングすることは単純であり、これは、この目的のために指定された表を通して、容易に行われ得た。しかしながら、ＮＲでは、ＰＯは、単にサブフレームにマッピングされ得ない。送信リソースに関して、サブフレームは、ＬＴＥでは明確な概念である（唯一の変動は、通常または拡張サイクリックプレフィックスである）。一方、ＮＲでは、（スロット、およびしたがってＯＦＤＭシンボルに関して）送信リソースは、異なるヌメロロジー（すなわち、サブキャリア間隔（ＳＣＳ））とともに変動する。さらに、ＮＲにおけるＰＯのために必要とされる持続時間は、可変であり、ＳＣＳおよび結果として生じるシンボル長と組み合わせたページングのためのＰＤＣＣＨのための可能なビーム掃引において必要とされるビームの数に依存する。これらの理由で、ＬＴＥの表ベースのＰＯ設定機構は、ＮＲではｐａｇｉｎｇ−ＳｅａｒｃｈＳｐａｃｅに基づく機構によって置き換えられた。Ｎｓおよびｉ＿ｓパラメータは保持されるが、それらはページングフレーム中のサブフレームをもはや指すのではなく、ＰＦ中の（ＰＤＣＣＨビーム掃引をなす）ＰＤＣＣＨ監視オケージョンのセットを指す。
【００２１】
ＮＲでは、２つの主要なケース、いわゆるデフォルトケースと非デフォルトケースとが区別される。これは、システム情報を通して設定される明示的ｐａｇｉｎｇ−ＳｅａｒｃｈＳｐａｃｅパラメータ構造があるかどうかを指す。そのようなｐａｇｉｎｇ−ＳｅａｒｃｈＳｐａｃｅパラメータ構造がシステム情報中に含まれない場合（すなわち、ｐａｇｉｎｇＳｅａｒｃｈＳｐａｃｅパラメータがＲＭＳＩ／ＳＩＢ１中にない場合）、ＰＦ内の（１つまたは複数の）ＰＯのデフォルト割り当てが使用される。すなわち、デフォルトケースでは、ＰＦ内の（１つまたは複数の）ＰＯに対応するＰＤＣＣＨ監視オケージョンは、ＳＳＢ送信に関するデフォルト関連付けに従って決定され、これらのＰＤＣＣＨ監視オケージョンは、その場合、３ＧＰＰ  ＴＳ３８．２１３中のセクション１３中で定義されているＲＭＳＩの場合と同じである。デフォルトケースの場合、ＰＦ中に１つまたは２つのＰＯがあり得る（すなわち、Ｎｓは１または２に等しくなり得る）。ＰＦ中に２つのＰＯがある場合、（ｉ＿ｓ＝０に対応する）前半フレーム中に１つのＰＯがあり、（ｉ＿ｓ＝１に対応する）後半フレーム中に１つのＰＯがある。
【００２２】
非デフォルトケース（すなわち、ｐａｇｉｎｇ−ＳｅａｒｃｈＳｐａｃｅが明示的に設定され、ｐａｇｉｎｇＳｅａｒｃｈＳｐａｃｅパラメータがＲＭＳＩ／ＳＩＢ１中に含まれる）の場合、異なる手法が、Ｒ２−１８０７６８９［１］において示唆される。ここでは、ＰＦ内のＰＯを定義するために、ｐａｇｉｎｇ−ＳｅａｒｃｈＳｐａｃｅパラメータ構造（すなわち、ｐａｇｉｎｇＳｅａｒｃｈＳｐａｃｅパラメータのＳｅａｒｃｈＳｐａｃｅＩｄによって指されるパラメータ）を利用することが提案される（その本質が、ＴＳ３８．３０４のために現在提案されるテキストにおいて採用される）。ｐａｇｉｎｇ−ＳｅａｒｃｈＳｐａｃｅは、いわゆるＰＤＣＣＨ監視オケージョンのための時間領域パターンを設定し、そこにおいて、ＵＥは、ページングのために設定された制御リソースセット（ＣＯＲＥＳＥＴ）におけるページング送信のためのＰＤＣＣＨ（すなわち、Ｐ−ＲＮＴＩでスクランブルされたＣＲＣを伴うＤＣＩ）を監視するべきである。ｐａｇｉｎｇ−ＳｅａｒｃｈＳｐａｃｅは、ＰＤＣＣＨ監視オケージョンのための時間領域パターンを定義する以下のパラメータを含んでいる。
−  Ｍｏｎｉｔｏｒｉｎｇ−ｐｅｒｉｏｄｉｃｉｔｙ−ＰＤＣＣＨ−ｓｌｏｔ
−  Ｍｏｎｉｔｏｒｉｎｇ−ｏｆｆｓｅｔ−ＰＤＣＣＨ−ｓｌｏｔ
−  Ｍｏｎｉｔｏｒｉｎｇ−ｓｙｍｂｏｌｓ−ＰＤＣＣＨ−ｗｉｔｈｉｎ−ｓｌｏｔ
【００２３】
パラメータ名Ｍｏｎｉｔｏｒｉｎｇ−ｐｅｒｉｏｄｉｃｉｔｙ−ＰＤＣＣＨ−ｓｌｏｔ、Ｍｏｎｉｔｏｒｉｎｇ−ｏｆｆｓｅｔ−ＰＤＣＣＨ−ｓｌｏｔ、およびＭｏｎｉｔｏｒｉｎｇ−ｓｙｍｂｏｌｓ−ＰＤＣＣＨ−ｗｉｔｈｉｎ−ｓｌｏｔは、３ＧＰＰ  ＴＳ３８．２１３において使用されることに留意されたい。３ＧＰＰ  ＴＳ３８．３３１では、Ｍｏｎｉｔｏｒｉｎｇ−ｐｅｒｉｏｄｉｃｉｔｙ−ＰＤＣＣＨ−ｓｌｏｔおよびＭｏｎｉｔｏｒｉｎｇ−ｏｆｆｓｅｔ−ＰＤＣＣＨ−ｓｌｏｔは、ｍｏｎｉｔｏｒｉｎｇＳｌｏｔＰｅｒｉｏｄｉｃｉｔｙＡｎｄＯｆｆｓｅｔと呼ばれる単一の対応するパラメータ構造にマージされ、Ｍｏｎｉｔｏｒｉｎｇ−ｓｙｍｂｏｌｓ−ＰＤＣＣＨ−ｗｉｔｈｉｎ−ｓｌｏｔパラメータに対応するパラメータは、ｍｏｎｉｔｏｒｉｎｇＳｙｍｂｏｌｓＷｉｔｈｉｎＳｌｏｔと呼ばれる。これらのパラメータは、図６に示されている３ＧＰＰ  ＴＳ３８．３３１におけるＡＳＮ．１仕様を有する。
【００２４】
ＣＯＲＥＳＥＴは、ＰＤＣＣＨ監視オケージョン中にＵＥが監視するべきであるＤＬ送信リソースを指示する。より詳細には、ＣＯＲＥＳＥＴは、周波数領域におけるＰＲＢのセットと、時間領域における１〜４つの連続するＯＦＤＭシンボルとを指示する。ＰＤＣＣＨ監視オケージョンの長さは、したがって、ＣＯＲＥＳＥＴの長さ（ＯＦＤＭシンボルの数）によって定義される。たとえば、ＣＯＲＥＳＥＴの長さが３つのシンボルであり、（ビットマップである）Ｍｏｎｉｔｏｒｉｎｇ−ｓｙｍｂｏｌｓ−ＰＤＣＣＨ−ｗｉｔｈｉｎ−ｓｌｏｔパラメータが、６つの連続するシンボル（または、グループ間に１つまたは複数のシンボルがある、３つの連続するシンボルの２つのグループ）が監視されるべきであることを指示する場合、これらの６つのシンボルは、２つのＰＤＣＣＨ監視オケージョンをなす。
【００２５】
Ｒ２−１８０７６８９［１］における提案は、各ページングビーム送信が、ｐａｇｉｎｇ−ＳｅａｒｃｈＳｐａｃｅによって定義された１つのＰＤＣＣＨ監視オケージョンに一致することと、Ｎｂｅａｍｓのビームを仮定すると、ＰＦ中の第１のＮｂｅａｍｓのＰＤＣＣＨ監視オケージョンがＰＦ中の第１のＰＯをなす、ＰＦ中の後続のＮｂｅａｍｓのＰＤＣＣＨ監視オケージョンがＰＦ中の第２のＰＯをなすなどであることとである。
【００２６】
Ｒ２−１８０７６８９［１］における提案は、３ＧＰＰリリース１５のための３ＧＰＰ  ＴＳ３８．３０４の現在のドラフト中のページングに関係する合意される可能性のあるテキスト中に、ある程度まで取り込まれた。しかしながら、依然として、修正および追加の余地がある。
【００２７】
以下の（インデントされたテキスト）は、３ＧＰＰ  ＴＳ３８．３０４中のセクション７．１「Ｄｉｓｃｏｎｔｉｎｕｏｕｓ  Ｒｅｃｅｐｔｉｏｎ  ｆｏｒ  Ｐａｇｉｎｇ」中の現在の（合意されることが予想される）テキストのコピーである。
ＵＥは、電力消費を低減するために、ＲＲＣ＿ＩＤＬＥおよびＲＲＣ＿ＩＮＡＣＴＩＶＥ状態において間欠受信（ＤＲＸ）を使用し得る。ＵＥは、ＤＲＸサイクルごとに１つのページングオケージョン（ＰＯ）を監視する。ＰＯは、ＰＤＣＣＨ監視オケージョンのセットであり、ページングＤＣＩが送られ得る複数のタイムスロット（たとえば、サブフレームまたはＯＦＤＭシンボル）からなり得る［４］。１つのページングフレーム（ＰＦ）は、１つの無線フレームであり、１つまたは複数のＰＯ、またはＰＯの開始ポイントを含んでいることがある。
マルチビーム動作では、１つのＰＯの長さはビーム掃引の１つの期間であり、ＵＥは、掃引パターンのすべてのビームにおいて、同じページングメッセージが繰り返されると仮定することができ、したがって、ページングメッセージの受信のための（１つまたは複数の）ビームの選択は、ＵＥ実装形態次第である。ページングメッセージは、ＲＡＮ始動型ページングとＣＮ始動型ページングの両方について同じである。
ＵＥは、ＲＡＮページングを受信すると、ＲＲＣ接続再開プロシージャを始動する。ＵＥが、ＲＲＣ＿ＩＮＡＣＴＩＶＥ状態においてＣＮ始動型ページングを受信した場合、ＵＥは、ＲＲＣ＿ＩＤＬＥに移行し、ＮＡＳに知らせる。
ＰＦ、ＰＯは、以下の式によって決定される。
ＰＦのためのＳＦＮは、以下によって決定される。
（ＳＦＮ＋ＰＦ＿ｏｆｆｓｅｔ）  ｍｏｄ  Ｔ＝（Ｔ  ｄｉｖ  Ｎ）＊（ＵＥ＿ＩＤ  ｍｏｄ  Ｎ）
ページングＤＣＩのためのＰＤＣＣＨ監視オケージョンのセットの開始を指示する、Ｉｎｄｅｘ（ｉ＿ｓ）は、以下によって決定される。
ｉ＿ｓ＝ｆｌｏｏｒ（ＵＥ＿ＩＤ／Ｎ）  ｍｏｄ  Ｎｓ、ここで、Ｎｓ＝ｍａｘ（１，ｎＢ／Ｔ）
ページングのためのＰＤＣＣＨ監視オケージョンは、設定される場合はｐａｇｉｎｇ−ＳｅａｒｃｈＳｐａｃｅに従って、他の場合はデフォルト関連付けに従って（すなわち、ページングのためのＰＤＣＣＨ監視オケージョンは、［４］中のセクション１３中で定義されているＲＭＳＩの場合と同じである）、決定される。
デフォルト関連付けの場合、Ｎｓは、１または２のいずれかである。Ｎｓ＝１の場合、ＰＦ中で開始する１つのＰＯのみがある。Ｎｓ＝２の場合、ＰＯは、ＰＦの前半フレーム（ｉ＿ｓ＝０）または後半フレーム（ｉ＿ｓ＝１）のいずれか中にある。
非デフォルト関連付けの場合（すなわち、ｐａｇｉｎｇ−ＳｅａｒｃｈＳｐａｃｅが使用されるとき）、ＵＥは、ＰＦ中で第１のＰＯが開始する場合の第（ｉ＿ｓ＋１）のＰＯを監視する。
以下のパラメータが、上記のＰＦおよびｉ＿ｓの計算のために使用される。
Ｔ：ＵＥのＤＲＸサイクル（Ｔは、ＲＲＣまたは上位レイヤによって設定された場合のＵＥ固有ＤＲＸ値と、システム情報中でブロードキャストされるデフォルトＤＲＸ値とのうちの最も短いものによって決定される。ＵＥ固有ＤＲＸが上位レイヤによって設定されない場合、デフォルト値が適用される）
ｎＢ：Ｔ中の総ページングオケージョンの数
Ｎ：ｍｉｎ（Ｔ，ｎＢ）
ＰＦ＿ｏｆｆｓｅｔ：ＰＦ決定のために使用されるオフセット
ＵＥ＿ＩＤ：ＩＭＳＩ  ｍｏｄ  １０２４
パラメータｎＢ、ＰＦ＿ｏｆｆｓｅｔ、およびデフォルトＤＲＸサイクルの長さは、ＳｙｓｔｅｍＩｎｆｏｒｍａｔｉｏｎＢｌｏｃｋ１中でシグナリングされる。
ＵＥがＩＭＳＩを有しない場合、たとえば、ＵＳＩＭをもたない緊急呼を行うとき、ＵＥは、上記のＰＦおよびｉ＿ｓ式中でデフォルト識別情報としてＵＥ＿ＩＤ＝０を使用するものとする。
ＩＭＳＩは、整数型の数字のシーケンス（０．．９）として与えられる。ＩＭＳＩは上記の式中で１０進整数として解釈されるものとし、シーケンス中で与えられる第１の数字が最上位桁を表す。たとえば、
ＩＭＳＩ＝１２（ｄｉｇｉｔ１＝１、ｄｉｇｉｔ２＝２）
計算では、これは、「１×１６＋２＝１８」ではなく、１０進整数「１２」として解釈されるものとする。
【００２８】
しかしながら、ページングのための知られている方法は、厳格すぎることがあり、および／またはいくつかのＮＲシナリオについて十分なページング能力を提供しないことがある。
【発明の概要】
【００２９】
発明概念のいくつかの実施形態によれば、無線通信ネットワークの基地局を動作させるための方法が提供され得る。複数の潜在的ＰＤＣＣＨ監視オケージョンを定義し、かつ、複数のページングオケージョンを定義するパラメータが生成され、複数のページングオケージョンの各々が、複数の潜在的ＰＤＣＣＨ監視オケージョンのそれぞれのサブセットを含み、連続するページングオケージョンが時間的に離間しており、それらの間の潜在的ＰＤＣＣＨ監視オケージョンのうちの少なくとも１つが、複数のページングオケージョンのいずれの中にも含まれない。パラメータは、無線インターフェース上で無線デバイスに送信される。
【００３０】
発明概念のいくつかの他の実施形態によれば、無線通信ネットワークの基地局を動作させるための方法が提供され得る。ページングフレームにわたって分散された複数の潜在的ＰＤＣＣＨ監視オケージョンを定義し、かつ、少なくとも１つのページングオケージョンを定義するパラメータが生成され、少なくとも１つのページングオケージョンは、複数の潜在的ＰＤＣＣＨ監視オケージョンのサブセットを含み、複数の潜在的ＰＤＣＣＨ監視オケージョンのうちの少なくとも１つが、ページングフレームの始まりと少なくとも１つのページングオケージョンとの間にあり、複数の潜在的ＰＤＣＣＨ監視オケージョンのうちの少なくとも１つは、ページングフレームのいかなるページングオケージョン中にも含まれない。パラメータは、無線インターフェース上で無線デバイスに送信される。
【００３１】
発明概念のさらに他の実施形態によれば、無線通信ネットワークにおいて無線デバイスを動作させるための方法が提供され得る。複数の潜在的ＰＤＣＣＨ監視オケージョンを定義し、かつ、複数のページングオケージョンを定義するパラメータが受信され、複数のページングオケージョンの各々が、複数の潜在的ＰＤＣＣＨ監視オケージョンのそれぞれのサブセットを含み、連続するページングオケージョンが時間的に離間しており、それらの間の潜在的ＰＤＣＣＨ監視オケージョンのうちの少なくとも１つが、複数のページングオケージョンのいずれの中にも含まれない。無線デバイスは、複数の潜在的ＰＤＣＣＨ監視オケージョンと複数のページングオケージョンとを定義するパラメータに基づいて、ページングメッセージを監視する。
【００３２】
発明概念のまた他の実施形態によれば、無線通信ネットワークにおいて無線デバイスを動作させるための方法が提供され得る。ページングフレームにわたって分散された複数の潜在的ＰＤＣＣＨ監視オケージョンを定義し、かつ、少なくとも１つのページングオケージョンを定義するパラメータが受信され、少なくとも１つのページングオケージョンは、複数の潜在的ＰＤＣＣＨ監視オケージョンのサブセットを含み、複数の潜在的ＰＤＣＣＨ監視オケージョンのうちの少なくとも１つが、ページングフレームの始まりと少なくとも１つのページングオケージョンとの間にあり、複数の潜在的ＰＤＣＣＨ監視オケージョンのうちの少なくとも１つは、ページングフレームのいかなるページングオケージョン中にも含まれない。無線デバイスは、複数の潜在的ＰＤＣＣＨ監視オケージョンと少なくとも１つのページングオケージョンとを定義するパラメータに基づいて、ページングメッセージを監視する。
【００３３】
発明概念のいくつかの実施形態によれば、ページングオケージョンは、ページングフレームにわたってより均等に分散され、それにより、負荷ピークおよび／またはＴＤＤ動作に関係する他の問題点を低減し得る。
【００３４】
本開示のさらなる理解を提供するために含まれ、本出願に組み込まれ、本出願の一部をなす、（本明細書のおよび付属の）添付の図面は、発明概念のいくつかの非限定的な実施形態を示す。
【図面の簡単な説明】
【００３５】
【図１】発明概念のいくつかの実施形態による、無線デバイスを示すブロック図である。
【図２】発明概念のいくつかの実施形態による、無線アクセスネットワーク（ＲＡＮ）ノードを示すブロック図である。
【図３】発明概念のいくつかの実施形態による、ＲＡＮノードの動作を示すフローチャートである。
【図４】発明概念のいくつかの実施形態による、無線デバイスの動作を示すフローチャートである。
【図５】ページングフレーム内のＵＥのページングオケージョンを決定するために使用される表である。
【図６】３ＧＰＰ  ＴＳ３８．３３１からのパラメータを示す図である。
【図７】発明概念のいくつかの実施形態による、ページングフレーム内のページングオケージョンを形成するＰＤＣＣＨ監視オケージョン「バースト」を設定するための方法を示す図である。
【図８】発明概念のいくつかの実施形態による、ページングフレーム内のページングオケージョンを形成するＰＤＣＣＨ監視オケージョン「バースト」を設定するための方法を示す図である。
【図９】発明概念のいくつかの実施形態による、情報エレメント（ＩＥ）ＤｏｗｎｌｉｎｋＣｏｎｆｉｇＣｏｍｍｏｎのエレメントを示す図である。
【図１０】発明概念のいくつかの実施形態による、ＲＲＣ多重度（ｍｕｌｔｉｐｌｉｃｉｔｙ）およびタイプ制約値／定義のエレメントを示す図である。
【図１１】発明概念のいくつかの実施形態による、ＲＲＣ多重度およびタイプ制約値／定義のエレメントを示す図である。
【図１２】いくつかの実施形態による、無線ネットワークのブロック図である。
【図１３】いくつかの実施形態による、ユーザ機器のブロック図である。
【図１４】いくつかの実施形態による、仮想化環境のブロック図である。
【図１５】いくつかの実施形態による、中間ネットワークを介してホストコンピュータに接続された通信ネットワークのブロック図である。
【図１６】いくつかの実施形態による、部分的無線接続上で基地局を介してユーザ機器と通信するホストコンピュータのブロック図である。
【図１７】いくつかの実施形態による、ホストコンピュータと、基地局と、ユーザ機器とを含む通信システムにおいて実装される方法のブロック図である。
【図１８】いくつかの実施形態による、ホストコンピュータと、基地局と、ユーザ機器とを含む通信システムにおいて実装される方法のブロック図である。
【図１９】いくつかの実施形態による、ホストコンピュータと、基地局と、ユーザ機器とを含む通信システムにおいて実装される方法のブロック図である。
【図２０】いくつかの実施形態による、ホストコンピュータと、基地局と、ユーザ機器とを含む通信システムにおいて実装される方法のブロック図である。
【発明を実施するための形態】
【００３６】
次に、発明概念の実施形態の例が示されている添付の図面を参照しながら、発明概念が以下でより十分に説明される。しかしながら、発明概念は、多くの異なる形態で具現され得、本明細書に記載される実施形態に限定されるものとして解釈されるべきではない。むしろ、これらの実施形態は、本開示が徹底的かつ完全であり、本発明概念の範囲を当業者に十分に伝達するように提供される。これらの実施形態は相互排他的でないことにも留意されたい。一実施形態からの構成要素が、別の実施形態において存在する／使用されると暗に仮定され得る。
【００３７】
以下の説明は、開示される主題の様々な実施形態を提示する。これらの実施形態は、教示例として提示され、開示される主題の範囲を限定するものと解釈されるべきではない。たとえば、説明される実施形態のいくらかの詳細は、説明される主題の範囲から逸脱することなく、修正、省略、または拡大され得る。
【００３８】
図１は、発明概念の実施形態による、無線通信を提供するように設定された（無線端末、無線通信デバイス、無線通信端末、ユーザ機器（ＵＥ）、ユーザ機器ノード／端末／デバイスなどとも呼ばれる）無線デバイスＵＥのエレメントを示すブロック図である。示されているように、無線デバイスＵＥは、アンテナ４００７と、（無線アクセスネットワーク（ＲＡＮ）とも呼ばれる）無線通信ネットワークの基地局ｇＮＢとのアップリンク無線通信およびダウンリンク無線通信を提供するように設定された送信機および受信機を含む（トランシーバとも呼ばれる）トランシーバ回路４００１とを含み得る。無線デバイスＵＥは、トランシーバ回路に結合された（プロセッサとも呼ばれる）プロセッサ回路４００３と、プロセッサ回路に結合された（メモリとも呼ばれる）メモリ回路４００５とをも含み得る。メモリ回路４００５は、プロセッサ回路４００３によって実行されたとき、プロセッサ回路に、本明細書で開示される実施形態による動作を実施させる、コンピュータ可読プログラムコードを含み得る。他の実施形態によれば、プロセッサ回路４００３は、別個のメモリ回路が必要とされないようなメモリを含むように定義され得る。無線デバイスＵＥは、プロセッサ４００３に結合された（ユーザインターフェースなどの）インターフェースをも含み得、および／または無線デバイスＵＥは、ＩｏＴおよび／またはＭＴＣデバイスであり得る。
【００３９】
本明細書で説明されるように、無線デバイスＵＥの動作は、プロセッサ４００３および／またはトランシーバ４００１によって実施され得る。たとえば、プロセッサ４００３は、無線通信ネットワークの基地局ｇＮＢに、無線インターフェース上でトランシーバ４００１を通してアップリンク通信を送信し、および／または無線インターフェース上で無線通信ネットワークの基地局ｇＮＢからトランシーバ４００１を通してダウンリンク通信を受信するように、トランシーバ４００１を制御し得る。その上、モジュールがメモリ４００５に記憶され得、これらのモジュールは、モジュールの命令がプロセッサ４００３によって実行されたとき、プロセッサ４００３がそれぞれの動作（たとえば、例示的な実施形態に関して以下で説明される動作）を実施するように、命令を提供し得る。
【００４０】
図２は、発明概念の実施形態による、セルラー通信を提供するように設定された（無線アクセスネットワーク（ＲＡＮ）とも呼ばれる）無線通信ネットワークの（ネットワークノード、基地局、ｇＮＢ、ｇノードＢなどとも呼ばれる）ネットワークノードのエレメントを示すブロック図である。示されているように、ネットワークノードは、無線デバイスとのアップリンク無線通信およびダウンリンク無線通信を提供するように設定された送信機および受信機を含む（トランシーバとも呼ばれる）トランシーバ回路５００１を含み得る。ネットワークノードは、ＲＡＮの他のノードとの（たとえば、他の基地局および／またはコアネットワークノードとの）通信を提供するように設定された（ネットワークインターフェースとも呼ばれる）ネットワークインターフェース回路５００７を含み得る。ネットワークノードは、トランシーバ回路に結合された（プロセッサとも呼ばれる）プロセッサ回路５００３と、プロセッサ回路に結合された（メモリとも呼ばれる）メモリ回路５００５とをも含み得る。メモリ回路５００５は、プロセッサ回路５００３によって実行されたとき、プロセッサ回路に、本明細書で開示される実施形態による動作を実施させる、コンピュータ可読プログラムコードを含み得る。他の実施形態によれば、プロセッサ回路５００３は、別個のメモリ回路が必要とされないようなメモリを含むように定義され得る。
【００４１】
本明細書で説明されるように、ネットワークノードの動作は、プロセッサ５００３、ネットワークインターフェース５００７、および／またはトランシーバ５００１によって実施され得る。たとえば、プロセッサ５００３は、１つまたは複数のＵＥに、無線インターフェース上でトランシーバ５００１を通してダウンリンク通信を送信し、および／または無線インターフェース上で１つまたは複数のＵＥからトランシーバ５００１を通してアップリンク通信を受信するように、トランシーバ５００１を制御し得る。同様に、プロセッサ５００３は、１つまたは複数の他のネットワークノードにネットワークインターフェース５００７を通して通信を送信し、および／または１つまたは複数の他のネットワークノードからネットワークインターフェースを通して通信を受信するように、ネットワークインターフェース５００７を制御し得る。その上、モジュールがメモリ５００５に記憶され得、これらのモジュールは、モジュールの命令がプロセッサ５００３によって実行されたとき、プロセッサ５００３がそれぞれの動作（たとえば、例示的な実施形態に関して以下で説明される動作）を実施するように、命令を提供し得る。
【００４２】
上記で説明されたデフォルトケース（すなわち、ＰＯのためのＰＤＣＣＨ監視オケージョンが、ＲＭＳＩの場合と同じである場合）は、厳格すぎることがあり、本当に厳しいシナリオについて十分なページング能力を提供しないことがあるという点で、関連する問題を有し得る（すなわち、それはＬＴＥと同等ではない）。しかしながら、デフォルトケースに関するいかなる問題も、明示的設定、すなわち、非デフォルトケースを使用することによって克服され得る。したがって、問題は、非デフォルトケースに関連し得る。
【００４３】
上述のように、ＬＴＥにおいて使用される、ＰＦ内のＰＯの表ベースの設定／割り当ては、ページングのためのＰＤＣＣＨの可変長ビーム掃引（すなわち、ビームの設定可能な数、およびヌメロロジー依存のＯＦＤＭスロット持続時間）、ならびに異なるヌメロロジー（すなわち、サブフレーム中のおよび無線フレーム中の、異なる数のシンボルおよびスロットを生じる異なるＳＣＳ）の存在が、ＬＴＥにおいて使用される機構に一致しないので、ＮＲでは容易に再使用され得ない。ＬＴＥでは、ＰＯをサブフレームにマッピングすることは比較的単純であり得、これは、この目的のために指定された表を通して行われ得る。しかしながら、ＮＲでは、ＰＯは、単にサブフレームにマッピングされ得ない。送信リソースに関して、サブフレームは、ＬＴＥでは明確な概念である（唯一の変動は、通常または拡張サイクリックプレフィックスである）。一方、ＮＲでは、（スロット、およびしたがってＯＦＤＭシンボルに関して）送信リソースは、異なるヌメロロジー（すなわち、サブキャリア間隔（ＳＣＳ））とともに変動する。さらに、ＮＲにおけるＰＯのために必要とされる持続時間は、可変であり、ＳＣＳおよび結果として生じるシンボル長と組み合わせたページングのためのＰＤＣＣＨのための可能なビーム掃引において必要とされるビームの数に依存する。
【００４４】
Ｒ２−１８０７６８９［１］において詳述される、ＰＦ内のＰＯ割り当てのための代替提案にも、問題があり得る。ＰＯがスロット境界を越えてスパンする（これは、ＰＤＣＣＨビーム掃引が、１４個を超えるＯＦＤＭシンボルを必要とするとき、不可避である）とき、ＰＤＣＣＨ監視オケージョンにＰＯを形成させるための提案されるやり方は、ＰＯが、ＰＦ中に均等に分散される代わりに、背中合わせに（ｂａｃｋ  ｔｏ  ｂａｃｋ）ひとかたまりにされ、したがって、潜在的に、ＤＬシグナリングにおいて、ならびにネットワーク中のＰＲＡＣＨリソースおよび他のアクセスリソース上に、負荷ピークを作る。これは、ｐａｇｉｎｇ−ＳｅａｒｃｈＳｐａｃｅパラメータは、ＰＤＣＣＨ監視オケージョンの各バーストが単一のスロット中に収められ得（これは、明らかに、最高６４個のビームが使用され得るページングについて該当しない）、これが、次いで、たとえば、ＰＯスロットの合間に空のスロットを挿入して、Ｍｏｎｉｔｏｒｉｎｇ−ｐｅｒｉｏｄｉｃｉｔｙ−ＰＤＣＣＨ−ｓｌｏｔパラメータを用いて繰り返され得るのでない限り、バースト間にギャップがあるＰＤＣＣＨ監視オケージョンの「バースト」の設定を可能にしないためである。（ＰＯを表す）バーストがスロット境界を越えるとき、これらの２つのスロットは、両方とも少なくとも１つのＰＤＣＣＨ監視オケージョンを有しなければならず、スロット内のＰＤＣＣＨ監視オケージョンの時間パターンについて、１つのパラメータ、すなわち、Ｍｏｎｉｔｏｒｉｎｇ−ｓｙｍｂｏｌｓ−ＰＤＣＣＨ−ｗｉｔｈｉｎ−ｓｌｏｔのみがあるので、２つのスロットにおいて、同じパターンが繰り返されなければならない。その場合、さらなる重大性は、Ｍｏｎｉｔｏｒｉｎｇ−ｐｅｒｉｏｄｉｃｉｔｙ−ＰＤＣＣＨ−ｓｌｏｔが１にセットされなければならず、ＰＦ中のあらゆるスロットにおいて、同じＰＤＣＣＨ監視オケージョンパターンが繰り返されることが生じることである。したがって、ＰＯ、すなわち、スロット境界を越えて延びるＰＤＣＣＨ監視オケージョンのグループ／バースト（これは、ＰＤＣＣＨビーム掃引が、１４個を超えるＯＦＤＭシンボルを必要とするとき、不可避である）は、密なＰＤＣＣＨ監視オケージョンの連続ストリーム、すなわち、効果的に背中合わせのバーストの形態においてのみ、設定され得る。
【００４５】
ＰＯをひとかたまりにすることを回避するための試みにおいて、たとえば、疎な時間領域パターンにおいてＰＤＣＣＨ監視オケージョンを分散させることによって、できる限りうまくＰＦを満たすように時間的に（依然として背中合わせに）ＰＯが拡散されるというやり方においてＰＤＣＣＨ監視オケージョンが設定される場合、これは、不必要に乏しいＰＤＣＣＨ監視オケージョンにより、不必要に長いＰＯ（および結果として生じるＰＯ間のギャップの欠如）を生じることになり、これは、ＵＥにおけるエネルギー消費を潜在的に増加させることになる。さらに、そのようなＰＤＣＣＨ監視オケージョン設定の場合でも、ＰＦ中のＰＤＣＣＨ監視オケージョンの数が、ページングビームの数にＰＦ中のＰＯの数を乗算したものに等しくならない限り、ひとかたまりにすることは完全に回避され得ない。しかしながら、そのような一致は、ＰＤＣＣＨ監視オケージョン設定が、限られたフレキシビリティを有する（たとえば、すべての反復的なスロット中で、同じシンボルパターンが現れなければならない）ので、可能な設定の大部分について実現可能でないが、ページング（およびＳＳブロック）のために使用されるビームの数は、１から、キャリア周波数によって決定される最大数Ｌの間で、完全にフレキシブルに設定可能であり、ここで、３ＧＨｚまでの周波数の場合はＬ＝４であり、３ＧＨｚから６ＧＨｚの間の周波数の場合はＬ＝８であり、６ＧＨｚから５２．６ＧＨｚの間の周波数の場合はＬ＝６４である。
【００４６】
また別の問題になる側面は、ＰＯを背中合わせにひとかたまりにすることと、疎なＰＤＣＣＨ監視オケージョンからなるＰＯでＰＦを満たすことの両方が、長すぎる連続時間間隔中に、効率的なＴＤＤ  ＵＬ動作を妨げ得るので、ＴＤＤ動作に有害であり得ることである。
【００４７】
スロット境界を越えるＰＯがＰＦ内で合間にギャップを伴って均等に分散され得ないという、非デフォルトケースとＲ２−１８０７６８９［１］における提案とに関連する問題点に対処するために、通常のｐａｇｉｎｇ−ＳｅａｒｃｈＳｐａｃｅパラメータを、（ＰＦ中の時間多重化ＰＯごとに１つの値を含んでいる）追加のパラメータで補完または増強することが提案され、追加のパラメータは、通常のｐａｇｉｎｇ−ＳｅａｒｃｈＳｐａｃｅパラメータによって指示されたＰＤＣＣＨ監視オケージョンのうちのどれがＰＯのために実際に使用されることになるかを決定する。すなわち、ＰＯをなすＰＤＣＣＨ監視オケージョンの設定は、２ステッププロセスとして説明され得、ここで、通常のｐａｇｉｎｇ−ＳｅａｒｃｈＳｐａｃｅパラメータは、第１のステップにおいて、潜在的ＰＤＣＣＨ監視オケージョンの潜在的に大きいセットを指示し、そのセットは、第２のステップにおいて、（ＰＯごとに１つの値をもつ）新しいパラメータを使用して、潜在的ＰＤＣＣＨ監視オケージョンの１つまたは複数のサブセットに制限され、監視オケージョンの１つまたは複数のグループまたは「バースト」を形成する最終的に設定されたＰＤＣＣＨ監視オケージョンを生じ、各そのようなグループ／バーストがＰＯを表す。
【００４８】
好ましい実施形態では、通常のｐａｇｉｎｇ−ＳｅａｒｃｈＳｐａｃｅパラメータは、密な潜在的ＰＤＣＣＨ監視オケージョンの大きいセットを指示し、そのセットから、新しいパラメータは、（ＰＤＣＣＨ監視オケージョンの２つ以上のグループ／バーストがあるとき）ＰＤＣＣＨ監視オケージョンのグループ／バースト間にギャップがある１つまたは複数の密なグループ／バーストを選択し、それにより、ＰＤＣＣＨ監視オケージョンのグループ／バースト上にマッピングされるＰＯが、短く、ＰＦ中に比較的均等に分散される。
【００４９】
いくつかの実施形態は、ページングオケージョンがページングフレーム中に均等に分散されることを可能にし、したがって、望ましくない負荷ピーク、およびＴＤＤ動作に関連した潜在的問題を回避し得る。
【００５０】
発明概念の第１の実施形態が、以下で説明される。
【００５１】
スロット境界を越えるＰＯがＰＦ内で合間にギャップを伴って均等に分散され得ないという、非デフォルトケースとＲ２−１８０７６８９［１］における提案とに関連する問題点に対処するために、通常のｐａｇｉｎｇ−ＳｅａｒｃｈＳｐａｃｅパラメータ（すなわち、Ｍｏｎｉｔｏｒｉｎｇ−ｐｅｒｉｏｄｉｃｉｔｙ−ＰＤＣＣＨ−ｓｌｏｔ、Ｍｏｎｉｔｏｒｉｎｇ−ｏｆｆｓｅｔ−ＰＤＣＣＨ−ｓｌｏｔ、およびＭｏｎｉｔｏｒｉｎｇ−ｓｙｍｂｏｌｓ−ＰＤＣＣＨ−ｗｉｔｈｉｎ−ｓｌｏｔ）によって、潜在的ＰＤＣＣＨ監視オケージョンの密なシーケンスが指示され、これらの潜在的ＰＤＣＣＨ監視オケージョンのうちのどれがＰＤＣＣＨ監視オケージョンとして実際に使用され、したがってＰＯとして設定されるべきであるかを指すために、追加のパラメータが導入される、手法が提案される。「潜在的」という適格なワードの有意性は、通常のｐａｇｉｎｇ−ＳｅａｒｃｈＳｐａｃｅパラメータによって指示された潜在的ＰＤＣＣＨ監視オケージョンのサブセットのみが、（たとえば、ページング送信のために使用されるビームの数と組み合わせられた）追加のパラメータによって指示されるように、ＰＤＣＣＨ監視オケージョンとして最終的に設定されることになることである。
【００５２】
好ましくは、新しいパラメータは、ＰＯを形成するＰＤＣＣＨ監視オケージョンのバースト中の第１のＰＤＣＣＨ監視オケージョンを形成するために、（密に）設定された潜在的ＰＤＣＣＨ監視オケージョンのうちの１つを指すことになり、バースト中のＰＤＣＣＨ監視オケージョンの数が、ページング送信のために使用されるビームの数によって定義される。すなわち、（たとえば、ページング送信のために使用されるビームの数と組み合わせられた）新しいパラメータは、潜在的ＰＤＣＣＨ監視オケージョンのセットを、ＰＤＣＣＨ監視オケージョンの１つまたは複数の「バースト」に制限する。通常のｐａｇｉｎｇ−ＳｅａｒｃｈＳｐａｃｅパラメータによって指示された残りの送信リソース（実際に設定されるＰＤＣＣＨ監視オケージョンに結局ならず、いかなるＰＯの一部でもない、潜在的ＰＤＣＣＨ監視オケージョンのうちのいずれか）は、したがって、検索空間設定の一部であるとは見なされず、ページ監視ＵＥによって無視される。ネットワークは、ＴＤＤアップリンク動作のための使用を含む、任意の他の目的のために、これらの未使用の潜在的ＰＤＣＣＨ監視オケージョンに対応するＤＬ送信リソースを自由に使用することができる。
【００５３】
新しいパラメータは、たとえば、ＴＳ３８．３０４中で「Ｆｉｒｓｔ−ＰＤＣＣＨ−ｍｏｎｉｔｏｒｉｎｇ−ｏｃｃａｓｉｏｎ−ｏｆ−ＰＯ」と呼ばれ、ＴＳ３８．３３１中の「ｆｉｒｓｔＰＤＣＣＨ−ＭｏｎｉｔｏｒｉｎｇＯｃｃａｓｉｏｎＯｆＰＯ」に対応し得る。Ｆｉｒｓｔ−ＰＤＣＣＨ−ｍｏｎｉｔｏｒｉｎｇ−ｏｃｃａｓｉｏｎ−ｏｆ−ＰＯパラメータは、ｐａｇｉｎｇ−ＳｅａｒｃｈＳｐａｃｅの一部であり得るか、またはそれは別個のパラメータであり得る。ＴＳ８．３３１中のＡＳＮ１コードに関して、それはまた、ＰＣＣＨ−Ｃｏｎｆｉｇ  ＩＥにうまく適合するであろう。パラメータは、ＰＦ中に複数のＰＯがあり得るので、複数のインスタンスにおいて現れ得る。したがって、パラメータは、多値パラメータ、たとえば、整数値のシーケンスであろう。ＡＳＮ．１コードでは、これは、たとえば、以下の通りであり得る。
ｆｉｒｓｔＰＤＣＣＨ−ＭｏｎｉｔｏｒｉｎｇＯｃｃａｓｉｏｎＯｆＰＯ：：＝
ＳＥＱＵＥＮＣＥ（１．．ｍａｘＮｕｍＯｆＰＯｓＩｎＰＦ）  ＯＦ  ＩＮＴＥＧＥＲ（０．．ｍａｘ−ＰＤＣＣＨ−ＭｏｎｉｔｏｒｉｎｇＯｃｃａｓｉｏｎ）
【００５４】
上記のＡＳＮ．１の例では、通常のｐａｇｉｎｇ−ＳｅａｒｃｈＳｐａｃｅパラメータによって指示された潜在的ＰＤＣＣＨ監視オケージョンは、０からｍａｘ−ＰＤＣＣＨ−ＭｏｎｉｔｏｒｉｎｇＯｃｃａｓｉｏｎの番号を付けられるが、それらはまた、１からｍａｘＮｕｍＯｆ−ＰＤＣＣＨ−ＭｏｎｉｔｏｒｉｎｇＯｃｃａｓｉｏｎｓＩｎＦｒａｍｅの番号を付けられ得る（ここで、ｍａｘＮｕｍＯｆ−ＰＤＣＣＨ−ＭｏｎｉｔｏｒｉｎｇＯｃｃａｓｉｏｎｓＩｎＦｒａｍｅ＝ｍａｘ−ＰＤＣＣＨ−ＭｏｎｉｔｏｒｉｎｇＯｃｃａｓｉｏｎ＋１）。また、値範囲を定義するためにｍａｘ−ＰＤＣＣＨ−ＭｏｎｉｔｏｒｉｎｇＯｃｃａｓｉｏｎ（またはｍａｘＮｕｍＯｆ−ＰＤＣＣＨ−ＭｏｎｉｔｏｒｉｎｇＯｃｃａｓｉｏｎｓＩｎＦｒａｍｅ）を使用する代わりに、単に、無線フレーム中のＯＦＤＭシンボルの最大数、すなわち、２４０ｋＨｚサブキャリア間隔をもつシステムでは２２４０を使用することができる。その場合、ＡＳＮ．１の例は、以下のようになる。
ｆｉｒｓｔＰＤＣＣＨ−ＭｏｎｉｔｏｒｉｎｇＯｃｃａｓｉｏｎＯｆＰＯ：：＝
ＳＥＱＵＥＮＣＥ（１．．ｍａｘＮｕｍＯｆＰＯｓＩｎＰＦ）  ＯＦ  ＩＮＴＥＧＥＲ（０．．２２３９）
いくつかの実施形態の原理が、図１中の一例において示されている。この例では、関連するパラメータのために使用される値は、以下の通りである。
キャリア周波数：  ＜３ＧＨｚ
サブキャリア間隔：  ３０ｋＨｚ（＝＞スロット持続時間：５００μｓ＝＞無線フレーム中に２０個のスロット）
ＣＯＲＥＳＥＴ長：  ２つのＯＦＤＭシンボル
ビームの数：  ４
ｎＢ：  ２Ｔ（すなわち、ＰＦごとに２つのＰＯ）
Ｍｏｎｉｔｏｒｉｎｇ−ｐｅｒｉｏｄｉｃｉｔｙ−ＰＤＣＣＨ−ｓｌｏｔ：  １
Ｍｏｎｉｔｏｒｉｎｇ−ｏｆｆｓｅｔ−ＰＤＣＣＨ−ｓｌｏｔ：  ０
Ｍｏｎｉｔｏｒｉｎｇ−ｓｙｍｂｏｌｓ−ＰＤＣＣＨ−ｗｉｔｈｉｎ−ｓｌｏｔ：  １１００１１００１１００００
Ｆｉｒｓｔ−ＰＤＣＣＨ−ｍｏｎｉｔｏｒｉｎｇ−ｏｃｃａｓｉｏｎ−ｏｆ−ＰＯ：  （ＰＯ１の場合）３、（ＰＯ２の場合）３３
Ｍｏｎｉｔｏｒｉｎｇ−ｐｅｒｉｏｄｉｃｉｔｙ−ＰＤＣＣＨ−ｓｌｏｔ＝１およびＭｏｎｉｔｏｒｉｎｇ−ｏｆｆｓｅｔ−ＰＤＣＣＨ−ｓｌｏｔ＝０をセットすることは、対応するパラメータｍｏｎｉｔｏｒｉｎｇＳｌｏｔＰｅｒｉｏｄｉｃｉｔｙＡｎｄＯｆｆｓｅｔが、ヌル値にセットされたパラメータｓｌ１を含んでいることを意味することに留意されたい。Ｍｏｎｉｔｏｒｉｎｇ−ｓｙｍｂｏｌｓ−ＰＤＣＣＨ−ｗｉｔｈｉｎ−ｓｌｏｔパラメータは、１４ビット長のビットマップ／ビット列である。このビット列中の各ビットは、スロット中のＯＦＤＭシンボルを表す。１にセットされたビットは、ＯＦＤＭスロットが、監視すべき潜在的ＯＦＤＭスロットであることを意味する。この値は、対応するパラメータｍｏｎｉｔｏｒｉｎｇＳｙｍｂｏｌｓＷｉｔｈｉｎＳｌｏｔに割り振られる。
【００５５】
図７は、ページングフレーム内のページングオケージョンを形成するＰＤＣＣＨ監視オケージョン「バースト」を設定するための提案される方法の一例を示す。
【００５６】
図８は、さらに圧縮して鳥瞰図の時間スケールをもつ別の例を示す。この例では、関連するパラメータのために使用される値は、以下の通りである。
キャリア周波数：  ＜６ＧＨｚ
サブキャリア間隔：  ３０ｋＨｚ（＝＞スロット持続時間：５００μｓ＝＞無線フレーム中に２０個のスロット）
ＣＯＲＥＳＥＴ長：  ２つのＯＦＤＭシンボル
ビームの数：  ８
ｎＢ：  ４Ｔ（すなわち、ＰＦごとに４つのＰＯ）
Ｍｏｎｉｔｏｒｉｎｇ−ｐｅｒｉｏｄｉｃｉｔｙ−ＰＤＣＣＨ−ｓｌｏｔ：  １
Ｍｏｎｉｔｏｒｉｎｇ−ｏｆｆｓｅｔ−ＰＤＣＣＨ−ｓｌｏｔ：  ０
Ｍｏｎｉｔｏｒｉｎｇ−ｓｙｍｂｏｌｓ−ＰＤＣＣＨ−ｗｉｔｈｉｎ−ｓｌｏｔ：  １１００１１００１１００００
Ｆｉｒｓｔ−ＰＤＣＣＨ−ｍｏｎｉｔｏｒｉｎｇ−ｏｃｃａｓｉｏｎ−ｏｆ−ＰＯ：
（ＰＯ１の場合）０、（ＰＯ２の場合）１５、（ＰＯ３の場合）３０、（ＰＯ４の場合）４５
【００５７】
図８は、ページングフレーム内のページングオケージョンを形成するＰＤＣＣＨ監視オケージョン「バースト」を設定するための提案される方法を示す。
【００５８】
各ＰＯの開始を指示するための明示的な値を設定することの代替として、パラメータは、第１のＰＯの第１のＰＤＣＣＨ監視オケージョンを指示する第１の値と、さらに、２つのＰＯ間の（潜在的）ＰＤＣＣＨ監視オケージョンの数を指示する第２の値との形態を有することができる。たとえば、第１の値が４であり、第２の値が８である場合、これは、ＰＦ中の潜在的ＰＤＣＣＨ監視オケージョン番号４が、ＰＦ中の第１のＰＯ中の第１のＰＤＣＣＨ監視オケージョンとなり、第２のＰＯが、潜在的ＰＤＣＣＨ監視オケージョン番号４＋８＝１２で開始することになることを意味する。ＰＦ中に第３および第４のＰＯがある場合、それらは、潜在的ＰＤＣＣＨ監視オケージョン番号１２＋８＝２０および２０＋８＝２８において開始することになる。
【００５９】
仕様テキスト例が以下で説明される。ＴＳ３８．３０４中のセクション７．１中の関係するテキスト変更は、たとえば、以下の通りであり得る。
ＵＥは、電力消費を低減するために、ＲＲＣ＿ＩＤＬＥおよびＲＲＣ＿ＩＮＡＣＴＩＶＥ状態において間欠受信（ＤＲＸ）を使用し得る。ＵＥは、ＤＲＸサイクルごとに１つのページングオケージョン（ＰＯ）を監視する。ＰＯは、ＰＤＣＣＨ監視オケージョンのセットであり、ページングＤＣＩが送られ得る複数のタイムスロット（たとえば、サブフレームまたはＯＦＤＭシンボル）からなり得る［４］。１つのページングフレーム（ＰＦ）は、１つの無線フレームであり、１つまたは複数のＰＯ、またはＰＯの開始ポイントを含んでいることがある。
マルチビーム動作では、１つのＰＯの長さはビーム掃引の１つの期間であり、ＵＥは、掃引パターンのすべてのビームにおいて、同じページングメッセージが繰り返されると仮定することができ、したがって、ページングメッセージの受信のための（１つまたは複数の）ビームの選択は、ＵＥ実装形態次第である。ページングメッセージは、ＲＡＮ始動型ページングとＣＮ始動型ページングの両方について同じである。
ＵＥは、ＲＡＮページングを受信すると、ＲＲＣ接続再開プロシージャを始動する。ＵＥが、ＲＲＣ＿ＩＮＡＣＴＩＶＥ状態においてＣＮ始動型ページングを受信した場合、ＵＥは、ＲＲＣ＿ＩＤＬＥに移行し、ＮＡＳに知らせる。
ＰＦ、ＰＯは、以下の式によって決定される。
ＰＦのためのＳＦＮは、以下によって決定される。
（ＳＦＮ＋ＰＦ＿ｏｆｆｓｅｔ）  ｍｏｄ  Ｔ＝（Ｔ  ｄｉｖ  Ｎ）＊（ＵＥ＿ＩＤ  ｍｏｄ  Ｎ）
ページングＤＣＩのためのＰＤＣＣＨ監視オケージョンのセットの開始を指示する、Ｉｎｄｅｘ（ｉ＿ｓ）は、以下によって決定される。
ｉ＿ｓ＝ｆｌｏｏｒ（ＵＥ＿ＩＤ／Ｎ）  ｍｏｄ  Ｎｓ、ここで、Ｎｓ＝ｍａｘ（１，ｎＢ／Ｔ）
ページングのためのＰＤＣＣＨ監視オケージョンは、設定される場合は、ページングオケージョンごとに使用されるＰＤＣＣＨ送信の数と組み合わせられた、ｐａｇｉｎｇ−ＳｅａｒｃｈＳｐａｃｅおよびＦｉｒｓｔ−ＰＤＣＣＨ−ｍｏｎｉｔｏｒｉｎｇ−ｏｃｃａｓｉｏｎ−ｏｆ−ＰＯに従って、他の場合はデフォルト関連付けに従って（すなわち、ページングのためのＰＤＣＣＨ監視オケージョンは、［４］中のセクション１３中で定義されているＲＭＳＩの場合と同じである）、決定される。
デフォルト関連付けの場合、Ｎｓは、１または２のいずれかである。Ｎｓ＝１の場合、ＰＦ中で開始する１つのＰＯのみがある。Ｎｓ＝２の場合、ＰＯは、ＰＦの前半フレーム（ｉ＿ｓ＝０）または後半フレーム（ｉ＿ｓ＝１）のいずれか中にある。
非デフォルト関連付けの場合（すなわち、ｐａｇｉｎｇ−ＳｅａｒｃｈＳｐａｃｅが使用されるとき）、ＵＥは、ＰＦ中で第１のＰＯが開始する場合の第（ｉ＿ｓ＋１）のＰＯを監視する。Ｆｉｒｓｔ−ＰＤＣＣＨ−ｍｏｎｉｔｏｒｉｎｇ−ｏｃｃａｓｉｏｎ−ｏｆ−ＰＯが存在するとき、ＵＥは、ＰＦ中の各ＰＯのための第１のＰＤＣＣＨ監視オケージョンが、Ｆｉｒｓｔ−ＰＤＣＣＨ−ｍｏｎｉｔｏｒｉｎｇ−ｏｃｃａｓｉｏｎ−ｏｆ−ＰＯによって指示される場合の、第（ｉ＿ｓ＋１）のＰＯを監視する。
以下のパラメータが、上記のＰＦおよびｉ＿ｓの計算のために使用される。
Ｔ：ＵＥのＤＲＸサイクル（Ｔは、ＲＲＣまたは上位レイヤによって設定された場合のＵＥ固有ＤＲＸ値と、システム情報中でブロードキャストされるデフォルトＤＲＸ値とのうちの最も短いものによって決定される。ＵＥ固有ＤＲＸが上位レイヤによって設定されない場合、デフォルト値が適用される）
ｎＢ：Ｔ中の総ページングオケージョンの数
Ｎ：ｍｉｎ（Ｔ，ｎＢ）
ＰＦ＿ｏｆｆｓｅｔ：ＰＦ決定のために使用されるオフセット
ＵＥ＿ＩＤ：ＩＭＳＩ  ｍｏｄ  １０２４
Ｆｉｒｓｔ−ＰＤＣＣＨ−ｍｏｎｉｔｏｒｉｎｇ−ｏｃｃａｓｉｏｎ−ｏｆ−ＰＯ：ページングオケージョンの第１のＰＤＣＣＨ監視オケージョン
パラメータｎＢ、ＰＦ＿ｏｆｆｓｅｔ、ｆｉｒｓｔＰＤＣＣＨ−ＭｏｎｉｔｏｒｉｎｇＯｃｃａｓｉｏｎＯｆＰＯ、およびデフォルトＤＲＸサイクルの長さは、ＳｙｓｔｅｍＩｎｆｏｒｍａｔｉｏｎＢｌｏｃｋ１中でシグナリングされる。
ＵＥがＩＭＳＩを有しない場合、たとえば、ＵＳＩＭをもたない緊急呼を行うとき、ＵＥは、上記のＰＦおよびｉ＿ｓ式中でデフォルト識別情報としてＵＥ＿ＩＤ＝０を使用するものとする。
ＩＭＳＩは、整数型の数字のシーケンス（０．．９）として与えられる。ＩＭＳＩは上記の式中で１０進整数として解釈されるものとし、シーケンス中で与えられる第１の数字が最上位桁を表す。
たとえば、
ＩＭＳＩ＝１２（ｄｉｇｉｔ１＝１、ｄｉｇｉｔ２＝２）
計算では、これは、「１×１６＋２＝１８」ではなく、１０進整数「１２」として解釈されるものとする。
【００６０】
ＴＳ３８．３３１中の関係するテキスト変更が、たとえば、以下で説明されるように提供され得る。
【００６１】
情報エレメント（ＩＥ）ＤｏｗｎｌｉｎｋＣｏｎｆｉｇＣｏｍｍｏｎが、セルの共通ダウンリンクパラメータを提供し、ＤｏｗｎｌｉｎｋＣｏｎｆｉｇＣｏｍｍｏｎＳＩＢ情報エレメントが、発明概念のいくつかの実施形態による、図９に示されているように提供され得る。
【００６２】
ＲＲＣ多重度およびタイプ制約値／定義が、発明概念のいくつかの実施形態による、図１０および図１１に示されているように提供され得る。
【００６３】
発明概念の第２の実施形態が、以下で説明される。
【００６４】
発明概念の第２の実施形態では、Ｆｉｒｓｔ−ＰＤＣＣＨ−ｍｏｎｉｔｏｒｉｎｇ−ｏｃｃａｓｉｏｎ−ｏｆ−ＰＯパラメータは導入されない。代わりに、ｐａｇｉｎｇ−ＳｅａｒｃｈＳｐａｃｅパラメータ（すなわち、ＴＳ３８．２１３専門用語ではＭｏｎｉｔｏｒｉｎｇ−ｐｅｒｉｏｄｉｃｉｔｙ−ＰＤＣＣＨ−ｓｌｏｔ、Ｍｏｎｉｔｏｒｉｎｇ−ｏｆｆｓｅｔ−ＰＤＣＣＨ−ｓｌｏｔおよびＭｏｎｉｔｏｒｉｎｇ−ｓｙｍｂｏｌｓ−ＰＤＣＣＨ−ｗｉｔｈｉｎ−ｓｌｏｔパラメータ、またはＴＳ３８．３３１専門用語ではｍｏｎｉｔｏｒｉｎｇＳｌｏｔＰｅｒｉｏｄｉｃｉｔｙＡｎｄＯｆｆｓｅｔおよびｍｏｎｉｔｏｒｉｎｇＳｙｍｂｏｌｓＷｉｔｈｉｎＳｌｏｔパラメータ）は、それらが、ページングのために使用されるビームの数（すなわち、ＳＳバーストセット中のＳＳＢ送信のために使用されるビームの数）に一致するＰＤＣＣＨ監視オケージョンの数、すなわち、ＰＯを形成するビーム掃引をなすＰＤＣＣＨビーム送信のみを設定するように解釈される。ＰＦ中の複数のＰＯを設定するために、ネットワークは、代わりに、Ｍｏｎｉｔｏｒｉｎｇ−ｏｆｆｓｅｔ−ＰＤＣＣＨ−ｓｌｏｔパラメータの複数のインスタンス（ＰＦ中の各時間多重化ＰＯについて１つ）を提供／設定する。Ｍｏｎｉｔｏｒｉｎｇ−ｏｆｆｓｅｔ−ＰＤＣＣＨ−ｓｌｏｔパラメータの各々は、その場合、新しいＰＯの始まりをマークすることになり、ｐａｇｉｎｇ−ＳｅａｒｃｈＳｐａｃｅ中の他の２つのパラメータ、すなわち、Ｍｏｎｉｔｏｒｉｎｇ−ｐｅｒｉｏｄｉｃｉｔｙ−ＰＤＣＣＨ−ｓｌｏｔおよびＭｏｎｉｔｏｒｉｎｇ−ｓｙｍｂｏｌｓ−ＰＤＣＣＨ−ｗｉｔｈｉｎ−ｓｌｏｔパラメータは、その場合、これらのＭｏｎｉｔｏｒｉｎｇ−ｏｆｆｓｅｔ−ＰＤＣＣＨ−ｓｌｏｔパラメータの各々において開始して、ページングのために使用されるビームの数に一致する、ＰＤＣＣＨ監視オケージョンの別のセットを設定するために使用されることになる。
【００６５】
たとえば、Ｍｏｎｉｔｏｒｉｎｇ−ｏｆｆｓｅｔ−ＰＤＣＣＨ−ｓｌｏｔパラメータは、多値パラメータに変更され得、たとえば、その多値パラメータは、整数値のシーケンスからなり、それらの整数値は、各々が、ページングフレームの開始からのオフセットを表し、したがって、ＰＯを形成するＰＤＣＣＨ監視オケージョンのセットの開始を表す。
【００６６】
この実施形態の変形態では、Ｍｏｎｉｔｏｒｉｎｇ−ｏｆｆｓｅｔ−ＰＤＣＣＨ−ｓｌｏｔパラメータの多重度、すなわち、ＰＯ設定の多重度は、システム情報中のｍｏｎｉｔｏｒｉｎｇＳｌｏｔＰｅｒｉｏｄｉｃｉｔｙＡｎｄＯｆｆｓｅｔパラメータのセットとして、または、ｍｏｎｉｔｏｒｉｎｇＳｌｏｔＰｅｒｉｏｄｉｃｉｔｙＡｎｄＯｆｆｓｅｔパラメータを、たとえば値のシーケンスを含んでいる、多値パラメータにすることによって、実現される。これは、Ｍｏｎｉｔｏｒｉｎｇ−ｐｅｒｉｏｄｉｃｉｔｙ−ＰＤＣＣＨ−ｓｌｏｔパラメータへの対応も、複数のインスタンスにおいて、または複数の値で、提供されることになることを意味する。
【００６７】
発明概念の第３の実施形態が、以下で説明される。
【００６８】
第３の実施形態では、この実施形態もＦｉｒｓｔ−ＰＤＣＣＨ−ｍｏｎｉｔｏｒｉｎｇ−ｏｃｃａｓｉｏｎ−ｏｆ−ＰＯパラメータがなく、ｐａｇｉｎｇ−ＳｅａｒｃｈＳｐａｃｅパラメータは、実施形態２の場合のように、すなわち、それらが、ページングのために使用されるビームの数（すなわち、ＳＳバーストセット中のＳＳＢ送信のために使用されるビームの数）に一致するＰＤＣＣＨ監視オケージョンの数、すなわち、ＰＯを形成するビーム掃引をなすＰＤＣＣＨビーム送信のみを設定するように、解釈される。ＰＦ中の複数のＰＯを設定するために、ネットワークは、ｐａｇｉｎｇ−ＳｅａｒｃｈＳｐａｃｅパラメータの複数のセット（ＰＦ中の各ＰＯについて１つ）を設定する。システム情報において（およびＴＳ３８．３３１専門用語では）、これは、ｍｏｎｉｔｏｒｉｎｇＳｌｏｔＰｅｒｉｏｄｉｃｉｔｙＡｎｄＯｆｆｓｅｔパラメータおよびｍｏｎｉｔｏｒｉｎｇＳｙｍｂｏｌｓＷｉｔｈｉｎＳｌｏｔパラメータの複数のインスタンスとして実現され得る（これはまた、これらのパラメータを、たとえば値のシーケンスの形態の、多値パラメータにすることによって、達成され得る）。
【００６９】
発明概念の第４の実施形態が、以下で説明される。
【００７０】
また別の実施形態（これは上記の他の実施形態のいずれかと組み合わせられることになるか、またはこれは上記の他の実施形態のいずれかを補完することになる）では、（実施形態１における）ＰＤＣＣＨ監視オケージョンの「バースト」中のＰＤＣＣＨ監視オケージョンの数、または（実施形態２および３における）ｐａｇｉｎｇ−ＳｅａｒｃｈＳｐａｃｅパラメータの単一のセット（またはｐａｇｉｎｇ−ＳｅａｒｃｈＳｐａｃｅパラメータ値の単一のセット）によって設定されると見なされるＰＤＣＣＨ監視オケージョンの数は、ＳＳバーストセット中のＳＳＢビームの数によって暗黙的に指定されないが、代わりに明示的に設定される。この明示的設定は、たとえば、Ｎｕｍｂｅｒ−ｏｆ−ｐａｇｉｎｇ−ｂｅａｍｓ−ｉｎ−ＰＯまたはＮｕｍｂｅｒ−ｏｆ−ＰＤＣＣＨ−ｍｏｎｉｔｏｒｉｎｇ−ｏｃｃａｓｉｏｎｓ−ｉｎ−ＰＯと示される、新しいパラメータの形態になり得る。この新しいパラメータは、ｐａｇｉｎｇ−ＳｅａｒｃｈＳｐａｃｅパラメータの一部として見られ得るか、または、たとえば、システム情報中の（およびＴＳ３８．３３１中の）ＰＣＣＨ−Ｃｏｎｆｉｇパラメータ中に含まれる、別個のパラメータとして提供され得る。
【００７１】
いくつかの実施形態によれば、ｐａｇｉｎｇ−ＳｅａｒｃｈＳｐａｃｅパラメータおよび／またはそれらの解釈は、グループ／「バースト」間にギャップがある（好ましくは、比較的密にパックされたＰＤＣＣＨ監視オケージョンによる）ＰＤＣＣＨ監視オケージョンのページング形態グループまたは「バースト」のために使用されるビーム送信に一致する、設定されたＰＤＣＣＨ監視オケージョンを作るために、補完、修正、および／または変更され得、各そのようなグループ／「バースト」が、ページングオケージョンをなす。
【００７２】
上記で説明された第１、第２、および第３の実施形態の各々は、わずかに異なるやり方において、この目標を達成し得る。いくつかの実施形態によれば、１つまたは複数のパラメータは、ＰＯをなすＰＤＣＣＨ監視オケージョンの各グループ／「バースト」の（たとえば、第１のＰＤＣＣＨ監視オケージョンの形態の）開始を指すために使用され得る。
【００７３】
次に、発明概念のいくつかの実施形態による、図４のフローチャートを参照しながら、無線デバイスＵＥの動作が説明される。たとえば、モジュールは、図１の無線端末メモリ４００５に記憶され得、これらのモジュールは、モジュールの命令が無線デバイスプロセッサ４００３によって実行されたとき、プロセッサ４００３が図４のフローチャートのそれぞれの動作を実施するような命令を提供し得る。
【００７４】
ブロック４０１において、プロセッサ４００３は、ページングフレームにわたって分散された複数の潜在的ＰＤＣＣＨ監視オケージョンを定義することと、（ページングフレームに関連付けられ得る）少なくとも１つのページングオケージョンを定義することとを行うパラメータを（トランシーバ４００１を通して）受信し得る。たとえば、パラメータは、複数のページングオケージョンを定義し得、複数のページングオケージョンの各々が、複数の潜在的ＰＤＣＣＨ監視オケージョンのそれぞれのサブセットを含み、連続するページングオケージョンが時間的に離間しており、それらの間の複数の潜在的ＰＤＣＣＨ監視オケージョンのうちの少なくとも１つが、複数のページングオケージョンのいずれの中にも含まれない（したがって、ページングのために未使用である）。さらに、または一代替では、複数の潜在的ＰＤＣＣＨ監視オケージョンのうちの少なくとも１つが、ページングフレームの始まりと少なくとも１つのページングオケージョンとの間にあり得、複数の潜在的ＰＤＣＣＨ監視オケージョンのうちの少なくとも１つは、ページングフレームのいかなるページングオケージョン中にも含まれない（したがって、ページングのために未使用である）。
【００７５】
たとえば、２つの連続するページングオケージョン間の複数の潜在的ＰＤＣＣＨ監視オケージョンのうちの１つが、ページングフレームのいかなるページングオケージョン中にも含まれ得ず、ページングフレームの始まりとフレームのページングオケージョンのうちの第１のものとの間の複数の潜在的ＰＤＣＣＨ監視オケージョンのうちの別のものが、ページングフレームのいかなるページングオケージョン中にも含まれ得ない。
【００７６】
パラメータは、複数のページングオケージョンの各々の長さを、ページングオケージョン中に含まれる潜在的ＰＤＣＣＨ監視オケージョンの数として、および／またはページングオケージョン中にページを送信するために使用されるビームの数として定義する長さパラメータを含み得る。パラメータは、ページングフレームの始まりに対する、それぞれのページングオケージョンの各々についてのそれぞれのオフセットを定義するオフセットパラメータ（たとえば、ｆｉｒｓｔＰＤＣＣＨ−ＭｏｎｉｔｏｒｉｎｇＯｃｃａｓｉｏｎＯｆＰＯ情報エレメント）を含み得、オフセットパラメータは、潜在的ＰＤＣＣＨ監視オケージョンの数に基づいて定義され得る。
【００７７】
ブロック４０３において、プロセッサ４００３は、複数の潜在的ＰＤＣＣＨ監視オケージョンと複数のページングオケージョンとを定義するパラメータに基づいて、ページングメッセージを監視し得る。たとえば、監視することは、複数のページングオケージョンのいずれの中にも含まれない複数の潜在的ＰＤＣＣＨ監視オケージョンのうちの少なくとも１つを監視することなしに、ページングオケージョン中に含まれる潜在的ＰＤＣＣＨ監視オケージョンを使用して、ページングメッセージを監視することを含み得る。
【００７８】
ブロック４０５において、プロセッサ４００３は、パラメータによって定義されたページングオケージョンのうちの少なくとも１つ中に含まれる複数の潜在的ＰＤＣＣＨ監視オケージョンのうちの少なくとも１つを使用して、無線デバイスのためのページングメッセージを（トランシーバ４００１を通して）受信し得る。
【００７９】
ブロック４０７において、プロセッサ４００３は、ページングメッセージを受信したことに応答して、アップリンク通信を（トランシーバ４００１を通して）送信し得る。
【００８０】
図４のフローチャートからの様々な動作は、無線デバイスおよび関係する方法のいくつかの実施形態に関して随意であり得る。（以下に記載される）例示的な実施形態１６の方法に関して、たとえば、図４のブロック４０５および４０７の動作は随意であり得る。
【００８１】
次に、図３のフローチャートを参照しながら、基地局ｇＮＢの動作が説明される。たとえば、モジュールは、図２の基地局メモリ５００５に記憶され得、これらのモジュールは、モジュールの命令がプロセッサ５００３によって実行されたとき、プロセッサ５００３が図３のフローチャートのそれぞれの動作を実施するような命令を提供し得る。
【００８２】
ブロック３０１において、プロセッサ５００３は、ページングフレームにわたって分散された複数の潜在的ＰＤＣＣＨ監視オケージョンを定義することと、（ページングフレームに関連付けられ得る）少なくとも１つのページングオケージョンを定義することとを行うパラメータを生成し得る。たとえば、パラメータは、複数のページングオケージョンを定義し得、複数のページングオケージョンの各々が、複数の潜在的ＰＤＣＣＨ監視オケージョンのそれぞれのサブセットを含み、連続するページングオケージョンが時間的に離間しており、それらの間の複数の潜在的ＰＤＣＣＨ監視オケージョンのうちの少なくとも１つが、複数のページングオケージョンのいずれの中にも含まれない（したがって、ページングのために未使用である）。さらに、または一代替では、複数の潜在的ＰＤＣＣＨ監視オケージョンのうちの少なくとも１つが、ページングフレームの始まりと少なくとも１つのページングオケージョンとの間にあり得、複数の潜在的ＰＤＣＣＨ監視オケージョンのうちの少なくとも１つは、ページングフレームのいかなるページングオケージョン中にも含まれない（したがって、ページングのために未使用である）。
【００８３】
たとえば、２つの連続するページングオケージョン間の複数の潜在的ＰＤＣＣＨ監視オケージョンのうちの１つが、ページングフレームのいかなるページングオケージョン中にも含まれ得ず、ページングフレームの始まりとフレームのページングオケージョンのうちの第１のものとの間の複数の潜在的ＰＤＣＣＨ監視オケージョンのうちの別のものが、ページングフレームのいかなるページングオケージョン中にも含まれ得ない。
【００８４】
パラメータは、複数のページングオケージョンの各々の長さを、ページングオケージョン中に含まれる潜在的ＰＤＣＣＨ監視オケージョンの数として、および／またはページングオケージョン中にページを送信するために使用されるビームの数として定義する長さパラメータを含み得る。パラメータは、ページングフレームの始まりに対する、それぞれのページングオケージョンの各々についてのそれぞれのオフセットを定義するオフセットパラメータ（たとえば、ｆｉｒｓｔＰＤＣＣＨ−ＭｏｎｉｔｏｒｉｎｇＯｃｃａｓｉｏｎＯｆＰＯ情報エレメント）を含み得、オフセットパラメータは、潜在的ＰＤＣＣＨ監視オケージョンの数に基づいて定義され得る。
【００８５】
ブロック３０３において、プロセッサ５００３は、パラメータを無線インターフェース上で無線デバイスに（トランシーバ５００１を通して）送信し得る。
【００８６】
ブロック３０５において、プロセッサ５００３は、パラメータによって定義されたページングオケージョンのうちの少なくとも１つ中に含まれる複数の潜在的ＰＤＣＣＨ監視オケージョンのうちの少なくとも１つを使用して、無線デバイスのためのページングメッセージを（トランシーバ５００１を通して）送信し得る。たとえば、ページングオケージョンについてのサブセットの複数の潜在的ＰＤＣＣＨ監視オケージョンは、異なるビームに関連付けられ得、無線端末のためのページングメッセージは、そのページングメッセージが、異なるビームを使用する、ページングオケージョンについてのサブセットの複数の潜在的ＰＤＣＣＨ監視オケージョンのうちの少なくとも２つを使用して送信されるように、複数のページングオケージョンのうちの１つを使用して送信され得る。
【００８７】
ブロック３０７において、プロセッサ５００３は、複数のページングオケージョンのいずれの中にも含まれない複数の潜在的ＰＤＣＣＨ監視オケージョンのうちの少なくとも１つを含むリソースを使用して、第２の無線デバイスのための送信をスケジュールし得る。
【００８８】
ブロック３０９において、プロセッサ５００３は、複数のページングオケージョンのいずれの中にも含まれない複数の潜在的ＰＤＣＣＨ監視オケージョンのうちの少なくとも１つを含むリソースを使用して、第２の無線デバイスと基地局との間の送信を通信し得る。たとえば、送信はアップリンク送信であり得、アップリンク送信をスケジュールすることは、第２の無線デバイスのためのＴＤＤアップリンク送信をスケジュールすることを含む。
【００８９】
図３のフローチャートからの様々な動作は、基地局および関係する方法のいくつかの実施形態に関して随意であり得る。（以下に記載される）例示的な実施形態１の方法に関して、たとえば、図３のブロック３０５、３０７、および３０９の動作は随意であり得る。
【００９０】
発明概念の例示的な実施形態が、以下で説明される。
１．  無線通信ネットワークの基地局を動作させる方法であって、方法は、ページングフレームにわたって分散された複数の潜在的監視オケージョンを定義することと、ページングフレームにわたって分散された複数のページングオケージョンを定義することとを行うパラメータを生成すること（３０１）であって、複数のページングオケージョンの各々が、複数の潜在的監視オケージョンのそれぞれのサブセットを含み、ページングフレームの連続するページングオケージョンが時間的に離間しており、それらの間の潜在的監視オケージョンのうちの少なくとも１つが、ページングフレームにわたって分散された複数のページングオケージョンのいずれの中にも含まれない、パラメータを生成すること（３０１）と、パラメータを無線インターフェース上で無線デバイスに送信すること（３０３）とを含む、方法。
２．  パラメータによって定義されたページングフレームのページングオケージョンのうちの少なくとも１つ中に含まれる潜在的監視オケージョンのうちの少なくとも１つを使用して、無線デバイスのためのページングメッセージを送信すること（３０５）をさらに含む、実施形態１または２に記載の方法。
３．  複数のページングオケージョンの各々が、各々がそれぞれの異なるビームに関連付けられている複数の潜在的監視オケージョンをもつそれぞれのサブセットを含む、実施形態１または２に記載の方法。
４．  無線端末のためのページングメッセージが、それぞれの異なるビームを使用する、ページングオケージョンの潜在的監視オケージョンの各々を使用して送信されるように、複数のページングオケージョンのうちの１つを使用して、ページングメッセージを送信すること（３０５）をさらに含む、実施形態３に記載の方法。
５．  複数のページングオケージョンのいずれの中にも含まれない潜在的監視オケージョンのうちの少なくとも１つを含むリソースを使用して、第２の無線デバイスのためのアップリンク送信をスケジュールすること（３０７）をさらに含む、実施形態１から４のいずれか１つに記載の方法。
６．  アップリンク送信をスケジュールすることが、第２の無線デバイスのためのＴＤＤアップリンク送信をスケジュールすることを含む、実施形態５に記載の方法。
７．  ページングフレームが２０個のスロットに分割され、複数のページングオケージョンの各々が、スロットの持続時間よりも大きい持続時間を有する、実施形態１から６のいずれか１つに記載の方法。
８．  各スロットが１４個のシンボルを含み、潜在的監視オケージョンの各々が、少なくとも１つのシンボルかつ４つ以下のシンボルの持続時間を有する、実施形態７に記載の方法。
９．  パラメータが、複数のページングオケージョンの各々の長さを、ページングオケージョン中に含まれる潜在的監視オケージョンの数として定義する長さパラメータを含む、実施形態１から８のいずれか１つに記載の方法。
１０．  パラメータが、複数のページングオケージョンの各々の長さを、ページングオケージョン中にページを送信するために使用されるビームの数として定義する長さパラメータを含む、実施形態１から８のいずれか１つに記載の方法。
１１．  パラメータが、フレームの始まりに対する、それぞれのページングオケージョンの各々についてのそれぞれのオフセットを定義するオフセットパラメータを含む、実施形態１から１０のいずれか１つに記載の方法。
１２．  オフセットパラメータが、潜在的監視オケージョンの数に基づいて定義される、実施形態１１に記載の方法。
１３．  パラメータが、フレームの始まりに対するフレームのページングオケージョンのうちの最初のもののオフセットを定義する最初のオフセットパラメータと、フレームの連続するページングオケージョン間のオフセットを定義する後続のオフセットパラメータとを含む、実施形態１から１０のいずれか１つに記載の方法。
１４．  最初のオフセットパラメータが、最初のページングオケージョンの前のフレームの未使用の潜在的監視オケージョンの数に基づいて定義され、後続のオフセットパラメータが、フレームの連続するページングオケージョン間の未使用の潜在的監視オケージョンの数に基づいて定義される、実施形態１３に記載の方法。
１５．  連続するページングオケージョン間の複数の潜在的監視オケージョンのうちの少なくとも１つが、ページングのために未使用である、実施形態１から１４のいずれか１つに記載の方法。
１６．  無線通信ネットワークにおいて無線デバイスを動作させる方法であって、方法は、ページングフレームにわたって分散された複数の潜在的監視オケージョンを定義することと、ページングフレームにわたって分散された複数のページングオケージョンを定義することとを行うパラメータを受信すること（４０１）であって、複数のページングオケージョンの各々が、複数の潜在的監視オケージョンのそれぞれのサブセットを含み、ページングフレームの連続するページングオケージョンが時間的に離間しており、それらの間の潜在的監視オケージョンのうちの少なくとも１つが、ページングフレームにわたって分散された複数のページングオケージョンのいずれの中にも含まれない、パラメータを受信すること（４０１）と、複数の潜在的監視オケージョンと複数のページングオケージョンとを定義するパラメータに基づいて、ページングメッセージを監視すること（４０３）とを含む、方法。
１７．  パラメータによって定義されたページングフレームのページングオケージョンのうちの少なくとも１つ中に含まれる潜在的監視オケージョンのうちの少なくとも１つを使用して、無線デバイスのためのページングメッセージを受信すること（４０５）をさらに含む、実施形態１６に記載の方法。
１８．  ページングメッセージを受信したことに応答して、アップリンク通信を送信すること（４０７）をさらに含む、実施形態１７に記載の方法。
１９．  監視することが、複数のページングオケージョンのいずれの中にも含まれない潜在的監視オケージョンのうちの少なくとも１つを監視することなしに、フレームのページングオケージョンに含まれる潜在的監視オケージョンを使用して、ページングメッセージを監視することを含む、実施形態１６から１８のいずれか１つに記載の方法。
２０．  ページングフレームが２０個のスロットに分割され、複数のページングオケージョンの各々が、スロットの持続時間よりも大きい持続時間を有する、実施形態１６から１９のいずれか１つに記載の方法。
２１．  各スロットが１４個のシンボルを含み、潜在的監視オケージョンの各々が、少なくとも１つのシンボルかつ４つ以下のシンボルの持続時間を有する、実施形態２０に記載の方法。
２２．  パラメータが、複数のページングオケージョンの各々の長さを、ページングオケージョン中に含まれる潜在的監視オケージョンの数として定義する長さパラメータを含む、実施形態１６から２１のいずれか１つに記載の方法。
２３．  パラメータが、複数のページングオケージョンの各々の長さを、ページングオケージョン中にページを送信するために使用されるビームの数として定義する長さパラメータを含む、実施形態１６から２１のいずれか１つに記載の方法。
２４．  パラメータが、フレームの始まりに対する、それぞれのページングオケージョンの各々についてのそれぞれのオフセットを定義するオフセットパラメータを含む、実施形態１６から２３のいずれか１つに記載の方法。
２５．  オフセットパラメータが、潜在的監視オケージョンの数に基づいて定義される、実施形態２４に記載の方法。
２６．  パラメータが、フレームの始まりに対するフレームのページングオケージョンのうちの最初のもののオフセットを定義する最初のオフセットパラメータと、フレームの連続するページングオケージョン間のオフセットを定義する後続のオフセットパラメータとを含む、実施形態１６から２３のいずれか１つに記載の方法。
２７．  最初のオフセットパラメータが、最初のページングオケージョンの前のフレームの未使用の潜在的監視オケージョンの数に基づいて定義され、後続のオフセットパラメータが、フレームの連続するページングオケージョン間の未使用の潜在的監視オケージョンの数に基づいて定義される、実施形態２６に記載の方法。
２８．  連続するページングオケージョン間の複数の潜在的監視オケージョンのうちの少なくとも１つが、ページングのために未使用である、実施形態１６から２７のいずれか１つに記載の方法。
２９．  複数のページングオケージョンのいずれの中にも含まれない潜在的監視オケージョンのうちの少なくとも１つを含むリソースを使用して、スケジュールされた第２の無線デバイスからアップリンク送信を受信すること（３０９）をさらに含む、実施形態５に記載の方法。
３０．  実施形態１６から２８のいずれか１つに従って実施するように適応された無線デバイス（４０００）。
３１．  実施形態１から１５および２９のいずれか１つに従って実施するように適応されたネットワークノード（５０００）。
３２．  プロセッサ（４００３）と、プロセッサに結合されたメモリ（４００５）とを備え、メモリが、プロセッサによって実行されたとき、プロセッサに、実施形態１６から２８のいずれか１つに記載の動作を実施させる命令を備える、無線デバイス（４０００）。
３３．  プロセッサ（５００３）と、プロセッサに結合されたメモリ（５００５）とを備え、メモリが、プロセッサによって実行されたとき、プロセッサに、実施形態１から１５および２９のいずれか１つに記載の動作を実施させる命令を備える、ネットワークノード（５０００）。
【００９１】
本開示からの略語／頭字語が以下で説明される。
略語  説明
３ＧＰＰ  第３世代パートナーシッププロジェクト
５Ｇ  第５世代
５Ｇ−Ｓ−ＴＭＳＩ  ＬＴＥにおけるＳ−ＴＭＳＩの置き換えとしてＮＲにおいて使用される一時識別子。
ＡＳＮ．１  抽象構文記法１
ＣＭＡＳ  商用モバイル警告システム
ＣＮ  コアネットワーク
ＣＯＲＥＳＥＴ  制御リソースセット
ＣＲＣ  巡回冗長検査
ＤＣＩ  ダウンリンク制御情報
ｄｉｖ  整数除算を指示する記法。
ＤＬ  ダウンリンク
ＤＲＸ  間欠受信
ｅＤＲＸ  拡張ＤＲＸ
ｅＮＢ  エボルブドノードＢ
ＥＴＷＳ  地震および津波警報システム
ＧＨｚ  ギガヘルツ
ｇＮＢ  （ＬＴＥにおけるｅＮＢに対応する）ＮＲにおける無線基地局のための用語。
ＩＤ  識別情報／識別子
ＩＭＳＩ  国際モバイル加入者識別情報
ＩｖＤ  発明開示
ＬＴＥ  Ｌｏｎｇ  Ｔｅｒｍ  Ｅｖｏｌｕｔｉｏｎ
ＭＩＢ  マスタ情報ブロック
ｍｏｄ  モジュロ
ｍｓ  ミリ秒
ＭＳＩ  最小システム情報
ＮＡＳ  非アクセス階層
ＮＲ  新無線（３ＧＰＰが取り組んでいる技術報告および標準仕様において５Ｇ無線インターフェースおよび無線アクセスネットワークのために使用される用語。）
ＯＦＤＭ  直交周波数分割多重
ＯＳＩ  他のシステム情報
ＰＢＣＨ  物理ブロードキャストチャネル
ＰＣＩ  物理セル識別情報
ＰＤＣＣＨ  物理ダウンリンク制御チャネル
ＰＤＳＣＨ  物理ダウンリンク共有チャネル
ＰＦ  ページングフレーム
ＰＯ  ページングオケージョン
Ｐ−ＲＮＴＩ  ページングＲＮＴＩ
ＰＳＳ  １次同期信号
ＱＣＬ  擬似コロケートされる
ＲＡＮ  ランダムアクセスネットワーク
ＲＭＳＩ  残余最小システム情報
ＲＮＡ  ＲＡＮ通知エリア
ＲＮＴＩ  無線ネットワーク一時識別子
ＲＲＣ  無線リソース制御
ＳＣＳ  サブキャリア間隔
ＳＦＮ  システムフレーム番号
ＳＩ  システム情報
ＳＩＢ  システム情報ブロック
ＳＳ  同期信号
ＳＳＢ  ＳＳブロック
ＳＳＳ  ２次同期信号
Ｓ−ＴＭＳＩ  Ｓ−一時モバイル加入者識別情報
ＴＤＤ  時分割複信
ＴＲＰ  送信／受信ポイント
ＴＳ  技術仕様
ＴＳＧ  技術仕様グループ
ＵＥ  ユーザ機器
ＷＧ  ワーキンググループ
【００９２】
本開示からの参考文献についての引用が以下で提供される。
［１］Ｒ２−１８０７６８９「Ｒｅｆｅｒｅｎｃｅ  Ｆｒａｍｅ  ＆  ＰＯ  Ｄｅｔｅｒｍｉｎａｔｉｏｎ：Ｎｏｎ  Ｄｅｆａｕｌｔ  Ａｓｓｏｃｉａｔｉｏｎ」、２０１８年５月２１日〜５月２５日、韓国、釜山における、３ＧＰＰ  ＴＳＧ−ＲＡＮ  ＷＧ２会議＃１０２へのＳａｍｓｕｎｇによる寄与文書
【００９３】
例示的な実施形態が、コンピュータ実装方法、装置（システムおよび／またはデバイス）および／またはコンピュータプログラム製品のブロック図および／またはフローチャート例示を参照しながら本明細書で説明される。ブロック図および／またはフローチャート例示のブロック、ならびにブロック図および／またはフローチャート例示中のブロックの組合せが、１つまたは複数のコンピュータ回路によって実施されるコンピュータプログラム命令によって実装され得ることを理解されたい。これらのコンピュータプログラム命令は、汎用コンピュータ回路、専用コンピュータ回路、および／またはマシンを作り出すための他のプログラマブルデータ処理回路のプロセッサ回路に提供され得、したがって、コンピュータおよび／または他のプログラマブルデータ処理装置のプロセッサを介して実行する命令は、ブロック図および／またはフローチャートの１つまたは複数のブロックにおいて指定された機能／行為を実装するために、およびそれにより、ブロック図および／またはフローチャートの（１つまたは複数の）ブロックにおいて指定された機能／行為を実装するための手段（機能）および／または構造を作成するために、トランジスタ、メモリロケーションに記憶された値、およびそのような回路内の他のハードウェア構成要素を変換および制御する。
【００９４】
これらのコンピュータプログラム命令はまた、コンピュータまたは他のプログラマブルデータ処理装置に特定の様式で機能するように指示することができる、有形コンピュータ可読媒体に記憶され得、したがって、コンピュータ可読媒体に記憶された命令は、ブロック図および／またはフローチャートの１つまたは複数のブロックにおいて指定された機能／行為を実装する命令を含む製造品を作り出す。したがって、本発明概念の実施形態は、ハードウェアで、および／または「回路」、「モジュール」またはそれらの変形態と総称して呼ばれることがある、デジタル信号プロセッサなどのプロセッサ上で稼働する（ファームウェア、常駐ソフトウェア、マイクロコードなどを含む）ソフトウェアで具現され得る。
【００９５】
以下では、追加の実施形態が、図１２および以下の図を参照しながら説明される。簡単のために、図１２の無線ネットワークは、ネットワークＱＱ１０６、ネットワークノードＱＱ１６０およびＱＱ１６０ｂ、ならびに（モバイル端末とも呼ばれる）ＷＤ  ＱＱ１１０、ＱＱ１１０ｂ、およびＱＱ１１０ｃのみを図示する。実際には、無線ネットワークは、無線デバイス間の通信、あるいは無線デバイスと、固定電話、サービスプロバイダ、または任意の他のネットワークノードもしくはエンドデバイスなどの別の通信デバイスとの間の通信をサポートするのに好適な任意の追加のエレメントをさらに含み得る。示されている構成要素のうち、ネットワークノードＱＱ１６０および無線デバイス（ＷＤ）ＱＱ１１０は、追加の詳細とともに図示される。無線ネットワークは、１つまたは複数の無線デバイスに通信および他のタイプのサービスを提供して、無線デバイスの、無線ネットワークへのアクセス、および／あるいは、無線ネットワークによってまたは無線ネットワークを介して提供されるサービスの使用を容易にし得る。
【００９６】
無線ネットワークは、任意のタイプの通信、通信、データ、セルラー、および／または無線ネットワーク、あるいは他の同様のタイプのシステムを備え、および／またはそれらとインターフェースし得る。いくつかの実施形態では、無線ネットワークは、特定の規格あるいは他のタイプのあらかじめ定義されたルールまたはプロシージャに従って動作するように設定され得る。したがって、無線ネットワークの特定の実施形態は、汎欧州デジタル移動電話方式（ＧＳＭ）、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）、Ｌｏｎｇ  Ｔｅｒｍ  Ｅｖｏｌｕｔｉｏｎ（ＬＴＥ）、ならびに／あるいは他の好適な２Ｇ、３Ｇ、４Ｇ、または５Ｇ規格などの通信規格、ＩＥＥＥ８０２．１１規格などの無線ローカルエリアネットワーク（ＷＬＡＮ）規格、ならびに／あるいは、ワールドワイドインターオペラビリティフォーマイクロウェーブアクセス（ＷｉＭａｘ）、Ｂｌｕｅｔｏｏｔｈ、Ｚ−Ｗａｖｅおよび／またはＺｉｇＢｅｅ規格など、任意の他の適切な無線通信規格を実装し得る。
【００９７】
ネットワークＱＱ１０６は、１つまたは複数のバックホールネットワーク、コアネットワーク、ＩＰネットワーク、公衆交換電話網（ＰＳＴＮ）、パケットデータネットワーク、光ネットワーク、ワイドエリアネットワーク（ＷＡＮ）、ローカルエリアネットワーク（ＬＡＮ）、無線ローカルエリアネットワーク（ＷＬＡＮ）、有線ネットワーク、無線ネットワーク、メトロポリタンエリアネットワーク、およびデバイス間の通信を可能にするための他のネットワークを備え得る。
【００９８】
ネットワークノードＱＱ１６０およびＷＤ  ＱＱ１１０は、以下でより詳細に説明される様々な構成要素を備える。これらの構成要素は、無線ネットワークにおいて無線接続を提供することなど、ネットワークノードおよび／または無線デバイス機能を提供するために協働する。異なる実施形態では、無線ネットワークは、任意の数の有線または無線ネットワーク、ネットワークノード、基地局、コントローラ、無線デバイス、中継局、ならびに／あるいは有線接続を介してかまたは無線接続を介してかにかかわらず、データおよび／または信号の通信を容易にするかまたはその通信に参加し得る、任意の他の構成要素またはシステムを備え得る。
【００９９】
本明細書で使用されるネットワークノードは、無線デバイスと、ならびに／あるいは、無線デバイスへの無線アクセスを可能にし、および／または提供する、および／または、無線ネットワークにおいて他の機能（たとえば、アドミニストレーション）を実施するための、無線ネットワーク中の他のネットワークノードまたは機器と、直接または間接的に通信することが可能な、そうするように設定された、構成された、および／または動作可能な機器を指す。ネットワークノードの例は、限定はしないが、アクセスポイント（ＡＰ）（たとえば、無線アクセスポイント）、基地局（ＢＳ）（たとえば、無線基地局、ノードＢ、エボルブドノードＢ（ｅＮＢ）およびＮＲノードＢ（ｇＮＢ））を含む。基地局は、基地局が提供するカバレッジの量（または、言い方を変えれば、基地局の送信電力レベル）に基づいてカテゴリー分類され得、その場合、フェムト基地局、ピコ基地局、マイクロ基地局、またはマクロ基地局と呼ばれることもある。基地局は、リレーを制御する、リレーノードまたはリレードナーノードであり得る。ネットワークノードは、リモート無線ヘッド（ＲＲＨ）と呼ばれることがある、集中型デジタルユニットおよび／またはリモートラジオユニット（ＲＲＵ）など、分散型無線基地局の１つまたは複数（またはすべて）の部分をも含み得る。そのようなリモートラジオユニットは、アンテナ統合無線機としてアンテナと統合されることも統合されないこともある。分散型無線基地局の部分は、分散型アンテナシステム（ＤＡＳ）において、ノードと呼ばれることもある。ネットワークノードのまたさらなる例は、マルチ規格無線（ＭＳＲ）ＢＳなどのＭＳＲ機器、無線ネットワークコントローラ（ＲＮＣ）または基地局コントローラ（ＢＳＣ）などのネットワークコントローラ、基地トランシーバ局（ＢＴＳ）、送信ポイント、送信ノード、マルチセル／マルチキャスト協調エンティティ（ＭＣＥ）、コアネットワークノード（たとえば、ＭＳＣ、ＭＭＥ）、Ｏ＆Ｍノード、ＯＳＳノード、ＳＯＮノード、測位ノード（たとえば、Ｅ−ＳＭＬＣ）、および／あるいはＭＤＴを含む。別の例として、ネットワークノードは、以下でより詳細に説明されるように、仮想ネットワークノードであり得る。しかしながら、より一般的には、ネットワークノードは、無線ネットワークへのアクセスを可能にし、および／または無線デバイスに提供し、あるいは、無線ネットワークにアクセスした無線デバイスに何らかのサービスを提供することが可能な、そうするように設定された、構成された、および／または動作可能な任意の好適なデバイス（またはデバイスのグループ）を表し得る。
【０１００】
図１２では、ネットワークノードＱＱ１６０は、処理回路ＱＱ１７０と、デバイス可読媒体ＱＱ１８０と、インターフェースＱＱ１９０と、補助機器ＱＱ１８４と、電源ＱＱ１８６と、電力回路ＱＱ１８７と、アンテナＱＱ１６２とを含む。図１２の例示的な無線ネットワーク中に示されているネットワークノードＱＱ１６０は、ハードウェア構成要素の示されている組合せを含むデバイスを表し得るが、他の実施形態は、構成要素の異なる組合せをもつネットワークノードを備え得る。ネットワークノードが、本明細書で開示されるタスク、特徴、機能および方法を実施するために必要とされるハードウェアおよび／またはソフトウェアの任意の好適な組合せを備えることを理解されたい。その上、ネットワークノードＱＱ１６０の構成要素が、より大きいボックス内に位置する単一のボックスとして、または複数のボックス内で入れ子にされている単一のボックスとして図示されているが、実際には、ネットワークノードは、単一の示されている構成要素を組成する複数の異なる物理構成要素を備え得る（たとえば、デバイス可読媒体ＱＱ１８０は、複数の別個のハードドライブならびに複数のＲＡＭモジュールを備え得る）。
【０１０１】
同様に、ネットワークノードＱＱ１６０は、複数の物理的に別個の構成要素（たとえば、ノードＢ構成要素およびＲＮＣ構成要素、またはＢＴＳ構成要素およびＢＳＣ構成要素など）から組み立てられ得、これらは各々、それら自体のそれぞれの構成要素を有し得る。ネットワークノードＱＱ１６０が複数の別個の構成要素（たとえば、ＢＴＳ構成要素およびＢＳＣ構成要素）を備えるいくつかのシナリオでは、別個の構成要素のうちの１つまたは複数が、いくつかのネットワークノードの間で共有され得る。たとえば、単一のＲＮＣが、複数のノードＢを制御し得る。そのようなシナリオでは、各一意のノードＢとＲＮＣとのペアは、いくつかの事例では、単一の別個のネットワークノードと見なされ得る。いくつかの実施形態では、ネットワークノードＱＱ１６０は、複数の無線アクセス技術（ＲＡＴ）をサポートするように設定され得る。そのような実施形態では、いくつかの構成要素は複製され得（たとえば、異なるＲＡＴのための別個のデバイス可読媒体ＱＱ１８０）、いくつかの構成要素は再使用され得る（たとえば、同じアンテナＱＱ１６２がＲＡＴによって共有され得る）。ネットワークノードＱＱ１６０は、ネットワークノードＱＱ１６０に統合された、たとえば、ＧＳＭ、ＷＣＤＭＡ、ＬＴＥ、ＮＲ、ＷｉＦｉ、またはＢｌｕｅｔｏｏｔｈ無線技術など、異なる無線技術のための様々な示されている構成要素の複数のセットをも含み得る。これらの無線技術は、同じまたは異なるチップまたはチップのセット、およびネットワークノードＱＱ１６０内の他の構成要素に統合され得る。
【０１０２】
処理回路ＱＱ１７０は、ネットワークノードによって提供されるものとして本明細書で説明される、任意の決定動作、計算動作、または同様の動作（たとえば、いくつかの取得動作）を実施するように設定される。処理回路ＱＱ１７０によって実施されるこれらの動作は、処理回路ＱＱ１７０によって取得された情報を、たとえば、取得された情報を他の情報にコンバートすることによって、処理すること、取得された情報またはコンバートされた情報をネットワークノードに記憶された情報と比較すること、ならびに／あるいは、取得された情報またはコンバートされた情報に基づいて、および前記処理が決定を行ったことの結果として、１つまたは複数の動作を実施することを含み得る。
【０１０３】
処理回路ＱＱ１７０は、単体で、またはデバイス可読媒体ＱＱ１８０などの他のネットワークノードＱＱ１６０構成要素と併せてのいずれかで、ネットワークノードＱＱ１６０機能を提供するように動作可能な、マイクロプロセッサ、コントローラ、マイクロコントローラ、中央処理ユニット、デジタル信号プロセッサ、特定用途向け集積回路、フィールドプログラマブルゲートアレイ、または任意の他の好適なコンピューティングデバイス、リソースのうちの１つまたは複数の組合せ、あるいはハードウェア、ソフトウェアおよび／または符号化された論理の組合せを備え得る。たとえば、処理回路ＱＱ１７０は、デバイス可読媒体ＱＱ１８０に記憶された命令、または処理回路ＱＱ１７０内のメモリに記憶された命令を実行し得る。そのような機能は、本明細書で説明される様々な無線特徴、機能、または利益のうちのいずれかを提供することを含み得る。いくつかの実施形態では、処理回路ＱＱ１７０は、システムオンチップ（ＳＯＣ）を含み得る。
【０１０４】
いくつかの実施形態では、処理回路ＱＱ１７０は、無線周波数（ＲＦ）トランシーバ回路ＱＱ１７２とベースバンド処理回路ＱＱ１７４とのうちの１つまたは複数を含み得る。いくつかの実施形態では、無線周波数（ＲＦ）トランシーバ回路ＱＱ１７２とベースバンド処理回路ＱＱ１７４とは、別個のチップ（またはチップのセット）、ボード、または無線ユニットおよびデジタルユニットなどのユニット上にあり得る。代替実施形態では、ＲＦトランシーバ回路ＱＱ１７２とベースバンド処理回路ＱＱ１７４との一部または全部は、同じチップまたはチップのセット、ボード、あるいはユニット上にあり得る。
【０１０５】
いくつかの実施形態では、ネットワークノード、基地局、ｇＮＢまたは他のそのようなネットワークデバイスによって提供されるものとして本明細書で説明される機能の一部または全部は、デバイス可読媒体ＱＱ１８０、または処理回路ＱＱ１７０内のメモリに記憶された、命令を実行する処理回路ＱＱ１７０によって実施され得る。代替実施形態では、機能の一部または全部は、ハードワイヤード様式などで、別個のまたは個別のデバイス可読媒体に記憶された命令を実行することなしに、処理回路ＱＱ１７０によって提供され得る。それらの実施形態のいずれでも、デバイス可読記憶媒体に記憶された命令を実行するか否かにかかわらず、処理回路ＱＱ１７０は、説明される機能を実施するように設定され得る。そのような機能によって提供される利益は、処理回路ＱＱ１７０単独に、またはネットワークノードＱＱ１６０の他の構成要素に限定されないが、全体としてネットワークノードＱＱ１６０によって、ならびに／または概してエンドユーザおよび無線ネットワークによって、享受される。
【０１０６】
デバイス可読媒体ＱＱ１８０は、限定はしないが、永続記憶域、固体メモリ、リモートマウントメモリ、磁気媒体、光媒体、ランダムアクセスメモリ（ＲＡＭ）、読取り専用メモリ（ＲＯＭ）、大容量記憶媒体（たとえば、ハードディスク）、リムーバブル記憶媒体（たとえば、フラッシュドライブ、コンパクトディスク（ＣＤ）またはデジタルビデオディスク（ＤＶＤ））を含む、任意の形態の揮発性または不揮発性コンピュータ可読メモリ、ならびに／あるいは、処理回路ＱＱ１７０によって使用され得る情報、データ、および／または命令を記憶する、任意の他の揮発性または不揮発性、非一時的デバイス可読および／またはコンピュータ実行可能メモリデバイスを備え得る。デバイス可読媒体ＱＱ１８０は、コンピュータプログラム、ソフトウェア、論理、ルール、コード、テーブルなどのうちの１つまたは複数を含むアプリケーション、および／または処理回路ＱＱ１７０によって実行されることが可能であり、ネットワークノードＱＱ１６０によって利用される、他の命令を含む、任意の好適な命令、データまたは情報を記憶し得る。デバイス可読媒体ＱＱ１８０は、処理回路ＱＱ１７０によって行われた計算および／またはインターフェースＱＱ１９０を介して受信されたデータを記憶するために使用され得る。いくつかの実施形態では、処理回路ＱＱ１７０およびデバイス可読媒体ＱＱ１８０は、統合されていると見なされ得る。
【０１０７】
インターフェースＱＱ１９０は、ネットワークノードＱＱ１６０、ネットワークＱＱ１０６、および／またはＷＤ  ＱＱ１１０の間のシグナリングおよび／またはデータの有線または無線通信において使用される。示されているように、インターフェースＱＱ１９０は、たとえば有線接続上でネットワークＱＱ１０６との間でデータを送るおよび受信するための（１つまたは複数の）ポート／（１つまたは複数の）端末ＱＱ１９４を備える。インターフェースＱＱ１９０は、アンテナＱＱ１６２に結合されるか、またはいくつかの実施形態では、アンテナＱＱ１６２の一部であり得る、無線フロントエンド回路ＱＱ１９２をも含む。無線フロントエンド回路ＱＱ１９２は、フィルタＱＱ１９８と増幅器ＱＱ１９６とを備える。無線フロントエンド回路ＱＱ１９２は、アンテナＱＱ１６２および処理回路ＱＱ１７０に接続され得る。無線フロントエンド回路は、アンテナＱＱ１６２と処理回路ＱＱ１７０との間で通信される信号を調整するように設定され得る。無線フロントエンド回路ＱＱ１９２は、無線接続を介して他のネットワークノードまたはＷＤに送出されるべきであるデジタルデータを受信し得る。無線フロントエンド回路ＱＱ１９２は、デジタルデータを、フィルタＱＱ１９８および／または増幅器ＱＱ１９６の組合せを使用して適切なチャネルおよび帯域幅パラメータを有する無線信号にコンバートし得る。無線信号は、次いで、アンテナＱＱ１６２を介して送信され得る。同様に、データを受信するとき、アンテナＱＱ１６２は無線信号を収集し得、次いで、無線信号は無線フロントエンド回路ＱＱ１９２によってデジタルデータにコンバートされる。デジタルデータは、処理回路ＱＱ１７０に受け渡され得る。他の実施形態では、インターフェースは、異なる構成要素および／または構成要素の異なる組合せを備え得る。
【０１０８】
いくつかの代替実施形態では、ネットワークノードＱＱ１６０は別個の無線フロントエンド回路ＱＱ１９２を含まないことがあり、代わりに、処理回路ＱＱ１７０は、無線フロントエンド回路を備え得、別個の無線フロントエンド回路ＱＱ１９２なしでアンテナＱＱ１６２に接続され得る。同様に、いくつかの実施形態では、ＲＦトランシーバ回路ＱＱ１７２の全部または一部が、インターフェースＱＱ１９０の一部と見なされ得る。さらに他の実施形態では、インターフェースＱＱ１９０は、無線ユニット（図示せず）の一部として、１つまたは複数のポートまたは端末ＱＱ１９４と、無線フロントエンド回路ＱＱ１９２と、ＲＦトランシーバ回路ＱＱ１７２とを含み得、インターフェースＱＱ１９０は、デジタルユニット（図示せず）の一部であるベースバンド処理回路ＱＱ１７４と通信し得る。
【０１０９】
アンテナＱＱ１６２は、無線信号を送り、および／または受信するように設定された、１つまたは複数のアンテナまたはアンテナアレイを含み得る。アンテナＱＱ１６２は、無線フロントエンド回路ＱＱ１９０に結合され得、データおよび／または信号を無線で送信および受信することが可能な任意のタイプのアンテナであり得る。いくつかの実施形態では、アンテナＱＱ１６２は、たとえば、２ＧＨｚから６６ＧＨｚの間の無線信号を送信／受信するように動作可能な１つまたは複数の全方向、セクタまたはパネルアンテナを備え得る。全方向アンテナは、任意の方向に無線信号を送信／受信するために使用され得、セクタアンテナは、特定のエリア内のデバイスから無線信号を送信／受信するために使用され得、パネルアンテナは、比較的直線ラインで無線信号を送信／受信するために使用される見通し線アンテナであり得る。いくつかの事例では、２つ以上のアンテナの使用は、ＭＩＭＯと呼ばれることがある。いくつかの実施形態では、アンテナＱＱ１６２は、ネットワークノードＱＱ１６０とは別個であり得、インターフェースまたはポートを通してネットワークノードＱＱ１６０に接続可能であり得る。
【０１１０】
アンテナＱＱ１６２、インターフェースＱＱ１９０、および／または処理回路ＱＱ１７０は、ネットワークノードによって実施されるものとして本明細書で説明される任意の受信動作および／またはいくつかの取得動作を実施するように設定され得る。任意の情報、データおよび／または信号が、無線デバイス、別のネットワークノードおよび／または任意の他のネットワーク機器から受信され得る。同様に、アンテナＱＱ１６２、インターフェースＱＱ１９０、および／または処理回路ＱＱ１７０は、ネットワークノードによって実施されるものとして本明細書で説明される任意の送信動作を実施するように設定され得る。任意の情報、データおよび／または信号が、無線デバイス、別のネットワークノードおよび／または任意の他のネットワーク機器に送信され得る。
【０１１１】
電力回路ＱＱ１８７は、電力管理回路を備えるか、または電力管理回路に結合され得、本明細書で説明される機能を実施するための電力を、ネットワークノードＱＱ１６０の構成要素に供給するように設定される。電力回路ＱＱ１８７は、電源ＱＱ１８６から電力を受信し得る。電源ＱＱ１８６および／または電力回路ＱＱ１８７は、それぞれの構成要素に好適な形式で（たとえば、各それぞれの構成要素のために必要とされる電圧および電流レベルにおいて）、ネットワークノードＱＱ１６０の様々な構成要素に電力を提供するように設定され得る。電源ＱＱ１８６は、電力回路ＱＱ１８７および／またはネットワークノードＱＱ１６０中に含まれるか、あるいは電力回路ＱＱ１８７および／またはネットワークノードＱＱ１６０の外部にあるかのいずれかであり得る。たとえば、ネットワークノードＱＱ１６０は、電気ケーブルなどの入力回路またはインターフェースを介して外部電源（たとえば、電気コンセント）に接続可能であり得、それにより、外部電源は電力回路ＱＱ１８７に電力を供給する。さらなる例として、電源ＱＱ１８６は、電力回路ＱＱ１８７に接続された、または電力回路ＱＱ１８７中で統合された、バッテリーまたはバッテリーパックの形態の電力源を備え得る。バッテリーは、外部電源が落ちた場合、バックアップ電力を提供し得る。光起電力デバイスなどの他のタイプの電源も使用され得る。
【０１１２】
ネットワークノードＱＱ１６０の代替実施形態は、本明細書で説明される機能、および／または本明細書で説明される主題をサポートするために必要な機能のうちのいずれかを含む、ネットワークノードの機能のいくつかの態様を提供することを担当し得る、図１２に示されている構成要素以外の追加の構成要素を含み得る。たとえば、ネットワークノードＱＱ１６０は、ネットワークノードＱＱ１６０への情報の入力を可能にするための、およびネットワークノードＱＱ１６０からの情報の出力を可能にするための、ユーザインターフェース機器を含み得る。これは、ユーザが、ネットワークノードＱＱ１６０のための診断、メンテナンス、修復、および他のアドミニストレーティブ機能を実施することを可能にし得る。
【０１１３】
本明細書で使用される無線デバイス（ＷＤ）は、ネットワークノードおよび／または他の無線デバイスと無線で通信することが可能な、そうするように設定された、構成された、および／または動作可能なデバイスを指す。別段に記載されていない限り、ＷＤという用語は、本明細書ではユーザ機器（ＵＥ）と互換的に使用され得る。無線で通信することは、空中で情報を伝達するのに好適な、電磁波、電波、赤外波、および／または他のタイプの信号を使用して無線信号を送信および／または受信することを伴い得る。いくつかの実施形態では、ＷＤは、直接人間対話なしに情報を送信および／または受信するように設定され得る。たとえば、ＷＤは、内部または外部イベントによってトリガされたとき、あるいはネットワークからの要求に応答して、所定のスケジュールでネットワークに情報を送信するように設計され得る。ＷＤの例は、限定はしないが、スマートフォン、モバイルフォン、セルフォン、ボイスオーバーＩＰ（ＶｏＩＰ）フォン、無線ローカルループ電話、デスクトップコンピュータ、携帯情報端末（ＰＤＡ）、無線カメラ、ゲーミングコンソールまたはデバイス、音楽記憶デバイス、再生器具、ウェアラブル端末デバイス、無線エンドポイント、移動局、タブレット、ラップトップコンピュータ、ラップトップ組込み機器（ＬＥＥ）、ラップトップ搭載機器（ＬＭＥ）、スマートデバイス、無線顧客構内機器（ＣＰＥ：ｃｕｓｔｏｍｅｒ  ｐｒｅｍｉｓｅ  ｅｑｕｉｐｍｅｎｔ）、車載無線端末デバイスなどを含む。ＷＤは、たとえばサイドリンク通信、Ｖ２Ｖ（Ｖｅｈｉｃｌｅ−ｔｏ−Ｖｅｈｉｃｌｅ）、Ｖ２Ｉ（Ｖｅｈｉｃｌｅ−ｔｏ−Ｉｎｆｒａｓｔｒｕｃｔｕｒｅ）、Ｖ２Ｘ（Ｖｅｈｉｃｌｅ−ｔｏ−Ｅｖｅｒｙｔｈｉｎｇ）のための３ＧＰＰ規格を実装することによって、Ｄ２Ｄ（ｄｅｖｉｃｅ−ｔｏ−ｄｅｖｉｃｅ）通信をサポートし得、この場合、Ｄ２Ｄ通信デバイスと呼ばれることがある。また別の特定の例として、モノのインターネット（ＩｏＴ）シナリオでは、ＷＤは、監視および／または測定を実施し、そのような監視および／または測定の結果を別のＷＤおよび／またはネットワークノードに送信する、マシンまたは他のデバイスを表し得る。ＷＤは、この場合、マシンツーマシン（Ｍ２Ｍ）デバイスであり得、Ｍ２Ｍデバイスは、３ＧＰＰコンテキストではＭＴＣデバイスと呼ばれることがある。１つの特定の例として、ＷＤは、３ＧＰＰ狭帯域モノのインターネット（ＮＢ−ＩｏＴ）規格を実装するＵＥであり得る。そのようなマシンまたはデバイスの特定の例は、センサー、電力計などの計量デバイス、産業用機械類、あるいは家庭用または個人用電気器具（たとえば冷蔵庫、テレビジョンなど）、個人用ウェアラブル（たとえば、時計、フィットネストラッカーなど）である。他のシナリオでは、ＷＤは車両または他の機器を表し得、車両または他の機器は、その動作ステータスを監視することおよび／またはその動作ステータスに関して報告すること、あるいはその動作に関連付けられている他の機能が可能である。上記で説明されたＷＤは無線接続のエンドポイントを表し得、その場合、デバイスは無線端末と呼ばれることがある。さらに、上記で説明されたＷＤはモバ��ルであり得、その場合、デバイスはモバイルデバイスまたはモバイル端末と呼ばれることもある。
【０１１４】
示されているように、無線デバイスＱＱ１１０は、アンテナＱＱ１１１、インターフェースＱＱ１１４、処理回路ＱＱ１２０、デバイス可読媒体ＱＱ１３０、ユーザインターフェース機器ＱＱ１３２、補助機器ＱＱ１３４、電源ＱＱ１３６、および電力回路ＱＱ１３７を含む。ＷＤ  ＱＱ１１０は、ＷＤ  ＱＱ１１０によってサポートされる、たとえば、ほんの数個を挙げると、ＧＳＭ、ＷＣＤＭＡ、ＬＴＥ、ＮＲ、ＷｉＦｉ、ＷｉＭＡＸ、またはＢｌｕｅｔｏｏｔｈ無線技術など、異なる無線技術のための示されている構成要素のうちの１つまたは複数の複数のセットを含み得る。これらの無線技術は、ＷＤ  ＱＱ１１０内の他の構成要素と同じまたは異なるチップまたはチップのセットに統合され得る。
【０１１５】
アンテナＱＱ１１１は、無線信号を送り、および／または受信するように設定された、１つまたは複数のアンテナまたはアンテナアレイを含み得、インターフェースＱＱ１１４に接続される。いくつかの代替実施形態では、アンテナＱＱ１１１は、ＷＤ  ＱＱ１１０とは別個であり、インターフェースまたはポートを通してＷＤ  ＱＱ１１０に接続可能であり得る。アンテナＱＱ１１１、インターフェースＱＱ１１４、および／または処理回路ＱＱ１２０は、ＷＤによって実施されるものとして本明細書で説明される任意の受信動作または送信動作を実施するように設定され得る。任意の情報、データおよび／または信号が、ネットワークノードおよび／または別のＷＤから受信され得る。いくつかの実施形態では、無線フロントエンド回路および／またはアンテナＱＱ１１１は、インターフェースと見なされ得る。
【０１１６】
示されているように、インターフェースＱＱ１１４は、無線フロントエンド回路ＱＱ１１２とアンテナＱＱ１１１とを備える。無線フロントエンド回路ＱＱ１１２は、１つまたは複数のフィルタＱＱ１１８と増幅器ＱＱ１１６とを備える。無線フロントエンド回路ＱＱ１１４は、アンテナＱＱ１１１および処理回路ＱＱ１２０に接続され、アンテナＱＱ１１１と処理回路ＱＱ１２０との間で通信される信号を調整するように設定される。無線フロントエンド回路ＱＱ１１２は、アンテナＱＱ１１１に結合されるか、またはアンテナＱＱ１１１の一部であり得る。いくつかの実施形態では、ＷＤ  ＱＱ１１０は別個の無線フロントエンド回路ＱＱ１１２を含まないことがあり、むしろ、処理回路ＱＱ１２０は、無線フロントエンド回路を備え得、アンテナＱＱ１１１に接続され得る。同様に、いくつかの実施形態では、ＲＦトランシーバ回路ＱＱ１２２の一部または全部が、インターフェースＱＱ１１４の一部と見なされ得る。無線フロントエンド回路ＱＱ１１２は、無線接続を介して他のネットワークノードまたはＷＤに送出されるべきであるデジタルデータを受信し得る。無線フロントエンド回路ＱＱ１１２は、デジタルデータを、フィルタＱＱ１１８および／または増幅器ＱＱ１１６の組合せを使用して適切なチャネルおよび帯域幅パラメータを有する無線信号にコンバートし得る。無線信号は、次いで、アンテナＱＱ１１１を介して送信され得る。同様に、データを受信するとき、アンテナＱＱ１１１は無線信号を収集し得、次いで、無線信号は無線フロントエンド回路ＱＱ１１２によってデジタルデータにコンバートされる。デジタルデータは、処理回路ＱＱ１２０に受け渡され得る。他の実施形態では、インターフェースは、異なる構成要素および／または構成要素の異なる組合せを備え得る。
【０１１７】
処理回路ＱＱ１２０は、単体で、またはデバイス可読媒体ＱＱ１３０などの他のＷＤ  ＱＱ１１０構成要素と併せてのいずれかで、ＷＤ  ＱＱ１１０機能を提供するように動作可能な、マイクロプロセッサ、コントローラ、マイクロコントローラ、中央処理ユニット、デジタル信号プロセッサ、特定用途向け集積回路、フィールドプログラマブルゲートアレイ、または任意の他の好適なコンピューティングデバイス、リソースのうちの１つまたは複数の組合せ、あるいはハードウェア、ソフトウェアおよび／または符号化された論理の組合せを備え得る。そのような機能は、本明細書で説明される様々な無線特徴または利益のうちのいずれかを提供することを含み得る。たとえば、処理回路ＱＱ１２０は、本明細書で開示される機能を提供するために、デバイス可読媒体ＱＱ１３０に記憶された命令、または処理回路ＱＱ１２０内のメモリに記憶された命令を実行し得る。
【０１１８】
示されているように、処理回路ＱＱ１２０は、ＲＦトランシーバ回路ＱＱ１２２、ベースバンド処理回路ＱＱ１２４、およびアプリケーション処理回路ＱＱ１２６のうちの１つまたは複数を含む。他の実施形態では、処理回路は、異なる構成要素および／または構成要素の異なる組合せを備え得る。いくつかの実施形態では、ＷＤ  ＱＱ１１０の処理回路ＱＱ１２０は、ＳＯＣを備え得る。いくつかの実施形態では、ＲＦトランシーバ回路ＱＱ１２２、ベースバンド処理回路ＱＱ１２４、およびアプリケーション処理回路ＱＱ１２６は、別個のチップまたはチップのセット上にあり得る。代替実施形態では、ベースバンド処理回路ＱＱ１２４およびアプリケーション処理回路ＱＱ１２６の一部または全部は１つのチップまたはチップのセットになるように組み合わせられ得、ＲＦトランシーバ回路ＱＱ１２２は別個のチップまたはチップのセット上にあり得る。さらに代替の実施形態では、ＲＦトランシーバ回路ＱＱ１２２およびベースバンド処理回路ＱＱ１２４の一部または全部は同じチップまたはチップのセット上にあり得、アプリケーション処理回路ＱＱ１２６は別個のチップまたはチップのセット上にあり得る。また他の代替実施形態では、ＲＦトランシーバ回路ＱＱ１２２、ベースバンド処理回路ＱＱ１２４、およびアプリケーション処理回路ＱＱ１２６の一部または全部は、同じチップまたはチップのセット中で組み合わせられ得る。いくつかの実施形態では、ＲＦトランシーバ回路ＱＱ１２２は、インターフェースＱＱ１１４の一部であり得る。ＲＦトランシーバ回路ＱＱ１２２は、処理回路ＱＱ１２０のためのＲＦ信号を調整し得る。
【０１１９】
いくつかの実施形態では、ＷＤによって実施されるものとして本明細書で説明される機能の一部または全部は、デバイス可読媒体ＱＱ１３０に記憶された命令を実行する処理回路ＱＱ１２０によって提供され得、デバイス可読媒体ＱＱ１３０は、いくつかの実施形態では、コンピュータ可読記憶媒体であり得る。代替実施形態では、機能の一部または全部は、ハードワイヤード様式などで、別個のまたは個別のデバイス可読記憶媒体に記憶された命令を実行することなしに、処理回路ＱＱ１２０によって提供され得る。それらの特定の実施形態のいずれでも、デバイス可読記憶媒体に記憶された命令を実行するか否かにかかわらず、処理回路ＱＱ１２０は、説明される機能を実施するように設定され得る。そのような機能によって提供される利益は、処理回路ＱＱ１２０単独に、またはＷＤ  ＱＱ１１０の他の構成要素に限定されないが、全体としてＷＤ  ＱＱ１１０によって、ならびに／または概してエンドユーザおよび無線ネットワークによって、享受される。
【０１２０】
処理回路ＱＱ１２０は、ＷＤによって実施されるものとして本明細書で説明される、任意の決定動作、計算動作、または同様の動作（たとえば、いくつかの取得動作）を実施するように設定され得る。処理回路ＱＱ１２０によって実施されるようなこれらの動作は、処理回路ＱＱ１２０によって取得された情報を、たとえば、取得された情報を他の情報にコンバートすることによって、処理すること、取得された情報またはコンバートされた情報をＷＤ  ＱＱ１１０によって記憶された情報と比較すること、ならびに／あるいは、取得された情報またはコンバートされた情報に基づいて、および前記処理が決定を行ったことの結果として、１つまたは複数の動作を実施することを含み得る。
【０１２１】
デバイス可読媒体ＱＱ１３０は、コンピュータプログラム、ソフトウェア、論理、ルール、コード、テーブルなどのうちの１つまたは複数を含むアプリケーション、および／または処理回路ＱＱ１２０によって実行されることが可能な他の命令を記憶するように動作可能であり得る。デバイス可読媒体ＱＱ１３０は、コンピュータメモリ（たとえば、ランダムアクセスメモリ（ＲＡＭ）または読取り専用メモリ（ＲＯＭ））、大容量記憶媒体（たとえば、ハードディスク）、リムーバブル記憶媒体（たとえば、コンパクトディスク（ＣＤ）またはデジタルビデオディスク（ＤＶＤ））、ならびに／あるいは、処理回路ＱＱ１２０によって使用され得る情報、データ、および／または命令を記憶する、任意の他の揮発性または不揮発性、非一時的デバイス可読および／またはコンピュータ実行可能メモリデバイスを含み得る。いくつかの実施形態では、処理回路ＱＱ１２０およびデバイス可読媒体ＱＱ１３０は、統合されていると見なされ得る。
【０１２２】
ユーザインターフェース機器ＱＱ１３２は、人間のユーザがＷＤ  ＱＱ１１０と対話することを可能にする構成要素を提供し得る。そのような対話は、視覚、聴覚、触覚など、多くの形態のものであり得る。ユーザインターフェース機器ＱＱ１３２は、ユーザへの出力を作り出すように、およびユーザがＷＤ  ＱＱ１１０への入力を提供することを可能にするように動作可能であり得る。対話のタイプは、ＷＤ  ＱＱ１１０にインストールされるユーザインターフェース機器ＱＱ１３２のタイプに応じて変動し得る。たとえば、ＷＤ  ＱＱ１１０がスマートフォンである場合、対話はタッチスクリーンを介したものであり得、ＷＤ  ＱＱ１１０がスマートメーターである場合、対話は、使用量（たとえば、使用されたガロンの数）を提供するスクリーン、または（たとえば、煙が検出された場合）可聴警報を提供するスピーカーを通したものであり得る。ユーザインターフェース機器ＱＱ１３２は、入力インターフェース、デバイスおよび回路、ならびに、出力インターフェース、デバイスおよび回路を含み得る。ユーザインターフェース機器ＱＱ１３２は、ＷＤ  ＱＱ１１０への情報の入力を可能にするように設定され、処理回路ＱＱ１２０が入力情報を処理することを可能にするために、処理回路ＱＱ１２０に接続される。ユーザインターフェース機器ＱＱ１３２は、たとえば、マイクロフォン、近接度または他のセンサー、キー／ボタン、タッチディスプレイ、１つまたは複数のカメラ、ＵＳＢポート、あるいは他の入力回路を含み得る。ユーザインターフェース機器ＱＱ１３２はまた、ＷＤ  ＱＱ１１０からの情報の出力を可能にするように、および処理回路ＱＱ１２０がＷＤ  ＱＱ１１０からの情報を出力することを可能にするように設定される。ユーザインターフェース機器ＱＱ１３２は、たとえば、スピーカー、ディスプレイ、振動回路、ＵＳＢポート、ヘッドフォンインターフェース、または他の出力回路を含み得る。ユーザインターフェース機器ＱＱ１３２の１つまたは複数の入力および出力インターフェース、デバイス、および回路を使用して、ＷＤ  ＱＱ１１０は、エンドユーザおよび／または無線ネットワークと通信し、エンドユーザおよび／または無線ネットワークが本明細書で説明される機能から利益を得ることを可能にし得る。
【０１２３】
補助機器ＱＱ１３４は、概してＷＤによって実施されないことがある、より特定の機能を提供するように動作可能である。これは、様々な目的のために測定を行うための特殊化されたセンサー、有線通信などのさらなるタイプの通信のためのインターフェースなどを備え得る。補助機器ＱＱ１３４の構成要素の包含およびタイプは、実施形態および／またはシナリオに応じて変動し得る。
【０１２４】
電源ＱＱ１３６は、いくつかの実施形態では、バッテリーまたはバッテリーパックの形態のものであり得る。外部電源（たとえば、電気コンセント）、光起電力デバイスまたは電池など、他のタイプの電源も使用され得る。ＷＤ  ＱＱ１１０は、電源ＱＱ１３６から、本明細書で説明または指示される任意の機能を行うために電源ＱＱ１３６からの電力を必要とする、ＷＤ  ＱＱ１１０の様々な部分に電力を配信するための、電力回路ＱＱ１３７をさらに備え得る。電力回路ＱＱ１３７は、いくつかの実施形態では、電力管理回路を備え得る。電力回路ＱＱ１３７は、追加または代替として、外部電源から電力を受信するように動作可能であり得、その場合、ＷＤ  ＱＱ１１０は、電力ケーブルなどの入力回路またはインターフェースを介して（電気コンセントなどの）外部電源に接続可能であり得る。電力回路ＱＱ１３７はまた、いくつかの実施形態では、外部電源から電源ＱＱ１３６に電力を配信するように動作可能であり得る。これは、たとえば、電源ＱＱ１３６の充電のためのものであり得る。電力回路ＱＱ１３７は、電源ＱＱ１３６からの電力に対して、その電力を、電力が供給されるＷＤ  ＱＱ１１０のそれぞれの構成要素に好適であるようにするために、任意のフォーマッティング、コンバート、または他の修正を実施し得る。
【０１２５】
図１３は、本明細書で説明される様々な態様による、ＵＥの一実施形態を示す。本明細書で使用されるユーザ機器またはＵＥは、必ずしも、関連するデバイスを所有し、および／または動作させる人間のユーザという意味におけるユーザを有するとは限らない。代わりに、ＵＥは、人間のユーザへの販売、または人間のユーザによる動作を意図されるが、特定の人間のユーザに関連付けられないことがあるか、または特定の人間のユーザに初めに関連付けられないことがある、デバイス（たとえば、スマートスプリンクラーコントローラ）を表し得る。代替的に、ＵＥは、エンドユーザへの販売、またはエンドユーザによる動作を意図されないが、ユーザに関連付けられるか、またはユーザの利益のために動作され得る、デバイス（たとえば、スマート電力計）を表し得る。ＵＥ  ＱＱ２２００は、ＮＢ−ＩｏＴ  ＵＥ、マシン型通信（ＭＴＣ）ＵＥ、および／または拡張ＭＴＣ（ｅＭＴＣ）ＵＥを含む、第３世代パートナーシッププロジェクト（３ＧＰＰ）によって識別される任意のＵＥであり得る。図１３に示されているＵＥ  ＱＱ２００は、第３世代パートナーシッププロジェクト（３ＧＰＰ）のＧＳＭ、ＵＭＴＳ、ＬＴＥ、および／または５Ｇ規格など、３ＧＰＰによって公表された１つまたは複数の通信規格による通信のために設定されたＷＤの一例である。前述のように、ＷＤおよびＵＥという用語は、互換的に使用され得る。したがって、図１３はＵＥを示すが、本明細書で説明される構成要素は、ＷＤに等しく適用可能であり、その逆も同様である。
【０１２６】
図１３では、ＵＥ  ＱＱ２００は、入出力インターフェースＱＱ２０５、無線周波数（ＲＦ）インターフェースＱＱ２０９、ネットワーク接続インターフェースＱＱ２１１、ランダムアクセスメモリ（ＲＡＭ）ＱＱ２１７と読取り専用メモリ（ＲＯＭ）ＱＱ２１９と記憶媒体ＱＱ２２１などとを含むメモリＱＱ２１５、通信サブシステムＱＱ２３１、電源ＱＱ２３３、および／または他の構成要素、あるいはそれらの任意の組合せに動作可能に結合された、処理回路ＱＱ２０１を含む。記憶媒体ＱＱ２２１は、オペレーティングシステムＱＱ２２３と、アプリケーションプログラムＱＱ２２５と、データＱＱ２２７とを含む。他の実施形態では、記憶媒体ＱＱ２２１は、他の同様のタイプの情報を含み得る。いくつかのＵＥは、図１３に示されている構成要素のすべてを利用するか、またはそれらの構成要素のサブセットのみを利用し得る。構成要素間の統合のレベルは、ＵＥごとに変動し得る。さらに、いくつかのＵＥは、複数のプロセッサ、メモリ、トランシーバ、送信機、受信機など、構成要素の複数のインスタンスを含んでいることがある。
【０１２７】
図１３では、処理回路ＱＱ２０１は、コンピュータ命令およびデータを処理するように設定され得る。処理回路ＱＱ２０１は、（たとえば、ディスクリート論理、ＦＰＧＡ、ＡＳＩＣなどにおける）１つまたは複数のハードウェア実装状態機械など、機械可読コンピュータプログラムとしてメモリに記憶された機械命令を実行するように動作可能な任意の逐次状態機械、適切なファームウェアと一緒のプログラマブル論理、適切なソフトウェアと一緒のマイクロプロセッサまたはデジタル信号プロセッサ（ＤＳＰ）など、１つまたは複数のプログラム内蔵、汎用プロセッサ、あるいは上記の任意の組合せを実装するように設定され得る。たとえば、処理回路ＱＱ２０１は、２つの中央処理ユニット（ＣＰＵ）を含み得る。データは、コンピュータによる使用に好適な形式での情報であり得る。
【０１２８】
図示された実施形態では、入出力インターフェースＱＱ２０５は、入力デバイス、出力デバイス、または入出力デバイスに通信インターフェースを提供するように設定され得る。ＵＥ  ＱＱ２００は、入出力インターフェースＱＱ２０５を介して出力デバイスを使用するように設定され得る。出力デバイスは、入力デバイスと同じタイプのインターフェースポートを使用し得る。たとえば、ＵＥ  ＱＱ２００への入力およびＵＥ  ＱＱ２００からの出力を提供するために、ＵＳＢポートが使用され得る。出力デバイスは、スピーカー、サウンドカード、ビデオカード、ディスプレイ、モニタ、プリンタ、アクチュエータ、エミッタ、スマートカード、別の出力デバイス、またはそれらの任意の組合せであり得る。ＵＥ  ＱＱ２００は、ユーザがＵＥ  ＱＱ２００に情報をキャプチャすることを可能にするために、入出力インターフェースＱＱ２０５を介して入力デバイスを使用するように設定され得る。入力デバイスは、タッチセンシティブまたはプレゼンスセンシティブディスプレイ、カメラ（たとえば、デジタルカメラ、デジタルビデオカメラ、ウェブカメラなど）、マイクロフォン、センサー、マウス、トラックボール、方向パッド、トラックパッド、スクロールホイール、スマートカードなどを含み得る。プレゼンスセンシティブディスプレイは、ユーザからの入力を検知するための容量性または抵抗性タッチセンサーを含み得る。センサーは、たとえば、加速度計、ジャイロスコープ、チルトセンサー、力センサー、磁力計、光センサー、近接度センサー、別の同様のセンサー、またはそれらの任意の組合せであり得る。たとえば、入力デバイスは、加速度計、磁力計、デジタルカメラ、マイクロフォン、および光センサーであり得る。
【０１２９】
図１３では、ＲＦインターフェースＱＱ２０９は、送信機、受信機、およびアンテナなど、ＲＦ構成要素に通信インターフェースを提供するように設定され得る。ネットワーク接続インターフェースＱＱ２１１は、ネットワークＱＱ２４３ａに通信インターフェースを提供するように設定され得る。ネットワークＱＱ２４３ａは、ローカルエリアネットワーク（ＬＡＮ）、ワイドエリアネットワーク（ＷＡＮ）、コンピュータネットワーク、無線ネットワーク、通信ネットワーク、別の同様のネットワークまたはそれらの任意の組合せなど、有線および／または無線ネットワークを包含し得る。たとえば、ネットワークＱＱ２４３ａは、Ｗｉ−Ｆｉネットワークを備え得る。ネットワーク接続インターフェースＱＱ２１１は、イーサネット、ＴＣＰ／ＩＰ、ＳＯＮＥＴ、ＡＴＭなど、１つまたは複数の通信プロトコルに従って通信ネットワーク上で１つまたは複数の他のデバイスと通信するために使用される、受信機および送信機インターフェースを含むように設定され得る。ネットワーク接続インターフェースＱＱ２１１は、通信ネットワークリンク（たとえば、光学的、電気的など）に適した受信機および送信機機能を実装し得る。送信機および受信機機能は、回路構成要素、ソフトウェアまたはファームウェアを共有し得るか、あるいは、代替的に、別個に実装され得る。
【０１３０】
ＲＡＭ  ＱＱ２１７は、オペレーティングシステム、アプリケーションプログラム、およびデバイスドライバなど、ソフトウェアプログラムの実行中に、データまたはコンピュータ命令の記憶またはキャッシングを提供するために、バスＱＱ２０２を介して処理回路ＱＱ２０１にインターフェースするように設定され得る。ＲＯＭ  ＱＱ２１９は、処理回路ＱＱ２０１にコンピュータ命令またはデータを提供するように設定され得る。たとえば、ＲＯＭ  ＱＱ２１９は、不揮発性メモリに記憶される、基本入出力（Ｉ／Ｏ）、起動、またはキーボードからのキーストロークの受信など、基本システム機能のための、不変低レベルシステムコードまたはデータを記憶するように設定され得る。記憶媒体ＱＱ２２１は、ＲＡＭ、ＲＯＭ、プログラマブル読取り専用メモリ（ＰＲＯＭ）、消去可能プログラマブル読取り専用メモリ（ＥＰＲＯＭ）、電気的消去可能プログラマブル読取り専用メモリ（ＥＥＰＲＯＭ）、磁気ディスク、光ディスク、フロッピーディスク、ハードディスク、取外し可能カートリッジ、またはフラッシュドライブなど、メモリを含むように設定され得る。一例では、記憶媒体ＱＱ２２１は、オペレーティングシステムＱＱ２２３と、ウェブブラウザアプリケーション、ウィジェットまたはガジェットエンジン、あるいは別のアプリケーションなどのアプリケーションプログラムＱＱ２２５と、データファイルＱＱ２２７とを含むように設定され得る。記憶媒体ＱＱ２２１は、ＵＥ  ＱＱ２００による使用のために、多様な様々なオペレーティングシステムまたはオペレーティングシステムの組合せのうちのいずれかを記憶し得る。
【０１３１】
記憶媒体ＱＱ２２１は、独立ディスクの冗長アレイ（ＲＡＩＤ）、フロッピーディスクドライブ、フラッシュメモリ、ＵＳＢフラッシュドライブ、外部ハードディスクドライブ、サムドライブ、ペンドライブ、キードライブ、高密度デジタル多用途ディスク（ＨＤ−ＤＶＤ）光ディスクドライブ、内蔵ハードディスクドライブ、Ｂｌｕ−Ｒａｙ光ディスクドライブ、ホログラフィックデジタルデータ記憶（ＨＤＤＳ）光ディスクドライブ、外部ミニデュアルインラインメモリモジュール（ＤＩＭＭ）、シンクロナスダイナミックランダムアクセスメモリ（ＳＤＲＡＭ）、外部マイクロＤＩＭＭ  ＳＤＲＡＭ、加入者識別モジュールまたはリムーバブルユーザ識別情報（ＳＩＭ／ＲＵＩＭ）モジュールなどのスマートカードメモリ、他のメモリ、あるいはそれらの任意の組合せなど、いくつかの物理ドライブユニットを含むように設定され得る。記憶媒体ＱＱ２２１は、ＵＥ  ＱＱ２００が、一時的または非一時的メモリ媒体に記憶されたコンピュータ実行可能命令、アプリケーションプログラムなどにアクセスすること、データをオフロードすること、またはデータをアップロードすることを可能にし得る。通信システムを利用する製造品などの製造品は、記憶媒体ＱＱ２２１中に有形に具現され得、記憶媒体ＱＱ２２１はデバイス可読媒体を備え得る。
【０１３２】
図１３では、処理回路ＱＱ２０１は、通信サブシステムＱＱ２３１を使用してネットワークＱＱ２４３ｂと通信するように設定され得る。ネットワークＱＱ２４３ａとネットワークＱＱ２４３ｂとは、同じ１つまたは複数のネットワークまたは異なる１つまたは複数のネットワークであり得る。通信サブシステムＱＱ２３１は、ネットワークＱＱ２４３ｂと通信するために使用される１つまたは複数のトランシーバを含むように設定され得る。たとえば、通信サブシステムＱＱ２３１は、ＩＥＥＥ８０２．ＱＱ２、ＣＤＭＡ、ＷＣＤＭＡ、ＧＳＭ、ＬＴＥ、ＵＴＲＡＮ、ＷｉＭａｘなど、１つまたは複数の通信プロトコルに従って、無線アクセスネットワーク（ＲＡＮ）の別のＷＤ、ＵＥ、または基地局など、無線通信が可能な別のデバイスの１つまたは複数のリモートトランシーバと通信するために使用される、１つまたは複数のトランシーバを含むように設定され得る。各トランシーバは、ＲＡＮリンク（たとえば、周波数割り当てなど）に適した送信機機能または受信機機能をそれぞれ実装するための、送信機ＱＱ２３３および／または受信機ＱＱ２３５を含み得る。さらに、各トランシーバの送信機ＱＱ２３３および受信機ＱＱ２３５は、回路構成要素、ソフトウェアまたはファームウェアを共有し得るか、または、代替的に、別個に実装され得る。
【０１３３】
示されている実施形態では、通信サブシステムＱＱ２３１の通信機能は、データ通信、ボイス通信、マルチメディア通信、Ｂｌｕｅｔｏｏｔｈなどの短距離通信、ニアフィールド通信、ロケーションを決定するための全地球測位システム（ＧＰＳ）の使用などのロケーションベース通信、別の同様の通信機能、またはそれらの任意の組合せを含み得る。たとえば、通信サブシステムＱＱ２３１は、セルラー通信と、Ｗｉ−Ｆｉ通信と、Ｂｌｕｅｔｏｏｔｈ通信と、ＧＰＳ通信とを含み得る。ネットワークＱＱ２４３ｂは、ローカルエリアネットワーク（ＬＡＮ）、ワイドエリアネットワーク（ＷＡＮ）、コンピュータネットワーク、無線ネットワーク、通信ネットワーク、別の同様のネットワークまたはそれらの任意の組合せなど、有線および／または無線ネットワークを包含し得る。たとえば、ネットワークＱＱ２４３ｂは、セルラーネットワーク、Ｗｉ−Ｆｉネットワーク、および／またはニアフィールドネットワークであり得る。電源ＱＱ２１３は、ＵＥ  ＱＱ２００の構成要素に交流（ＡＣ）または直流（ＤＣ）電力を提供するように設定され得る。
【０１３４】
本明細書で説明される特徴、利益および／または機能は、ＵＥ  ＱＱ２００の構成要素のうちの１つにおいて実装されるか、またはＵＥ  ＱＱ２００の複数の構成要素にわたって分割され得る。さらに、本明細書で説明される特徴、利益、および／または機能は、ハードウェア、ソフトウェアまたはファームウェアの任意の組合せで実装され得る。一例では、通信サブシステムＱＱ２３１は、本明細書で説明される構成要素のうちのいずれかを含むように設定され得る。さらに、処理回路ＱＱ２０１は、バスＱＱ２０２上でそのような構成要素のうちのいずれかと通信するように設定され得る。別の例では、そのような構成要素のうちのいずれかは、処理回路ＱＱ２０１によって実行されたとき、本明細書で説明される対応する機能を実施する、メモリに記憶されたプログラム命令によって表され得る。別の例では、そのような構成要素のうちのいずれかの機能は、処理回路ＱＱ２０１と通信サブシステムＱＱ２３１との間で分割され得る。別の例では、そのような構成要素のうちのいずれかの非計算集約的機能が、ソフトウェアまたはファームウェアで実装され得、計算集約的機能がハードウェアで実装され得る。
【０１３５】
図１４は、いくつかの実施形態によって実装される機能が仮想化され得る、仮想化環境ＱＱ３００を示す概略ブロック図である。本コンテキストでは、仮想化することは、ハードウェアプラットフォーム、記憶デバイスおよびネットワーキングリソースを仮想化することを含み得る、装置またはデバイスの仮想バージョンを作成することを意味する。本明細書で使用される仮想化は、ノード（たとえば、仮想化された基地局または仮想化された無線アクセスノード）に、あるいはデバイス（たとえば、ＵＥ、無線デバイスまたは任意の他のタイプの通信デバイス）またはそのデバイスの構成要素に適用され得、機能の少なくとも一部分が、（たとえば、１つまたは複数のネットワークにおいて１つまたは複数の物理処理ノード上で実行する、１つまたは複数のアプリケーション、構成要素、機能、仮想マシンまたはコンテナを介して）１つまたは複数の仮想構成要素として実装される、実装形態に関する。
【０１３６】
いくつかの実施形態では、本明細書で説明される機能の一部または全部は、ハードウェアノードＱＱ３３０のうちの１つまたは複数によってホストされる１つまたは複数の仮想環境ＱＱ３００において実装される１つまたは複数の仮想マシンによって実行される、仮想構成要素として実装され得る。さらに、仮想ノードが、無線アクセスノードではないか、または無線コネクティビティ（たとえば、コアネットワークノード）を必要としない実施形態では、ネットワークノードは完全に仮想化され得る。
【０１３７】
機能は、本明細書で開示される実施形態のうちのいくつかの特徴、機能、および／または利益のうちのいくつかを実装するように動作可能な、（代替的に、ソフトウェアインスタンス、仮想アプライアンス、ネットワーク機能、仮想ノード、仮想ネットワーク機能などと呼ばれることがある）１つまたは複数のアプリケーションＱＱ３２０によって実装され得る。アプリケーションＱＱ３２０は、処理回路ＱＱ３６０とメモリＱＱ３９０とを備えるハードウェアＱＱ３３０を提供する、仮想化環境ＱＱ３００において稼働される。メモリＱＱ３９０は、処理回路ＱＱ３６０によって実行可能な命令ＱＱ３９５を含んでおり、それにより、アプリケーションＱＱ３２０は、本明細書で開示される特徴、利益、および／または機能のうちの１つまたは複数を提供するように動作可能である。
【０１３８】
仮想化環境ＱＱ３００は、１つまたは複数のプロセッサのセットまたは処理回路ＱＱ３６０を備える、汎用または専用のネットワークハードウェアデバイスＱＱ３３０を備え、１つまたは複数のプロセッサのセットまたは処理回路ＱＱ３６０は、商用オフザシェルフ（ＣＯＴＳ）プロセッサ、専用の特定用途向け集積回路（ＡＳＩＣ）、あるいは、デジタルもしくはアナログハードウェア構成要素または専用プロセッサを含む任意の他のタイプの処理回路であり得る。各ハードウェアデバイスはメモリＱＱ３９０−１を備え得、メモリＱＱ３９０−１は、処理回路ＱＱ３６０によって実行される命令ＱＱ３９５またはソフトウェアを一時的に記憶するための非永続的メモリであり得る。各ハードウェアデバイスは、ネットワークインターフェースカードとしても知られる、１つまたは複数のネットワークインターフェースコントローラ（ＮＩＣ）ＱＱ３７０を備え得、ネットワークインターフェースコントローラ（ＮＩＣ）ＱＱ３７０は物理ネットワークインターフェースＱＱ３８０を含む。各ハードウェアデバイスは、処理回路ＱＱ３６０によって実行可能なソフトウェアＱＱ３９５および／または命令を記憶した、非一時的、永続的、機械可読記憶媒体ＱＱ３９０−２をも含み得る。ソフトウェアＱＱ３９５は、１つまたは複数の（ハイパーバイザとも呼ばれる）仮想化レイヤＱＱ３５０をインスタンス化するためのソフトウェア、仮想マシンＱＱ３４０を実行するためのソフトウェア、ならびに、それが、本明細書で説明されるいくつかの実施形態との関係において説明される機能、特徴および／または利益を実行することを可能にする、ソフトウェアを含む、任意のタイプのソフトウェアを含み得る。
【０１３９】
仮想マシンＱＱ３４０は、仮想処理、仮想メモリ、仮想ネットワーキングまたはインターフェース、および仮想記憶域を備え、対応する仮想化レイヤＱＱ３５０またはハイパーバイザによって稼働され得る。仮想アプライアンスＱＱ３２０の事例の異なる実施形態が、仮想マシンＱＱ３４０のうちの１つまたは複数上で実装され得、実装は異なるやり方で行われ得る。
【０１４０】
動作中に、処理回路ＱＱ３６０は、ソフトウェアＱＱ３９５を実行してハイパーバイザまたは仮想化レイヤＱＱ３５０をインスタンス化し、ハイパーバイザまたは仮想化レイヤＱＱ３５０は、時々、仮想マシンモニタ（ＶＭＭ）と呼ばれることがある。仮想化レイヤＱＱ３５０は、仮想マシンＱＱ３４０に、ネットワーキングハードウェアのように見える仮想動作プラットフォームを提示し得る。
【０１４１】
図１４に示されているように、ハードウェアＱＱ３３０は、一般的なまたは特定の構成要素をもつスタンドアロンネットワークノードであり得る。ハードウェアＱＱ３３０は、アンテナＱＱ３２２５を備え得、仮想化を介していくつかの機能を実装し得る。代替的に、ハードウェアＱＱ３３０は、多くのハードウェアノードが協働し、特に、アプリケーションＱＱ３２０のライフサイクル管理を監督する、管理およびオーケストレーション（ＭＡＮＯ）ＱＱ３１００を介して管理される、（たとえば、データセンタまたは顧客構内機器（ＣＰＥ）の場合のような）ハードウェアのより大きいクラスタの一部であり得る。
【０１４２】
ハードウェアの仮想化は、いくつかのコンテキストにおいて、ネットワーク機能仮想化（ＮＦＶ）と呼ばれる。ＮＦＶは、多くのネットワーク機器タイプを、データセンタおよび顧客構内機器中に位置し得る、業界標準高ボリュームサーバハードウェア、物理スイッチ、および物理記憶域上にコンソリデートするために使用され得る。
【０１４３】
ＮＦＶのコンテキストでは、仮想マシンＱＱ３４０は、プログラムを、それらのプログラムが、物理的な仮想化されていないマシン上で実行しているかのように稼働する、物理マシンのソフトウェア実装形態であり得る。仮想マシンＱＱ３４０の各々と、その仮想マシンに専用のハードウェアであろうと、および／またはその仮想マシンによって仮想マシンＱＱ３４０のうちの他の仮想マシンと共有されるハードウェアであろうと、その仮想マシンを実行するハードウェアＱＱ３３０のその一部とは、別個の仮想ネットワークエレメント（ＶＮＥ）を形成する。
【０１４４】
さらにＮＦＶのコンテキストでは、仮想ネットワーク機能（ＶＮＦ）は、ハードウェアネットワーキングインフラストラクチャＱＱ３３０の上の１つまたは複数の仮想マシンＱＱ３４０において稼働する特定のネットワーク機能をハンドリングすることを担当し、図１４中のアプリケーションＱＱ３２０に対応する。
【０１４５】
いくつかの実施形態では、各々、１つまたは複数の送信機ＱＱ３２２０と１つまたは複数の受信機ＱＱ３２１０とを含む、１つまたは複数の無線ユニットＱＱ３２００は、１つまたは複数のアンテナＱＱ３２２５に結合され得る。無線ユニットＱＱ３２００は、１つまたは複数の適切なネットワークインターフェースを介してハードウェアノードＱＱ３３０と直接通信し得、無線アクセスノードまたは基地局など、無線能力をもつ仮想ノードを提供するために仮想構成要素と組み合わせて使用され得る。
【０１４６】
いくつかの実施形態では、何らかのシグナリングが、ハードウェアノードＱＱ３３０と無線ユニットＱＱ３２００との間の通信のために代替的に使用され得る制御システムＱＱ３２３０を使用して、実現され得る。
【０１４７】
図１５を参照すると、一実施形態によれば、通信システムが、無線アクセスネットワークなどのアクセスネットワークＱＱ４１１とコアネットワークＱＱ４１４とを備える、３ＧＰＰタイプセルラーネットワークなどの通信ネットワークＱＱ４１０を含む。アクセスネットワークＱＱ４１１は、ＮＢ、ｅＮＢ、ｇＮＢまたは他のタイプの無線アクセスポイントなど、複数の基地局ＱＱ４１２ａ、ＱＱ４１２ｂ、ＱＱ４１２ｃを備え、各々が、対応するカバレッジエリアＱＱ４１３ａ、ＱＱ４１３ｂ、ＱＱ４１３ｃを定義する。各基地局ＱＱ４１２ａ、ＱＱ４１２ｂ、ＱＱ４１２ｃは、有線接続または無線接続ＱＱ４１５上でコアネットワークＱＱ４１４に接続可能である。カバレッジエリアＱＱ４１３ｃ中に位置する第１のＵＥ  ＱＱ４９１が、対応する基地局ＱＱ４１２ｃに無線で接続するか、または対応する基地局ＱＱ４１２ｃによってページングされるように設定される。カバレッジエリアＱＱ４１３ａ中の第２のＵＥ  ＱＱ４９２が、対応する基地局ＱＱ４１２ａに無線で接続可能である。この例では複数のＵＥ  ＱＱ４９１、ＱＱ４９２が示されているが、開示される実施形態は、唯一のＵＥがカバレッジエリア中にある状況、または唯一のＵＥが対応する基地局ＱＱ４１２に接続している状況に等しく適用可能である。
【０１４８】
通信ネットワークＱＱ４１０は、それ自体、ホストコンピュータＱＱ４３０に接続され、ホストコンピュータＱＱ４３０は、スタンドアロンサーバ、クラウド実装サーバ、分散型サーバのハードウェアおよび／またはソフトウェアにおいて、あるいはサーバファーム中の処理リソースとして具現され得る。ホストコンピュータＱＱ４３０は、サービスプロバイダの所有または制御下にあり得、あるいはサービスプロバイダによってまたはサービスプロバイダに代わって動作され得る。通信ネットワークＱＱ４１０とホストコンピュータＱＱ４３０との間の接続ＱＱ４２１およびＱＱ４２２は、コアネットワークＱＱ４１４からホストコンピュータＱＱ４３０に直接延び得るか、または随意の中間ネットワークＱＱ４２０を介して進み得る。中間ネットワークＱＱ４２０は、パブリックネットワーク、プライベートネットワーク、またはホストされたネットワークのうちの１つ、またはそれらのうちの２つ以上の組合せであり得、中間ネットワークＱＱ４２０は、もしあれば、バックボーンネットワークまたはインターネットであり得、特に、中間ネットワークＱＱ４２０は、２つまたはそれ以上のサブネットワーク（図示せず）を備え得る。
【０１４９】
図１５の通信システムは全体として、接続されたＵＥ  ＱＱ４９１、ＱＱ４９２とホストコンピュータＱＱ４３０との間のコネクティビティを可能にする。コネクティビティは、オーバーザトップ（ＯＴＴ）接続ＱＱ４５０として説明され得る。ホストコンピュータＱＱ４３０および接続されたＵＥ  ＱＱ４９１、ＱＱ４９２は、アクセスネットワークＱＱ４１１、コアネットワークＱＱ４１４、任意の中間ネットワークＱＱ４２０、および考えられるさらなるインフラストラクチャ（図示せず）を媒介として使用して、ＯＴＴ接続ＱＱ４５０を介して、データおよび／またはシグナリングを通信するように設定される。ＯＴＴ接続ＱＱ４５０が通過する参加する通信デバイスが、アップリンク通信およびダウンリンク通信のルーティングに気づいていないという意味で、ＯＴＴ接続ＱＱ４５０は透過的であり得る。たとえば、基地局ＱＱ４１２は、接続されたＵＥ  ＱＱ４９１にフォワーディング（たとえば、ハンドオーバ）されるべき、ホストコンピュータＱＱ４３０から発生したデータを伴う着信ダウンリンク通信の過去のルーティングについて、知らされないことがあるかまたは知らされる必要がない。同様に、基地局ＱＱ４１２は、ＵＥ  ＱＱ４９１から発生してホストコンピュータＱＱ４３０に向かう発信アップリンク通信の将来ルーティングに気づいている必要がない。
【０１５０】
次に、一実施形態による、前の段落において説明されたＵＥ、基地局およびホストコンピュータの例示的な実装形態が、図１６を参照しながら説明される。通信システムＱＱ５００では、ホストコンピュータＱＱ５１０が、通信システムＱＱ５００の異なる通信デバイスのインターフェースとの有線接続または無線接続をセットアップおよび維持するように設定された通信インターフェースＱＱ５１６を含む、ハードウェアＱＱ５１５を備える。ホストコンピュータＱＱ５１０は、記憶能力および／または処理能力を有し得る、処理回路ＱＱ５１８をさらに備える。特に、処理回路ＱＱ５１８は、１つまたは複数のプログラマブルプロセッサ、特定用途向け集積回路、フィールドプログラマブルゲートアレイ、または、命令を実行するように適応されたこれらの組合せ（図示せず）を備え得る。ホストコンピュータＱＱ５１０は、ホストコンピュータＱＱ５１０に記憶されるかまたはホストコンピュータＱＱ５１０によってアクセス可能であり、処理回路ＱＱ５１８によって実行可能である、ソフトウェアＱＱ５１１をさらに備える。ソフトウェアＱＱ５１１は、ホストアプリケーションＱＱ５１２を含む。ホストアプリケーションＱＱ５１２は、ＵＥ  ＱＱ５３０およびホストコンピュータＱＱ５１０において終端するＯＴＴ接続ＱＱ５５０を介して接続するＵＥ  ＱＱ５３０など、リモートユーザにサービスを提供するように動作可能であり得る。リモートユーザにサービスを提供する際に、ホストアプリケーションＱＱ５１２は、ＯＴＴ接続ＱＱ５５０を使用して送信されるユーザデータを提供し得る。
【０１５１】
通信システムＱＱ５００は、通信システム中に提供される基地局ＱＱ５２０をさらに含み、基地局ＱＱ５２０は、基地局ＱＱ５２０がホストコンピュータＱＱ５１０およびＵＥ  ＱＱ５３０と通信することを可能にするハードウェアＱＱ５２５を備える。ハードウェアＱＱ５２５は、通信システムＱＱ５００の異なる通信デバイスのインターフェースとの有線接続または無線接続をセットアップおよび維持するための通信インターフェースＱＱ５２６、ならびに基地局ＱＱ５２０によってサーブされるカバレッジエリア（図１６に図示せず）中に位置するＵＥ  ＱＱ５３０との少なくとも無線接続ＱＱ５７０をセットアップおよび維持するための無線インターフェースＱＱ５２７を含み得る。
【０１５２】
通信インターフェースＱＱ５２６は、ホストコンピュータＱＱ５１０への接続ＱＱ５６０を容易にするように設定され得る。接続ＱＱ５６０は直接であり得るか、あるいは、接続ＱＱ５６０は、通信システムのコアネットワーク（図１６に図示せず）を、および／または通信システムの外部の１つまたは複数の中間ネットワークを通過し得る。図示の実施形態では、基地局ＱＱ５２０のハードウェアＱＱ５２５は、処理回路ＱＱ５２８をさらに含み、処理回路ＱＱ５２８は、１つまたは複数のプログラマブルプロセッサ、特定用途向け集積回路、フィールドプログラマブルゲートアレイ、または、命令を実行するように適応されたこれらの組合せ（図示せず）を備え得る。基地局ＱＱ５２０は、内部的に記憶されるかまたは外部接続を介してアクセス可能なソフトウェアＱＱ５２１をさらに有する。
【０１５３】
通信システムＱＱ５００は、すでに言及されたＵＥ  ＱＱ５３０をさらに含む。ＵＥ  ＱＱ５３０のハードウェアＱＱ５３５は、ＵＥ  ＱＱ５３０が現在位置するカバレッジエリアをサーブする基地局との無線接続ＱＱ５７０をセットアップおよび維持するように設定された、無線インターフェースＱＱ５３７を含み得る。ＵＥ  ＱＱ５３０のハードウェアＱＱ５３５は、処理回路ＱＱ５３８をさらに含み、処理回路ＱＱ５３８は、１つまたは複数のプログラマブルプロセッサ、特定用途向け集積回路、フィールドプログラマブルゲートアレイ、または、命令を実行するように適応されたこれらの組合せ（図示せず）を備え得る。ＵＥ  ＱＱ５３０は、ＵＥ  ＱＱ５３０に記憶されるかまたはＵＥ  ＱＱ５３０によってアクセス可能であり、処理回路ＱＱ５３８によって実行可能である、ソフトウェアＱＱ５３１をさらに備える。ソフトウェアＱＱ５３１は、クライアントアプリケーションＱＱ５３２を含む。クライアントアプリケーションＱＱ５３２は、ホストコンピュータＱＱ５１０のサポートのもとに、ＵＥ  ＱＱ５３０を介して人間のまたは人間でないユーザにサービスを提供するように動作可能であり得る。ホストコンピュータＱＱ５１０では、実行しているホストアプリケーションＱＱ５１２は、ＵＥ  ＱＱ５３０およびホストコンピュータＱＱ５１０において終端するＯＴＴ接続ＱＱ５５０を介して、実行しているクライアントアプリケーションＱＱ５３２と通信し得る。ユーザにサービスを提供する際に、クライアントアプリケーションＱＱ５３２は、ホストアプリケーションＱＱ５１２から要求データを受信し、要求データに応答してユーザデータを提供し得る。ＯＴＴ接続ＱＱ５５０は、要求データとユーザデータの両方を転送し得る。クライアントアプリケーションＱＱ５３２は、クライアントアプリケーションＱＱ５３２が提供するユーザデータを生成するためにユーザと対話し得る。
【０１５４】
図１６に示されているホストコンピュータＱＱ５１０、基地局ＱＱ５２０およびＵＥ  ＱＱ５３０は、それぞれ、図１５のホストコンピュータＱＱ４３０、基地局ＱＱ４１２ａ、ＱＱ４１２ｂ、ＱＱ４１２ｃのうちの１つ、およびＵＥ  ＱＱ４９１、ＱＱ４９２のうちの１つと同様または同等であり得ることに留意されたい。つまり、これらのエンティティの内部の働きは、図１６に示されているようなものであり得、別個に、周囲のネットワークトポロジーは、図１５のものであり得る。
【０１５５】
図１６では、ＯＴＴ接続ＱＱ５５０は、仲介デバイスおよびこれらのデバイスを介したメッセージの正確なルーティングへの明示的言及なしに、基地局ＱＱ５２０を介した、ホストコンピュータＱＱ５１０とＵＥ  ＱＱ５３０との間の通信を示すために抽象的に描かれている。ネットワークインフラストラクチャが、ルーティングを決定し得、ネットワークインフラストラクチャは、ＵＥ  ＱＱ５３０からまたはホストコンピュータＱＱ５１０を動作させるサービスプロバイダから、またはその両方からルーティングを隠すように設定され得る。ＯＴＴ接続ＱＱ５５０がアクティブである間、ネットワークインフラストラクチャは、さらに、ネットワークインフラストラクチャが（たとえば、ネットワークの負荷分散考慮または再設定に基づいて）ルーティングを動的に変更する判定を行い得る。
【０１５６】
ＵＥ  ＱＱ５３０と基地局ＱＱ５２０との間の無線接続ＱＱ５７０は、本開示全体にわたって説明される実施形態の教示に従う。様々な実施形態のうちの１つまたは複数は、無線接続ＱＱ５７０が最後のセグメントを形成するＯＴＴ接続ＱＱ５５０を使用して、ＵＥ  ＱＱ５３０に提供されるＯＴＴサービスの性能を改善し得る。より正確には、これらの実施形態の教示は、ビデオ処理のためのデブロックフィルタ処理を改善し、それにより、改善されたビデオ符号化および／または復号などの利益を提供し得る。
【０１５７】
１つまたは複数の実施形態が改善する、データレート、レイテンシおよび他のファクタを監視する目的での、測定プロシージャが提供され得る。測定結果の変動に応答して、ホストコンピュータＱＱ５１０とＵＥ  ＱＱ５３０との間のＯＴＴ接続ＱＱ５５０を再設定するための随意のネットワーク機能がさらにあり得る。測定プロシージャおよび／またはＯＴＴ接続ＱＱ５５０を再設定するためのネットワーク機能は、ホストコンピュータＱＱ５１０のソフトウェアＱＱ５１１およびハードウェアＱＱ５１５でまたはＵＥ  ＱＱ５３０のソフトウェアＱＱ５３１およびハードウェアＱＱ５３５で、またはその両方で実装され得る。実施形態では、ＯＴＴ接続ＱＱ５５０が通過する通信デバイスにおいてまたはそれに関連して、センサー（図示せず）が展開され得、センサーは、上記で例示された監視された量の値を供給すること、またはソフトウェアＱＱ５１１、ＱＱ５３１が監視された量を算出または推定し得る他の物理量の値を供給することによって、測定プロシージャに参加し得る。ＯＴＴ接続ＱＱ５５０の再設定は、メッセージフォーマット、再送信セッティング、好ましいルーティングなどを含み得、再設定は、基地局ＱＱ５２０に影響を及ぼす必要がなく、再設定は、基地局ＱＱ５２０に知られていないかまたは知覚不可能であり得る。そのようなプロシージャおよび機能は、当技術分野において知られ、実施され得る。いくつかの実施形態では、測定は、スループット、伝搬時間、レイテンシなどのホストコンピュータＱＱ５１０の測定を容易にするプロプライエタリＵＥシグナリングを伴い得る。測定は、ソフトウェアＱＱ５１１およびＱＱ５３１が、ソフトウェアＱＱ５１１およびＱＱ５３１が伝搬時間、エラーなどを監視する間にＯＴＴ接続ＱＱ５５０を使用して、メッセージ、特に空のまたは「ダミー」メッセージが送信されることを引き起こすことにおいて、実装され得る。
【０１５８】
図１７は、一実施形態による、通信システムにおいて実装される方法を示すフローチャートである。通信システムは、図１５および図１６を参照しながら説明されたものであり得る、ホストコンピュータと基地局とＵＥとを含む。本開示の簡単のために、図１７への図面参照のみがこのセクションに含まれる。ステップＱＱ６１０において、ホストコンピュータはユーザデータを提供する。ステップＱＱ６１０の（随意であり得る）サブステップＱＱ６１１において、ホストコンピュータは、ホストアプリケーションを実行することによって、ユーザデータを提供する。ステップＱＱ６２０において、ホストコンピュータは、ＵＥにユーザデータを搬送する送信を始動する。（随意であり得る）ステップＱＱ６３０において、基地局は、本開示全体にわたって説明される実施形態の教示に従って、ホストコンピュータが始動した送信において搬送されたユーザデータをＵＥに送信する。（また、随意であり得る）ステップＱＱ６４０において、ＵＥは、ホストコンピュータによって実行されるホストアプリケーションに関連付けられているクライアントアプリケーションを実行する。
【０１５９】
図１８は、一実施形態による、通信システムにおいて実装される方法を示すフローチャートである。通信システムは、図１５および図１６を参照しながら説明されたものであり得る、ホストコンピュータと基地局とＵＥとを含む。本開示の簡単のために、図１８への図面参照のみがこのセクションに含まれる。本方法のステップＱＱ７１０において、ホストコンピュータはユーザデータを提供する。随意のサブステップ（図示せず）において、ホストコンピュータは、ホストアプリケーションを実行することによって、ユーザデータを提供する。ステップＱＱ７２０において、ホストコンピュータは、ＵＥにユーザデータを搬送する送信を始動する。送信は、本開示全体にわたって説明される実施形態の教示に従って、基地局を介して進み得る。（随意であり得る）ステップＱＱ７３０において、ＵＥは、送信において搬送されたユーザデータを受信する。
【０１６０】
図１９は、一実施形態による、通信システムにおいて実装される方法を示すフローチャートである。通信システムは、図１５および図１６を参照しながら説明されたものであり得る、ホストコンピュータと基地局とＵＥとを含む。本開示の簡単のために、図１９への図面参照のみがこのセクションに含まれる。（随意であり得る）ステップＱＱ８１０において、ＵＥは、ホストコンピュータによって提供された入力データを受信する。追加または代替として、ステップＱＱ８２０において、ＵＥはユーザデータを提供する。ステップＱＱ８２０の（随意であり得る）サブステップＱＱ８２１において、ＵＥは、クライアントアプリケーションを実行することによって、ユーザデータを提供する。ステップＱＱ８１０の（随意であり得る）サブステップＱＱ８１１において、ＵＥは、ホストコンピュータによって提供された受信された入力データに反応してユーザデータを提供する、クライアントアプリケーションを実行する。ユーザデータを提供する際に、実行されたクライアントアプリケーションは、ユーザから受信されたユーザ入力をさらに考慮し得る。ユーザデータが提供された特定の様式にかかわらず、ＵＥは、（随意であり得る）サブステップＱＱ８３０において、ホストコンピュータへのユーザデータの送信を始動する。方法のステップＱＱ８４０において、ホストコンピュータは、本開示全体にわたって説明される実施形態の教示に従って、ＵＥから送信されたユーザデータを受信する。
【０１６１】
図２０は、一実施形態による、通信システムにおいて実装される方法を示すフローチャートである。通信システムは、図１５および図１６を参照しながら説明されたものであり得る、ホストコンピュータと基地局とＵＥとを含む。本開示の簡単のために、図２０への図面参照のみがこのセクションに含まれる。（随意であり得る）ステップＱＱ９１０において、本開示全体にわたって説明される実施形態の教示に従って、基地局は、ＵＥからユーザデータを受信する。（随意であり得る）ステップＱＱ９２０において、基地局は、ホストコンピュータへの、受信されたユーザデータの送信を始動する。（随意であり得る）ステップＱＱ９３０において、ホストコンピュータは、基地局によって始動された送信において搬送されたユーザデータを受信する。
【０１６２】
本明細書で開示される任意の適切なステップ、方法、特徴、機能、または利益は、１つまたは複数の仮想装置の１つまたは複数の機能ユニットまたはモジュールを通して実施され得る。各仮想装置は、いくつかのこれらの機能ユニットを備え得る。これらの機能ユニットは、１つまたは複数のマイクロプロセッサまたはマイクロコントローラを含み得る、処理回路、ならびに、デジタル信号プロセッサ（ＤＳＰ）、専用デジタル論理などを含み得る、他のデジタルハードウェアを介して実装され得る。処理回路は、読取り専用メモリ（ＲＯＭ）、ランダムアクセスメモリ（ＲＡＭ）、キャッシュメモリ、フラッシュメモリデバイス、光記憶デバイスなど、１つまたはいくつかのタイプのメモリを含み得る、メモリに記憶されたプログラムコードを実行するように設定され得る。メモリに記憶されたプログラムコードは、１つまたは複数の通信および／またはデータ通信プロトコルを実行するためのプログラム命令、ならびに本明細書で説明される技法のうちの１つまたは複数を行うための命令を含む。いくつかの実装形態では、処理回路は、それぞれの機能ユニットに、本開示の１つまたは複数の実施形態による、対応する機能を実施させるために使用され得る。
【図１】
2021528002.tif 000003
【図２】
2021528002.tif 000004
【図３】
2021528002.tif 000005
【図４】
2021528002.tif 000006
【図５】
2021528002.tif 000007
【図６】
2021528002.tif 000008
【図７】
2021528002.tif 000009
【図８】
2021528002.tif 000010
【図９】
2021528002.tif 000011
【図１０】
2021528002.tif 000012
【図１１】
2021528002.tif 000013
【図１２】
2021528002.tif 000014
【図１３】
2021528002.tif 000015
【図１４】
2021528002.tif 000016
【図１５】
2021528002.tif 000017
【図１６】
2021528002.tif 000018
【図１７】
2021528002.tif 000019
【図１８】
2021528002.tif 000020
【図１９】
2021528002.tif 000021
【図２０】
2021528002.tif 000022
【国際調査報告】
2021528002.tif 000023
2021528002.tif 000024